(57)【要約】      （修正有）【課題】制御チャネルが用いられる無線通信システムにおいて、移動局装置と基地局装置とが効率的に通信する。【解決手段】基地局装置３は、第１の上りリンク−下りリンク設定と第２の上りリンク−下りリンク設定とを送信する送信部３０７と、所定の上りリンクサブフレームにおいて、第１のエレメントおよび第２のエレメントに対応するＰＤＳＣＨ送信に対するＨＡＲＱ応答情報のためのＰＵＣＣＨリソースを用いて、１つ以上のＨＡＲＱ応答情報を受信する受信部３０５と、を備える。第１のエレメントおよび第２のエレメントのそれぞれは、第１の上りリンク−下りリンク設定により示されるセット内のエレメント、および第２の上りリンク−下りリンク設定により示されるセット内のエレメントに基づいて与えられる。【選択図】図８
2015142311.tif 000002
【特許請求の範囲】
【請求項１】
端末装置と通信する基地局装置であって、
前記基地局装置に固有の情報として通知される第１の上りリンク−下りリンク設定と、前記端末装置に固有の情報として設定される第２の上りリンク−下りリンク設定とを送信する送信部と、
所定の上りリンクサブフレームにおいて、第１のエレメントおよび第２のエレメントに対応するＰＤＳＣＨ送信に対するＨＡＲＱ応答情報のためのＰＵＣＣＨリソースを用いて、１つ以上の前記ＨＡＲＱ応答情報を受信する受信部と、を備え、
前記第１のエレメントおよび前記第２のエレメントのそれぞれは、前記第１の上りリンク−下りリンク設定により示されるセット内のエレメント、および前記第２の上りリンク−下りリンク設定により示されるセット内のエレメントに基づいて与えられ、
前記第１のエレメントにおける前記ＰＵＣＣＨリソースは第１のパラメータおよび第１の数式を用いて与えられ、前記第２のエレメントにおける前記ＰＵＣＣＨリソースは第２のパラメータおよび第２の数式を用いて与えられる、ことを特徴とする基地局装置。
【請求項２】
前記第１のエレメントは、前記第１の上りリンク−下りリンク設定により示されるセット内のエレメントと前記第２の上りリンク−下りリンク設定により示されるセット内のエレメントとの共通のエレメントにより与えられ、
前記第２のエレメントは、前記第２の上りリンク−下りリンク設定により示されるセット内のエレメントのうち、前記第１のエレメントが除外されたエレメントにより与えられる、ことを特徴とする請求項１に記載の基地局装置。
【請求項３】
前記第１のパラメータは、前記第１の上りリンク−下りリンク設定により示されるセット内のエレメントの数であり、
前記第２のパラメータは、前記第２のエレメントの数である、ことを特徴とする請求項１に記載の基地局装置。
【請求項４】
基地局装置と通信する端末装置であって、
前記基地局装置に固有の情報として通知される第１の上りリンク−下りリンク設定と、前記端末装置に固有の情報として設定される第２の上りリンク−下りリンク設定とを受信する受信部と、
所定の上りリンクサブフレームにおいて、第１のエレメントおよび第２のエレメントに対応するＰＤＳＣＨ送信に対するＨＡＲＱ応答情報のためのＰＵＣＣＨリソースを用いて、１つ以上の前記ＨＡＲＱ応答情報を送信する送信部と、を備え、
前記第１のエレメントおよび前記第２のエレメントのそれぞれは、前記第１の上りリンク−下りリンク設定により示されるセット内のエレメント、および前記第２の上りリンク−下りリンク設定により示されるセット内のエレメントに基づいて与えられ、
前記第１のエレメントにおける前記ＰＵＣＣＨリソースは第１のパラメータおよび第１の数式を用いて与えられ、前記第２のエレメントにおける前記ＰＵＣＣＨリソースは第２のパラメータおよび第２の数式を用いて与えられる、ことを特徴とする端末装置。
【請求項５】
前記第１のエレメントは、前記第１の上りリンク−下りリンク設定により示されるセット内のエレメントと前記第２の上りリンク−下りリンク設定により示されるセット内のエレメントとの共通のエレメントにより与えられ、
前記第２のエレメントは、前記第２の上りリンク−下りリンク設定により示されるセット内のエレメントのうち、前記第１のエレメントが除外されたエレメントにより与えられる、ことを特徴とする請求項４に記載の端末装置。
【請求項６】
前記第１のパラメータは、前記第１の上りリンク−下りリンク設定により示されるセット内のエレメントの数であり、
前記第２のパラメータは、前記第２のエレメントの数である、ことを特徴とする請求項４に記載の端末装置。
【請求項７】
端末装置と通信する基地局装置の通信方法であって、
前記基地局装置に固有の情報として通知される第１の上りリンク−下りリンク設定と、前記端末装置に固有の情報として設定される第２の上りリンク−下りリンク設定とを送信するステップと、
所定の上りリンクサブフレームにおいて、第１のエレメントおよび第２のエレメントに対応するＰＤＳＣＨ送信に対するＨＡＲＱ応答情報のためのＰＵＣＣＨリソースを用いて、１つ以上の前記ＨＡＲＱ応答情報を受信するステップと、を有し、
前記第１のエレメントおよび前記第２のエレメントのそれぞれは、前記第１の上りリンク−下りリンク設定により示されるセット内のエレメント、および前記第２の上りリンク−下りリンク設定により示されるセット内のエレメントに基づいて与えられ、
前記第１のエレメントにおける前記ＰＵＣＣＨリソースは第１のパラメータおよび第１の数式を用いて与えられ、前記第２のエレメントにおける前記ＰＵＣＣＨリソースは第２のパラメータおよび第２の数式を用いて与えられる、ことを特徴とする通信方法。
【請求項８】
基地局装置と通信する端末装置の通信方法であって、
前記基地局装置に固有の情報として通知される第１の上りリンク−下りリンク設定と、前記端末装置に固有の情報として設定される第２の上りリンク−下りリンク設定とを受信するステップと、
所定の上りリンクサブフレームにおいて、第１のエレメントおよび第２のエレメントに対応するＰＤＳＣＨ送信に対するＨＡＲＱ応答情報のためのＰＵＣＣＨリソースを用いて、１つ以上の前記ＨＡＲＱ応答情報を送信するステップと、を有し、
前記第１のエレメントおよび前記第２のエレメントのそれぞれは、前記第１の上りリンク−下りリンク設定により示されるセット内のエレメント、および前記第２の上りリンク−下りリンク設定により示されるセット内のエレメントに基づいて与えられ、
前記第１のエレメントにおける前記ＰＵＣＣＨリソースは第１のパラメータおよび第１の数式を用いて与えられ、前記第２のエレメントにおける前記ＰＵＣＣＨリソースは第２のパラメータおよび第２の数式を用いて与えられる、ことを特徴とする通信方法。
【請求項９】
端末装置と通信する基地局装置で発揮される集積回路であって、
前記基地局装置に固有の情報として通知される第１の上りリンク−下りリンク設定と、前記端末装置に固有の情報として設定される第２の上りリンク−下りリンク設定とを送信する機能と、
所定の上りリンクサブフレームにおいて、第１のエレメントおよび第２のエレメントに対応するＰＤＳＣＨ送信に対するＨＡＲＱ応答情報のためのＰＵＣＣＨリソースを用いて、１つ以上の前記ＨＡＲＱ応答情報を受信する機能と、を有し、
前記第１のエレメントおよび前記第２のエレメントのそれぞれは、前記第１の上りリンク−下りリンク設定により示されるセット内のエレメント、および前記第２の上りリンク−下りリンク設定により示されるセット内のエレメントに基づいて与えられ、
前記第１のエレメントにおける前記ＰＵＣＣＨリソースは第１のパラメータおよび第１の数式を用いて与えられ、前記第２のエレメントにおける前記ＰＵＣＣＨリソースは第２のパラメータおよび第２の数式を用いて与えられる、ことを特徴とする集積回路。
【請求項１０】
基地局装置と通信する端末装置で発揮される集積回路であって、
前記基地局装置に固有の情報として通知される第１の上りリンク−下りリンク設定と、前記端末装置に固有の情報として設定される第２の上りリンク−下りリンク設定とを受信する機能と、
所定の上りリンクサブフレームにおいて、第１のエレメントおよび第２のエレメントに対応するＰＤＳＣＨ送信に対するＨＡＲＱ応答情報のためのＰＵＣＣＨリソースを用いて、１つ以上の前記ＨＡＲＱ応答情報を送信する機能と、を有し、
前記第１のエレメントおよび前記第２のエレメントのそれぞれは、前記第１の上りリンク−下りリンク設定により示されるセット内のエレメント、および前記第２の上りリンク−下りリンク設定により示されるセット内のエレメントに基づいて与えられ、
前記第１のエレメントにおける前記ＰＵＣＣＨリソースは第１のパラメータおよび第１の数式を用いて与えられ、前記第２のエレメントにおける前記ＰＵＣＣＨリソースは第２のパラメータおよび第２の数式を用いて与えられる、ことを特徴とする集積回路。
【発明の詳細な説明】
【技術分野】
【０００１】
本発明は、基地局装置、端末装置、通信方法、および、集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置（基地局）をｅＮｏｄｅＢ（evolved NodeB）、移動局装置（移動局、端末）をＵＥ（User Equipment）とも称する。ＬＴＥは、基地局装置がカバーするエリアをセル状に複数配置するセルラー通信システムである。単一の基地局装置は複数のセルを管理してもよい。
【０００３】
ＬＴＥは、周波数分割複信（Frequency Division Duplex: FDD）および時分割複信（Time Division Duplex: TDD）に対応している。ＦＤＤ方式を採用したＬＴＥをＦＤ−ＬＴＥまたはＬＴＥ  ＦＤＤとも称する。ＴＤＤは、上りリンク信号と下りリンク信号を周波数分割多重することによって、少なくとも２つの周波数帯域において全二重通信を可能にする技術である。ＴＤＤ方式を採用したＬＴＥをＴＤ−ＬＴＥまたはＬＴＥ  ＴＤＤとも称する。ＴＤＤは、上りリンク信号と下りリンク信号を時分割多重することによって、単一の周波数帯域において全二重通信を可能にする技術である。ＦＤ−ＬＴＥおよびＴＤ−ＬＴＥの詳細は、非特許文献１に開示されている。
【０００４】
また、基地局は、端末に対して、基地局と端末との間において既知の信号である参照信号（ＲＳ；Reference Signalとも呼称される）を送信できる。この参照信号は、信号やチャネルの復調やチャネル状態のレポートなどの様々な目的のために、複数の参照信号を送信できる。例えば、セル固有参照信号は、セルに固有の参照信号として、全ての下りリンクサブフレームにおいて送信される。また、例えば、端末固有参照信号は、端末に固有の参照信号として、その端末に対するデータ信号がマッピングされるリソースにおいて送信される。参照信号の詳細は、非特許文献１に開示されている。
【０００５】
一方、通信システムにおいて、基地局と端末は、制御情報を用いて通信が実現できる。特に、ＬＴＥの下りリンクでは、基地局は、ＰＤＣＣＨ（Physical Downlink Control Channel）およびＥＰＤＣＣＨ（Enhanced Physical Downlink Control Channel）などの制御チャネルを通じて、制御情報を端末に通知することができる。ＰＤＣＣＨはセル固有参照信号に関連付けられて送信され、ＥＰＤＣＣＨは端末固有参照信号に関連付けられて送信される。また、従来のＬＴＥでは、ＰＤＣＣＨは、セルに固有の領域である共通サーチスペース（Common Search Space: CSS）、および／または、端末に固有の領域である端末固有サーチスペース（UE-specific Search Space: USS）にマッピングできる。また、ＥＰＤＣＣＨは、端末固有サーチスペースのみにマッピングできる。そのため、例えば、共通サーチスペースを用いて制御チャネルを送信する場合、基地局はＰＤＣＣＨを通じて制御情報を通知することになる。制御チャネルの詳細は、非特許文献２に開示されている。
【先行技術文献】
【非特許文献】
【０００６】
【非特許文献１】3rd Generation Partnership Project; Technical Specification Group Radio Access Network; Evolved Universal Terrestrial Radio Access (E-UTRA); Physical Channels and Modulation (Release 11), 3GPP TS 36.211 V11.3.0 (2013-06).
【非特許文献２】3rd Generation Partnership Project; Technical Specification Group Radio Access Network; Evolved Universal Terrestrial Radio Access (E-UTRA); Physical layer procedures (Release 11), 3GPP TS 36.213 V11.3.0 (2013-06).
【発明の概要】
【発明が解決しようとする課題】
【０００７】
しかしながら、ＰＤＣＣＨはセル固有参照信号に関連付けられて送信されるため、共通サーチスペースは、セル固有参照信号がマッピングされるサブフレームのみに制限されることになる。このような制限は、効率的な制御情報の通知を妨げることになり、伝送効率を大幅に劣化させる要因となる。
【０００８】
本発明は、上記問題を鑑みてなされたものであり、その目的は、基地局と端末が通信する通信システムにおいて、伝送効率を向上させることができる基地局装置、端末装置、通信方法、および、集積回路を提供することにある。
【課題を解決するための手段】
【０００９】
（１）上記の目的を達成するために、本発明は、以下のような手段を講じた。すなわち、本実施形態の基地局装置は、端末装置と通信する基地局装置であって、基地局装置に固有の情報として通知される第１の上りリンク−下りリンク設定と、端末装置に固有の情報として設定される第２の上りリンク−下りリンク設定とを送信する送信部と、所定の上りリンクサブフレームにおいて、第１のエレメントおよび第２のエレメントに対応するＰＤＳＣＨ送信に対するＨＡＲＱ応答情報のためのＰＵＣＣＨリソースを用いて、１つ以上のＨＡＲＱ応答情報を受信する受信部と、を備える。第１のエレメントおよび第２のエレメントのそれぞれは、第１の上りリンク−下りリンク設定により示されるセット内のエレメント、および第２の上りリンク−下りリンク設定により示されるセット内のエレメントに基づいて与えられる。第１のエレメントにおけるＰＵＣＣＨリソースは第１のパラメータおよび第１の数式を用いて与えられ、第２のエレメントにおけるＰＵＣＣＨリソースは第２のパラメータおよび第２の数式を用いて与えられる。
【００１０】
（２）また、本実施形態の基地局装置において、第１のエレメントは、第１の上りリンク−下りリンク設定により示されるセット内のエレメントと第２の上りリンク−下りリンク設定により示されるセット内のエレメントとの共通のエレメントにより与えられる。第２のエレメントは、第２の上りリンク−下りリンク設定により示されるセット内のエレメントのうち、第１のエレメントが除外されたエレメントにより与えられる。
【００１１】
（３）また、本実施形態の基地局装置において、第１のパラメータは、第１の上りリンク−下りリンク設定により示されるセット内のエレメントの数である。第２のパラメータは、第２のエレメントの数である。
【００１２】
（４）また、本実施形態の端末装置は、基地局装置と通信する端末装置であって、基地局装置に固有の情報として通知される第１の上りリンク−下りリンク設定と、端末装置に固有の情報として設定される第２の上りリンク−下りリンク設定とを受信する受信部と、所定の上りリンクサブフレームにおいて、第１のエレメントおよび第２のエレメントに対応するＰＤＳＣＨ送信に対するＨＡＲＱ応答情報のためのＰＵＣＣＨリソースを用いて、１つ以上のＨＡＲＱ応答情報を送信する送信部と、を備える。第１のエレメントおよび第２のエレメントのそれぞれは、第１の上りリンク−下りリンク設定により示されるセット内のエレメント、および第２の上りリンク−下りリンク設定により示されるセット内のエレメントに基づいて与えられる。第１のエレメントにおけるＰＵＣＣＨリソースは第１のパラメータおよび第１の数式を用いて与えられ、第２のエレメントにおけるＰＵＣＣＨリソースは第２のパラメータおよび第２の数式を用いて与えられる。
【００１３】
（５）また、本実施形態の端末装置において、第１のエレメントは、第１の上りリンク−下りリンク設定により示されるセット内のエレメントと第２の上りリンク−下りリンク設定により示されるセット内のエレメントとの共通のエレメントにより与えられる。第２のエレメントは、第２の上りリンク−下りリンク設定により示されるセット内のエレメントのうち、第１のエレメントが除外されたエレメントにより与えられる。
【００１４】
（６）また、本実施形態の端末装置において、第１のパラメータは、第１の上りリンク−下りリンク設定により示されるセット内のエレメントの数である。第２のパラメータは、第２のエレメントの数である。
【００１５】
（７）また、本実施形態の通信方法は、端末装置と通信する基地局装置の通信方法であって、基地局装置に固有の情報として通知される第１の上りリンク−下りリンク設定と、端末装置に固有の情報として設定される第２の上りリンク−下りリンク設定とを送信するステップと、所定の上りリンクサブフレームにおいて、第１のエレメントおよび第２のエレメントに対応するＰＤＳＣＨ送信に対するＨＡＲＱ応答情報のためのＰＵＣＣＨリソースを用いて、１つ以上のＨＡＲＱ応答情報を受信するステップと、を有する。第１のエレメントおよび第２のエレメントのそれぞれは、第１の上りリンク−下りリンク設定により示されるセット内のエレメント、および第２の上りリンク−下りリンク設定により示されるセット内のエレメントに基づいて与えられる。第１のエレメントにおけるＰＵＣＣＨリソースは第１のパラメータおよび第１の数式を用いて与えられ、第２のエレメントにおけるＰＵＣＣＨリソースは第２のパラメータおよび第２の数式を用いて与えられる。
【００１６】
（８）また、本実施形態の通信方法は、基地局装置と通信する端末装置の通信方法であって、基地局装置に固有の情報として通知される第１の上りリンク−下りリンク設定と、端末装置に固有の情報として設定される第２の上りリンク−下りリンク設定とを受信するステップと、所定の上りリンクサブフレームにおいて、第１のエレメントおよび第２のエレメントに対応するＰＤＳＣＨ送信に対するＨＡＲＱ応答情報のためのＰＵＣＣＨリソースを用いて、１つ以上のＨＡＲＱ応答情報を送信するステップと、を有する。第１のエレメントおよび第２のエレメントのそれぞれは、第１の上りリンク−下りリンク設定により示されるセット内のエレメント、および第２の上りリンク−下りリンク設定により示されるセット内のエレメントに基づいて与えられる。第１のエレメントにおけるＰＵＣＣＨリソースは第１のパラメータおよび第１の数式を用いて与えられ、第２のエレメントにおけるＰＵＣＣＨリソースは第２のパラメータおよび第２の数式を用いて与えられる。
【００１７】
（９）また、本実施形態の集積回路は、端末装置と通信する基地局装置で発揮される集積回路であって、基地局装置に固有の情報として通知される第１の上りリンク−下りリンク設定と、端末装置に固有の情報として設定される第２の上りリンク−下りリンク設定とを送信する機能と、所定の上りリンクサブフレームにおいて、第１のエレメントおよび第２のエレメントに対応するＰＤＳＣＨ送信に対するＨＡＲＱ応答情報のためのＰＵＣＣＨリソースを用いて、１つ以上のＨＡＲＱ応答情報を受信する機能と、を有する。第１のエレメントおよび第２のエレメントのそれぞれは、第１の上りリンク−下りリンク設定により示されるセット内のエレメント、および第２の上りリンク−下りリンク設定により示されるセット内のエレメントに基づいて与えられる。第１のエレメントにおけるＰＵＣＣＨリソースは第１のパラメータおよび第１の数式を用いて与えられ、第２のエレメントにおけるＰＵＣＣＨリソースは第２のパラメータおよび第２の数式を用いて与えられる。
【００１８】
（１０）また、本実施形態の集積回路は、基地局装置と通信する端末装置で発揮される集積回路であって、基地局装置に固有の情報として通知される第１の上りリンク−下りリンク設定と、端末装置に固有の情報として設定される第２の上りリンク−下りリンク設定とを受信する機能と、所定の上りリンクサブフレームにおいて、第１のエレメントおよび第２のエレメントに対応するＰＤＳＣＨ送信に対するＨＡＲＱ応答情報のためのＰＵＣＣＨリソースを用いて、１つ以上のＨＡＲＱ応答情報を送信する機能と、を有する。第１のエレメントおよび第２のエレメントのそれぞれは、第１の上りリンク−下りリンク設定により示されるセット内のエレメント、および第２の上りリンク−下りリンク設定により示されるセット内のエレメントに基づいて与えられる。第１のエレメントにおけるＰＵＣＣＨリソースは第１のパラメータおよび第１の数式を用いて与えられ、第２のエレメントにおけるＰＵＣＣＨリソースは第２のパラメータおよび第２の数式を用いて与えられる。
【発明の効果】
【００１９】
この発明によれば、基地局と端末が通信する無線通信システムにおいて、伝送効率を向上させることができる。
【図面の簡単な説明】
【００２０】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクサブフレームにおける物理チャネルおよび物理信号の配置の一例を示す図である。
【図５】本実施形態の上りリンクサブフレームにおける物理チャネルおよび物理信号の配置の一例を示す図である。
【図６】本実施形態のスペシャルサブフレームにおける物理チャネルおよび物理信号の配置の一例を示す図である。
【図７】本実施形態の移動局装置１の構成を示す概略ブロック図である。
【図８】本実施形態の基地局装置３の構成を示す概略ブロック図である。
【図９】ＥＰＤＣＣＨサーチスペースの一例を示す図である。
【図１０】上りリンク−下りリンク設定の一例である。
【図１１】ＰＤＣＣＨによって示されるＰＤＳＣＨ送信におけるＨＡＲＱ応答情報多重の一例を示す図である。
【図１２】ＥＰＤＣＣＨによって示されるＰＤＳＣＨ送信におけるＨＡＲＱ応答情報多重の一例を示す図である。
【図１３】上りリンク−下りリンク設定１および上りリンク−下りリンク設定２により与えられるサブフレーム設定の一例である。
【図１４】下りリンク関連付けセットのインデックスK: {k0, k1, ..., kM-1}の一例を示す図である。
【図１５】ＨＡＲＱ応答情報の送信に用いられるＰＵＣＣＨリソースを与える数式の一例を示す図である。
【図１６】下りリンク関連付けセットのインデックスKa: {k0, k1, ..., kMa-1}およびKb: {kMa, kMa+1, ..., kM-1}の一例を示す図である。
【図１７】ＨＡＲＱ応答情報の送信に用いられるＰＵＣＣＨリソースを与える数式の一例を示す図である。
【図１８】下りリンク関連付けセットのインデックスK: {k0, k1, ..., kM-1}の一例を示す図である。
【図１９】上りリンク−下りリンク設定１と上りリンク−下りリンク設定２とのペアによって与えられる参照上りリンク−下りリンク設定（参照ＵＬ／ＤＬ設定）の一例を示す図である。
【図２０】下りリンク関連付けセットのインデックスKa: {k0, k1, ..., kMa-1}およびKb: {kMa, kMa+1, ..., kM-1}の一例を示す図である。
【図２１】ＨＡＲＱ応答情報の送信に用いられるＰＵＣＣＨリソースを与える数式の一例を示す図である。
【図２２】ＨＡＲＱ応答情報の送信に用いられるＰＵＣＣＨリソースを与える数式の一例を示す図である。
【発明を実施するための形態】
【００２１】
以下、本発明の実施形態について説明する。
【００２２】
本実施形態では、移動局装置は、複数のセルが設定される。移動局装置が複数のセルを介して通信する技術をセルアグリゲーション、またはキャリアアグリゲーションと称する。移動局装置に対して設定される複数のセルのそれぞれにおいて、本発明が適用されてもよい。また、設定された複数のセルの一部において、本発明が適用されてもよい。移動局装置に設定されるセルを、サービングセルとも称する。
【００２３】
設定された複数のサービングセルは、１つのプライマリーセルと１つまたは複数のセカンダリーセルとを含む。プライマリーセルは、初期コネクション構築（initial connection establishment）プロシージャが行なわれたサービングセル、コネクション再構築（connection re-establishment）プロシージャを開始したサービングセル、または、ハンドオーバプロシージャにおいてプライマリーセルと指示されたセルである。ＲＲＣコネクションが構築された時点、または、後に、セカンダリーセルが設定されてもよい。
【００２４】
本実施形態の無線通信システムは、ＴＤＤ（Time Division Duplex）方式が適用される。セルアグリゲーションの場合には、複数のセルの全てに対してＴＤＤ方式が適用されてもよい。また、セルアグリゲーションの場合には、ＴＤＤ方式が適用されるセルとＦＤＤ（Frequency Division Duplex）方式が適用されるセルが集約されてもよい。ＴＤＤが適用されるセルとＦＤＤが適用されるセルとが集約される場合に、ＴＤＤが適用されるセルに対して本発明を適用することができる。
【００２５】
ＴＤＤが適用される複数のセルがアグリゲートされる場合には、半二重（half-duplex）ＴＤＤ方式または全二重（full-duplex）ＴＤＤ方式が適用できる。
【００２６】
移動局装置は、移動局装置によってキャリアアグリゲーションがサポートされているバンドの組合せを示す情報を、基地局装置に送信する。移動局装置は、バンドの組合せのそれぞれに対して、異なる複数のバンドにおける前記複数のサービングセルにおける同時送信および受信をサポートしているかどうかを指示する情報を、基地局装置に送信する。
【００２７】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２８】
図１は、本実施形態の無線通信システムの概念図である。図１において、無線通信システムは、移動局装置１Ａ〜１Ｃ、および基地局装置３を具備する。以下、移動局装置１Ａ〜１Ｃを移動局装置１という。
【００２９】
本実施形態の物理チャネルおよび物理信号について説明する。
【００３０】
図１において、移動局装置１から基地局装置３への上りリンクの無線通信では、上りリンク物理チャネルが用いられる。上りリンク物理チャネルは、上位層から出力された情報を送信するために使用できる。上りリンク物理チャネルは、ＰＵＣＣＨ（Physical Uplink Control Channel）、ＰＵＳＣＨ（Physical Uplink Shared Channel）、ＰＲＡＣＨ（Physical Random Access Channel）などを含む。
【００３１】
ＰＵＣＣＨは、上りリンク制御情報（Uplink Control Information: UCI）を送信するために用いられる物理チャネルである。上りリンク制御情報は、下りリンクのチャネル状態情報（Channel State Information: CSI）、ＰＵＳＣＨリソースの要求を示すスケジューリング要求（Scheduling Request: SR）、下りリンクデータ（Transport block, Downlink-Shared Channel: DL-SCH）に対するＡＣＫ（acknowledgement）／ＮＡＣＫ（negative-acknowledgement）を含む。ＡＣＫ／ＮＡＣＫを、ＨＡＲＱ−ＡＣＫ、ＨＡＲＱフィードバック、または、応答情報とも称する。
【００３２】
ＰＵＳＣＨは、上りリンクデータ（Uplink-Shared Channel: UL-SCH）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００３３】
ＰＲＡＣＨは、ランダムアクセスプリアンブルを送信するために用いられる物理チャネルである。ＰＲＡＣＨは、移動局装置１が基地局装置３と時間領域の同期をとることを主な目的とする。その他に、ＰＲＡＣＨは、初期コネクション構築（initial connection establishment）プロシージャ、ハンドオーバプロシージャ、コネクション再構築（connection re-establishment）プロシージャ、上りリンク送信に対する同期（タイミング調整）、およびＰＵＳＣＨリソースの要求を示すためにも用いられる。
【００３４】
図１において、上りリンクの無線通信では、上りリンク物理信号が用いられる。上りリンク物理信号は、上りリンク参照信号（Uplink Reference Signal: UL RS）などを含む。上りリンク参照信号は、ＤＭＲＳ（Demodulation Reference Signal）、ＳＲＳ（Sounding Reference Signal）などが用いられる。ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。なお、上りリンクのＤＭＲＳは、ＵＬ−ＤＭＲＳとも呼称される。ＳＲＳは、ＰＵＳＣＨまたはＰＵＣＣＨの送信に関連しない。基地局装置３は、上りリンクのチャネル状態を測定するためにＳＲＳを使用する。
【００３５】
図１において、基地局装置３から移動局装置１への下りリンクの無線通信では、下りリンク物理チャネルが用いられる。下りリンク物理チャネルは、上位層から出力された情報を送信するために使用できる。下りリンク物理チャネルは、ＰＢＣＨ（Physical Broadcast Channel）、ＰＣＦＩＣＨ（Physical Control Format Indicator Channel）、ＰＨＩＣＨ（Physical Hybrid automatic repeat request Indicator Channel）、ＰＤＣＣＨ（Physical Downlink Control Channel）、ＥＰＤＣＣＨ（Enhanced Physical Downlink Control Channel）、ＰＤＳＣＨ（Physical Downlink Shared Channel）、ＰＭＣＨ（Physical Multicast Channel）などを含む。
【００３６】
ＰＢＣＨは、移動局装置１で共通に用いられるマスターインフォメーションブロック（Master Information Block: MIB, Broadcast Channel: BCH）を報知するために用いられる。ＭＩＢは、４０ms間隔で更新できる。ＰＢＣＨは１０ｍｓ周期で繰り返し送信される。具体的には、SFN mod 4 = 0を満たす無線フレームにおけるサブフレーム０においてＭＩＢの初期送信が行なわれ、他の全ての無線フレームにおけるサブフレーム０においてＭＩＢの再送信（repetition）が行なわれる。ＳＦＮ（system frame number）は無線フレームの番号である。ＭＩＢはシステム情報である。例えば、ＭＩＢは、ＳＦＮを示す情報を含む。
【００３７】
ＰＣＦＩＣＨは、ＰＤＣＣＨの送信に用いられる領域（ＯＦＤＭシンボル）を指示する情報を送信するために用いられる。
【００３８】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。例えば、移動局装置１がＡＣＫを示すＨＡＲＱインディケータを受信した場合は、対応する上りリンクデータを再送しない。例えば、移動局装置１がＮＡＣＫを示すＨＡＲＱインディケータを受信した場合は、対応する上りリンクデータを再送する。単一のＰＨＩＣＨは、単一の上りリンクデータに対するＨＡＲＱインディケータを送信する。基地局装置３は、同一のＰＵＳＣＨに含まれる複数の上りリンクデータに対するＨＡＲＱインディケータのそれぞれを複数のＰＨＩＣＨを用いて送信する。
【００３９】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００４０】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられる。
【００４１】
ＤＣＩフォーマットには、ＣＲＣ（Cyclic Redundancy Check）パリティビットが付加される。ＣＲＣパリティビットは、Ｃ−ＲＮＴＩ（Cell-Radio Network Temporary Identifier）、または、ＳＰＳ  Ｃ−ＲＮＴＩ（Semi Persistent Scheduling Cell-Radio Network Temporary Identifier）でスクランブルされる。Ｃ−ＲＮＴＩおよびＳＰＳ  Ｃ−ＲＮＴＩは、セル内において移動局装置を識別するための識別子である。Ｃ−ＲＮＴＩは、単一のサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。
【００４２】
ＰＤＳＣＨは、下りリンクデータ（Downlink Shared Channel: DL-SCH）を送信するために用いられる。
【００４３】
ＰＭＣＨは、マルチキャストデータ（Multicast Channel: MCH）を送信するために用いられる。
【００４４】
図１において、下りリンクの無線通信では、以下の下りリンク物理信号が用いられる。下りリンク物理信号は、同期信号（Synchronization signal: SS）、下りリンク参照信号（Downlink Reference Signal: DL RS）などを含む。
【００４５】
同期信号は、移動局装置１が下りリンクの周波数領域および時間領域の同期をとるために用いられる。同期信号は無線フレーム内の所定のサブフレームに配置される。例えば、ＴＤＤ方式において、同期信号は無線フレーム内のサブフレーム０、１、５、６に配置される。ＦＤＤ方式において、同期信号は無線フレーム内のサブフレーム０と５に配置される。
【００４６】
下りリンク参照信号は、移動局装置１が下りリンク物理チャネルの伝搬路補正を行なうために用いられる。下りリンク参照信号は、移動局装置１が下りリンクのチャネル状態情報を算出するために用いられる。下りリンク参照信号は、移動局装置１が自装置の地理的な位置を測定するために用いられる。
【００４７】
下りリンク参照信号は、ＣＲＳ（Cell-specific Reference Signal）、ＰＤＳＣＨに関連するＵＲＳ（UE-specific Reference Signal）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）、ＭＢＳＦＮ  ＲＳ（Multimedia Broadcast and Multicast Service over Single Frequency Network Reference signal）、ＰＲＳ（Positioning Reference Signal）、ＴＲＳ（Tracking Reference Signal）などを含む。
【００４８】
ＣＲＳは、サブフレームの全帯域で送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、移動局装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００４９】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。
【００５０】
ＰＤＳＣＨは、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００５１】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【００５２】
ＮＺＰ  ＣＳＩ−ＲＳは、設定されたサブフレームで送信される。ＮＺＰ  ＣＳＩ−ＲＳが送信されるリソースは、基地局装置が設定する。ＮＺＰ  ＣＳＩ−ＲＳは、移動局装置１が下りリンクのチャネル状態情報を算出するために用いられる。移動局装置１は、ＮＺＰ  ＣＳＩ−ＲＳを用いて信号測定（チャネル測定）を行なう。
【００５３】
ＺＰ  ＣＳＩ−ＲＳのリソースは、基地局装置３が設定する。基地局装置３は、ＺＰ  ＣＳＩ−ＲＳをゼロ出力で送信する。つまり、基地局装置３は、ＺＰ  ＣＳＩ−ＲＳを送信しない。基地局装置３は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、移動局装置１は、干渉を測定することができる。
【００５４】
ＭＢＳＦＮ  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信用いられるアンテナポートで送信される。
【００５５】
ＰＲＳは、移動局装置が、自装置の地理的な位置を測定するために用いられる。
【００５６】
ＴＲＳは、所定のサブフレームにマッピングできる。例えば、ＴＲＳは、サブフレーム０および５にマッピングされる。また、ＴＲＳは、ＣＲＳの一部と同様の構成を用いることができる。例えば、リソースブロックのそれぞれにおいて、ＴＲＳがマッピングされるリソースエレメントの位置は、アンテナポート０のＣＲＳがマッピングされるリソースエレメントの位置と同じにすることができる。また、ＴＲＳに用いられる系列（値）は、ＰＢＣＨ、ＰＤＣＣＨ、ＥＰＤＣＣＨまたはＰＤＳＣＨ（ＲＲＣシグナリング）を通じて設定された情報に基づいて決定できる。ＴＲＳに用いられる系列（値）は、セルＩＤ（例えば、物理レイヤセル識別子）、スロット番号などのパラメータに基づいて決定できる。ＴＲＳに用いられる系列（値）は、アンテナポート０のＣＲＳに用いられる系列（値）とは異なる方法（式）によって決定できる。
【００５７】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００５８】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００５９】
基地局装置３から移動局装置１に対する制御情報のシグナリング（通知、報知）の方法として、ＰＤＣＣＨを通じたシグナリングであるＰＤＣＣＨシグナリング、ＲＲＣ層（レイヤー）を通じたシグナリングであるＲＲＣシグナリング、および、ＭＡＣ層（レイヤー）を通じたシグナリングであるＭＡＣシグナリングなどが用いられる。また、ＲＲＣシグナリングは、移動局装置１に固有の制御情報を通知する専用のＲＲＣシグナリング（Dedicated RRC signaling）と、基地局装置３に固有の制御情報を通知する共通のＲＲＣシグナリング（Common RRC signaling）とが用いられる。なお、以下の説明において、単にＲＲＣシグナリングと記載した場合は、ＲＲＣシグナリングは専用のＲＲＣシグナリングおよび／または共通のＲＲＣシグナリングである。
【００６０】
以下、本実施形態の無線フレーム（radio frame）の構成について説明する。
【００６１】
図２は、本実施形態の無線フレームの概略構成を示す図である。無線フレームのそれぞれは、１０ｍｓ長である。図２において、横軸は時間軸である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００６２】
サブフレームは、下りリンクサブフレーム（第１のサブフレーム）、上りリンクサブフレーム（第２のサブフレーム）、スペシャルサブフレーム（第３のサブフレーム）などを含む。
【００６３】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。なお、スペシャルサブフレームは、ＤｗＰＴＳおよびＧＰのみによって構成されてもよいし、ＧＰおよびＵｐＰＴＳのみによって構成されてもよい。
【００６４】
単一の無線フレームは、少なくとも下りリンクサブフレーム、上りリンクサブフレーム、およびスペシャルサブフレームから構成される。
【００６５】
本実施形態の無線通信システムは、５ｍｓと１０ｍｓの下りリンク‐上りリンク・スイッチポイント周期（downlink-to-uplink switch-point periodicity）をサポートする。下りリンク‐上りリンク・スイッチポイント周期が５ｍｓの場合には、無線フレーム内の両方のハーフフレームにスペシャルサブフレームが含まれる。下りリンク‐上りリンク・スイッチポイント周期が１０ｍｓの場合には、無線フレーム内の最初のハーフフレームのみにスペシャルサブフレームが含まれる。
【００６６】
以下、本実施形態のスロットの構成について説明する。
【００６７】
図３は、本実施形態のスロットの構成を示す図である。本実施形態では、ＯＦＤＭシンボルに対してノーマルＣＰ（normal Cyclic Prefix）が適用される。なお、ＯＦＤＭシンボルに対して拡張ＣＰ（extended Cyclic Prefix）が適用されてもよい。スロットのそれぞれにおいて送信される物理信号または物理チャネルは、リソースグリッドによって表現される。下りリンクにおいて、リソースグリッドは、周波数方向に対する複数のサブキャリアと、時間方向に対する複数のＯＦＤＭシンボルによって定義される。上りリンクにおいて、リソースグリッドは、周波数方向に対する複数のサブキャリアと、時間方向に対する複数のＳＣ−ＦＤＭＡシンボルによって定義される。サブキャリアまたはリソースブロックの数は、セルの帯域幅に依存する。１つのスロットを構成するＯＦＤＭシンボルまたはＳＣ−ＦＤＭＡシンボルの数は、ノーマルＣＰの場合は７であり、拡張ＣＰの場合は６である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別される。
【００６８】
リソースブロックは、ある物理チャネル（ＰＤＳＣＨまたはＰＵＳＣＨなど）のリソースエレメントにマッピングするために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。また、同一の物理リソースブロック番号が対応する、１つのサブフレーム内の２つのリソースブロックは、物理リソースブロックペア（ＰＲＢペア、ＲＢペア）として定義される。
【００６９】
以下、サブフレームのそれぞれにおいて送信される物理チャネルおよび物理信号について説明する。
【００７０】
図４は、本実施形態の下りリンクサブフレームにおける物理チャネルおよび物理信号の配置の一例を示す図である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および／または下りリンク物理信号（同期信号、下りリンク参照信号）を送信できる。なお、ＰＢＣＨは無線フレーム内のサブフレーム０のみで送信される。なお、下りリンク参照信号は周波数領域および時間領域において分散するリソースエレメントに配置される。説明の簡略化のため、図４において下りリンク参照信号は図示しない。
【００７１】
ＰＤＣＣＨ領域において、複数のＰＤＣＣＨが周波数、時間、および／または空間多重されてもよい。ＥＰＤＣＣＨ領域において、複数のＥＰＤＣＣＨが周波数、時間、および／または空間多重されてもよい。ＰＤＳＣＨ領域において、複数のＰＤＳＣＨが周波数、時間、および／または空間多重されてもよい。ＰＤＣＣＨ、ＰＤＳＣＨおよび／またはＥＰＤＣＣＨは周波数、時間、および／または空間多重されてもよい。
【００７２】
図５は、本実施形態の上りリンクサブフレームにおける物理チャネルおよび物理信号の配置の一例を示す図である。移動局装置１は、上りリンクサブフレームにおいて、上りリンク物理チャネル（ＰＵＣＣＨ、ＰＵＳＣＨ、ＰＲＡＣＨ）、および上りリンク物理信号（ＵＬ−ＤＭＲＳ、ＳＲＳ）を送信してもよい。ＰＵＣＣＨ領域において、複数のＰＵＣＣＨが周波数、時間、空間および／またはコード多重される。ＰＵＳＣＨ領域において、複数のＰＵＳＣＨが周波数、時間、空間および／またはコード多重されてもよい。ＰＵＣＣＨおよびＰＵＳＣＨは周波数、時間、空間および／またはコード多重されてもよい。ＰＲＡＣＨは単一のサブフレームまたは２つのサブフレームにわたって配置されてもよい。また、複数のＰＲＡＣＨが符号多重されてもよい。
【００７３】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。移動局装置１は、単一のセルの単一のＳＣ−ＦＤＭＡシンボルにおいて、ＳＲＳと、ＰＵＣＣＨ／ＰＵＳＣＨ／ＰＲＡＣＨとの同時送信を制限できる。移動局装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。つまり、単一のセルの単一の上りリンクサブフレームにおいて、移動局装置１は、ＳＲＳと、ＰＵＳＣＨおよびＰＵＣＣＨとを送信することができる。なお、ＤＭＲＳはＰＵＣＣＨまたはＰＵＳＣＨと時間多重される。説明の簡略化のため図５においてＤＭＲＳは図示しない。
【００７４】
図６は、本実施形態のスペシャルサブフレームにおける物理チャネルおよび物理信号の配置の一例を示す図である。図６において、ＤｗＰＴＳはスペシャルサブフレーム内の１番目から１０番目のＳＣ−ＦＤＭＡシンボルから構成され、ＧＰはスペシャルサブフレーム内の１１番目と１２番目のＳＣ−ＦＤＭＡシンボルから構成され、ＵｐＰＴＳはスペシャルサブフレーム内の１３番目と１４番目のＳＣ−ＦＤＭＡシンボルから構成される。
【００７５】
基地局装置３は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信してもよい。基地局装置３は、スペシャルサブフレームのＤｗＰＴＳにおいて、ＰＢＣＨの送信を制限できる。移動局装置１は、スペシャルサブフレームのＵｐＰＴＳにおいて、ＰＲＡＣＨ、およびＳＲＳを送信してもよい。つまり、移動局装置１は、スペシャルサブフレームのＵｐＰＴＳにおいて、ＰＵＣＣＨ、ＰＵＳＣＨ、およびＤＭＲＳの送信を制限できる。
【００７６】
図７は、本実施形態の移動局装置１の構成を示す概略ブロック図である。図示するように、移動局装置１は、上位層処理部１０１、制御部１０３、受信部１０５、送信部１０７、および送受信アンテナ１０９を含んで構成される。また、上位層処理部１０１は、無線リソース制御部１０１１、サブフレーム設定部１０１３、スケジューリング情報解釈部１０１５、および、チャネル状態情報（ＣＳＩ）報告制御部１０１７を含んで構成される。また、受信部１０５は、復号化部１０５１、復調部１０５３、多重分離部１０５５、無線受信部１０５７、およびチャネル測定部１０５９を含んで構成される。また、送信部１０７は、符号化部１０７１、変調部１０７３、多重部１０７５、無線送信部１０７７、および上りリンク参照信号生成部１０７９を含んで構成される。
【００７７】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００７８】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【００７９】
上位層処理部１０１が備えるサブフレーム設定部１０１３は、基地局装置３により設定される情報に基づいて、基地局装置３および／または基地局装置３とは異なる基地局装置におけるサブフレーム設定を管理する。例えば、サブフレーム設定は、サブフレームに対する上りリンクまたは下りリンクの設定である。サブフレーム設定は、サブフレームパターン設定（Subframe pattern configuration）、上りリンク−下りリンク設定（Uplink-downlink configuration）、上りリンク参照ＵＬ−ＤＬ設定（Uplink reference configuration）、下りリンク参照ＵＬ−ＤＬ設定（Downlink reference configuration）、および／または、送信方向ＵＬ−ＤＬ設定（transmission direction configuration）を含む。サブフレーム設定部１０１３は、サブフレーム設定、サブフレームパターン設定、上りリンク−下りリンク設定、上りリンク参照ＵＬ−ＤＬ設定、下りリンク参照ＵＬ−ＤＬ設定、および／または、送信方向ＵＬ−ＤＬ設定をセットする。また、サブフレーム設定部１０１３は、少なくとも２つのサブフレームセットをセットできる。なお、サブフレームパターン設定は、ＥＰＤＣＣＨサブフレーム設定を含む。なお、サブフレーム設定部１０１３は、端末サブフレーム設定部とも呼称される。
【００８０】
上位層処理部１０１が備えるスケジューリング情報解釈部１０１５は、受信部１０５を介して受信したＤＣＩフォーマット（スケジューリング情報）の解釈をし、前記ＤＣＩフォーマットを解釈した結果に基づいて、受信部１０５および送信部１０７の制御を行なうために制御情報を生成し、制御部１０３に出力する。
【００８１】
スケジューリング情報解釈部１０１５は、サブフレーム設定、サブフレームパターン設定、上りリンク−下りリンク設定、上りリンク参照ＵＬ−ＤＬ設定、下りリンク参照ＵＬ−ＤＬ設定、および／または、送信方向ＵＬ−ＤＬ設定に基づいて、送信処理および受信処理を行うタイミングを決定する。
【００８２】
ＣＳＩ報告制御部１０１７は、ＣＳＩ参照リソースを特定する。ＣＳＩ報告制御部１０１７は、チャネル測定部１０５９に、ＣＳＩ参照リソースに関連するＣＱＩを導き出すよう指示する。ＣＳＩ報告制御部１０１７は、送信部１０７に、ＣＱＩを送信するよう指示をする。ＣＳＩ報告制御部１０１７は、チャネル測定部１０５９がＣＱＩを算出する際に用いる設定をセットする。
【００８３】
制御部１０３は、上位層処理部１０１からの制御情報に基づいて、受信部１０５および送信部１０７の制御を行なう制御信号を生成する。制御部１０３は、生成した制御信号を受信部１０５および送信部１０７に出力して、受信部１０５および送信部１０７の制御を行なう。
【００８４】
受信部１０５は、制御部１０３から入力された制御信号に基づいて、送受信アンテナ１０９が基地局装置３から受信した受信信号を、分離、復調、復号する。受信部１０５は、復号した情報を上位層処理部１０１に出力する。
【００８５】
無線受信部１０５７は、送受信アンテナ１０９が受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【００８６】
多重分離部１０５５は、抽出した信号から、ＰＨＩＣＨ、ＰＤＣＣＨ、ＥＰＤＣＣＨ、ＰＤＳＣＨ、および／または下りリンク参照信号を、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、および／またはＰＤＳＣＨの伝搬路の補償を行なう。また、多重分離部１０５５は、分離した下りリンク参照信号をチャネル測定部１０５９に出力する。
【００８７】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【００８８】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【００８９】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩの算出のために、チャネル測定、および／または、干渉測定を行なう。
【００９０】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【００９１】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づいてターボ符号化を行なう。
【００９２】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭ（Multiple Input Multiple Output Spatial Multiplexing）を用いることにより同一のＰＵＳＣＨで送信される複数の上りリンクデータを、複数の系列にマッピングし、この系列に対してプレコーディング（precoding）を行なう。
【００９３】
上りリンク参照信号生成部１０７９は、基地局装置３を識別するための物理レイヤセル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【００９４】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００９５】
図８は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、サブフレーム設定部３０１３、スケジューリング部３０１５、および、ＣＳＩ報告制御部３０１７を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７、および、下りリンク参照信号生成部３０７９を含んで構成される。
【００９６】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【００９７】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、移動局装置１各々の各種設定情報の管理をする。
【００９８】
上位層処理部３０１が備えるサブフレーム設定部３０１３は、サブフレーム設定、サブフレームパターン設定、上りリンク−下りリンク設定、上りリンク参照ＵＬ−ＤＬ設定、下りリンク参照ＵＬ−ＤＬ設定、および／または、送信方向ＵＬ−ＤＬ設定の管理を、移動局装置１のそれぞれに対して行なう。サブフレーム設定部３０１３は、移動局装置１のそれぞれに対して、サブフレーム設定、サブフレームパターン設定、上りリンク−下りリンク設定、上りリンク参照ＵＬ−ＤＬ設定、下りリンク参照ＵＬ−ＤＬ設定、および／または、送信方向ＵＬ−ＤＬ設定をセットする。サブフレーム設定部３０１３は、サブフレーム設定に関する情報を移動局装置１に送信する。なお、サブフレーム設定部３０１３は、基地局サブフレーム設定部とも呼称される。
【００９９】
基地局装置３は、移動局装置１に対する、サブフレーム設定、サブフレームパターン設定、上りリンク−下りリンク設定、上りリンク参照ＵＬ−ＤＬ設定、下りリンク参照ＵＬ−ＤＬ設定、および／または、送信方向ＵＬ−ＤＬ設定を決定してもよい。また、基地局装置３は、移動局装置１に対する、サブフレーム設定、サブフレームパターン設定、上りリンク−下りリンク設定、上りリンク参照ＵＬ−ＤＬ設定、下りリンク参照ＵＬ−ＤＬ設定、および／または、送信方向ＵＬ−ＤＬ設定を上位ノードから指示されてもよい。
【０１００】
例えば、サブフレーム設定部３０１３は、上りリンクのトラフィック量および下りリンクのトラフィック量に基づいて、サブフレーム設定、サブフレームパターン設定、上りリンク−下りリンク設定、上りリンク参照ＵＬ−ＤＬ設定、下りリンク参照ＵＬ−ＤＬ設定、および／または、送信方向ＵＬ−ＤＬ設定を決定してもよい。
【０１０１】
サブフレーム設定部３０１３は、少なくとも２つのサブフレームセットの管理を行なうことができる。サブフレーム設定部３０１３は、移動局装置１のそれぞれに対して、少なくとも２つのサブフレームセットをセットしてもよい。サブフレーム設定部３０１３は、サービングセルのそれぞれに対して、少なくとも２つのサブフレームセットをセットしてもよい。サブフレーム設定部３０１３は、ＣＳＩプロセスのそれぞれに対して、少なくとも２つのサブフレームセットをセットしてもよい。サブフレーム設定部３０１３は、少なくとも２つのサブフレームセットを示す情報を、送信部３０７を介して、移動局装置１に送信できる。
【０１０２】
上位層処理部３０１が備えるスケジューリング部３０１５は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１５は、フレキシブルサブフレームにおいて下りリンク物理チャネルおよび／または下りリンク物理信号をスケジュールするか、上りリンク物理チャネルおよび／または上りリンク物理信号をスケジュールするかを決定する。スケジューリング部３０１５は、スケジューリング結果に基づき、受信部３０５、および送信部３０７の制御を行なうために制御情報（例えば、ＤＣＩフォーマット）を生成し、制御部３０３に出力する。
【０１０３】
スケジューリング部３０１５は、スケジューリング結果に基づき、物理チャネル（ＰＤＳＣＨおよびＰＵＳＣＨ）のスケジューリングに用いられる情報を生成する。スケジューリング部３０１５は、ＵＬ−ＤＬ設定、サブフレームパターン設定、上りリンク−下りリンク設定、上りリンク参照ＵＬ−ＤＬ設定、下りリンク参照ＵＬ−ＤＬ設定、および／または、送信方向ＵＬ−ＤＬ設定に基づいて、送信処理および受信処理を行うタイミング（サブフレーム）を決定する。
【０１０４】
上位層処理部３０１が備えるＣＳＩ報告制御部３０１７は、移動局装置１のＣＳＩ報告を制御する。ＣＳＩ報告制御部３０１７は、移動局装置１がＣＳＩ参照リソースにおいてＣＱＩを導き出すために想定する、各種設定を示す情報を、送信部３０７を介して、移動局装置１に送信する。
【０１０５】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１０６】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１０７】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０１０８】
多重分離部１０５５は、無線受信部３０５７から入力された信号をＰＵＣＣＨ、ＰＵＳＣＨ、上りリンク参照信号などの信号に分離する。なお、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１０９】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１１０】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１１１】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ３０９を介して移動局装置１に信号を送信する。
【０１１２】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１１３】
下りリンク参照信号生成部３０７９は、基地局装置３を識別するための物理レイヤセル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１１４】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１１５】
ここで、ＰＤＣＣＨまたはＥＰＤＣＣＨは、下りリンク制御情報（ＤＣＩ）を端末へ通知（指定）するために使用される。例えば、下りリンク制御情報には、ＰＤＳＣＨのリソース割り当てに関する情報、ＭＣＳ（Modulation and Coding scheme）に関する情報、スクランブリングアイデンティティ（スクランブリング識別子とも呼称される）に関する情報、参照信号系列アイデンティティ（ベースシーケンスアイデンティティ、ベースシーケンス識別子、ベースシーケンスインデックスとも呼称される）に関する情報などが含まれる。
【０１１６】
以下では、ＰＤＣＣＨの詳細が説明される。ＰＤＣＣＨ（第１の制御チャネル）は、複数の制御チャネルエレメント（ＣＣＥ；Control Channel Element）により構成される。各下りリンクコンポーネントキャリアで用いられるＣＣＥの数は、下りリンクコンポーネントキャリア帯域幅と、ＰＤＣＣＨを構成するＯＦＤＭシンボル数と、通信に用いる基地局装置３の送信アンテナの数に応じた下りリンクのセル固有参照信号の送信アンテナポート数に依存する。ＣＣＥは、複数の下りリンクリソースエレメント（１つのＯＦＤＭシンボルおよび１つのサブキャリアで規定されるリソース）により構成される。
【０１１７】
基地局装置３と移動局装置１との間で用いられるＣＣＥには、ＣＣＥを識別するための番号が付与されている。ＣＣＥの番号付けは、予め決められた規則に基づいて、基地局装置３に固有に行なわれる。ＰＤＣＣＨは、１つ以上のＣＣＥにより構成される。１つのＰＤＣＣＨを構成するＣＣＥの数を、ＣＣＥ集合レベル（ＣＣＥアグリゲーションレベル）と称す。ＰＤＣＣＨを構成するＣＣＥ集合レベルは、ＰＤＣＣＨに設定される符号化率、ＰＤＣＣＨに含められるＤＣＩのビット数に応じて基地局装置３において設定される。なお、移動局装置１に対して用いられる可能性のあるＣＣＥ集合レベルの組み合わせは予め決められている。
【０１１８】
さらに、１つのＣＣＥは、周波数領域及び時間領域に分散した９個の異なるリソースエレメントグループ（ＲＥＧ）により構成される。１つのリソースエレメントグループは周波数領域の隣接する４つのリソースエレメントにより構成される。具体的には、下りリンクコンポーネントキャリア全体に対して、番号付けされた全てのリソースエレメントグループに対してブロックインタリーバを用いてリソースエレメントグループ単位でインタリーブが行なわれ、インタリーブ後の番号の連続する９個のリソースエレメントグループにより１個のＣＣＥが構成される。
【０１１９】
各端末には、ＰＤＣＣＨを探索する領域（ＳＳ；Search Space）が設定される。ＳＳは、複数のＣＣＥから構成される。最も小さいＣＣＥから番号の連続する複数のＣＣＥからＳＳは構成され、番号の連続する複数のＣＣＥの数は予め決められている。各ＣＣＥ集合レベルのＳＳは、複数のＰＤＣＣＨの候補の集合体により構成される。ＳＳは、最も小さいＣＣＥから番号がセル内で共通であるＣＳＳ（Cell-specific SS）と、最も小さいＣＣＥから番号が端末固有であるＵＳＳ（UE-specific SS）とに分類される。ＣＳＳには、システム情報あるいはページングに関する情報など、複数の端末が読む制御情報が割り当てられたＰＤＣＣＨ、あるいは下位の送信方式へのフォールバックやランダムアクセスの指示を示す下りリンク／上りリンクグラントが割り当てられたＰＤＣＣＨを配置することができる。
【０１２０】
基地局装置３は、移動局装置１において設定されるＳＳ内の１個以上のＣＣＥを用いてＰＤＣＣＨを送信する。移動局装置１は、ＳＳ内の１個以上のＣＣＥを用いて受信信号の復号を行ない、自身宛てのＰＤＣＣＨを検出するための処理を行なう（ブラインドデコーディングと呼称される）。移動局装置１は、ＣＣＥ集合レベル毎に異なるＳＳを設定する。その後、移動局装置１は、ＣＣＥ集合レベル毎に異なるＳＳ内の予め決められた組み合わせのＣＣＥを用いてブラインドデコーディングを行う。言い換えると、移動局装置１は、ＣＣＥ集合レベル毎に異なるＳＳ内の各ＰＤＣＣＨの候補に対してブラインドデコーディングを行う。移動局装置１におけるこの一連の処理をＰＤＣＣＨのモニタリングという。
【０１２１】
以下では、ＥＰＤＣＣＨの詳細が説明される。ＥＰＤＣＣＨは、ＰＤＣＣＨと同様に、ＤＣＩ（Downlink control information）を通知するために用いられる。
【０１２２】
ＥＰＤＣＣＨは、１つ以上のＥＣＣＥ（Enhanced control channel element）の集合を用いて送信される。それぞれのＥＣＣＥは、複数のＥＲＥＧ（Enhanced resource element group）で構成される。ＥＲＥＧは、ＥＰＤＣＣＨのリソースエレメントに対するマッピングを定義するために用いられる。各ＲＢペアにおいて、０から１５に番号付けされる、１６個のＥＲＥＧが定義される。すなわち、各ＲＢペアにおいて、ＥＲＥＧ０〜ＥＲＥＧ１５が定義される。各ＲＢペアにおいて、ＥＲＥＧ０〜ＥＲＥＧ１５は、所定の信号および／またはチャネルがマッピングされるリソースエレメント以外のリソースエレメントに対して、周波数方向を優先して、周期的に定義される。例えば、アンテナポート１０７〜１１０で送信されるＥＰＤＣＣＨに関連付けられる復調用参照信号がマッピングされるリソースエレメントは、ＥＲＥＧを定義しない。
【０１２３】
１つのＥＰＤＣＣＨに用いられるＥＣＣＥの数は、ＥＰＤＣＣＨフォーマットに依存し、他のパラメータに基づいて決定される。１つのＥＰＤＣＣＨに用いられるＥＣＣＥの数は、アグリゲーションレベルとも呼称される。例えば、１つのＥＰＤＣＣＨに用いられるＥＣＣＥの数は、１つのＲＢペアにおけるＥＰＤＣＣＨ送信に用いることができるリソースエレメントの数、ＥＰＤＣＣＨの送信方法などに基づいて、決定される。例えば、１つのＥＰＤＣＣＨに用いられるＥＣＣＥの数は、１、２、４、８、１６または３２である。また、１つのＥＣＣＥに用いられるＥＲＥＧの数は、サブフレームの種類およびサイクリックプレフィックスの種類に基づいて決定され、４または８である。ＥＰＤＣＣＨの送信方法として、分散送信（Distributed transmission）および局所送信（Localized transmission）がサポートされる。
【０１２４】
ＥＰＤＣＣＨは、分散送信または局所送信を用いることができる。分散送信および局所送信は、ＥＲＥＧおよびＲＢペアに対するＥＣＣＥのマッピングが異なる。例えば、分散送信において、１つのＥＣＣＥは、複数のＲＢペアのＥＲＥＧを用いて構成される。局所送信において、１つのＥＣＣＥは、１つのＲＢペアのＥＲＥＧを用いて構成される。
【０１２５】
基地局装置３は、移動局装置１に対して、ＥＰＤＣＣＨに関する設定を行う。移動局装置１は、基地局装置３からの設定に基づいて、複数のＥＰＤＣＣＨをモニタリングする。移動局装置１がＥＰＤＣＣＨをモニタリングするＲＢペアのセットが、設定されることができる。そのＲＢペアのセットは、ＥＰＤＣＣＨセットまたはＥＰＤＣＣＨ−ＰＲＢセットとも呼称される。１つの移動局装置１に対して、１つ以上のＥＰＤＣＣＨセットが設定できる。各ＥＰＤＣＣＨセットは、１つ以上のＲＢペアで構成される。また、ＥＰＤＣＣＨに関する設定は、ＥＰＤＣＣＨセット毎に個別に行うことができる。
【０１２６】
基地局装置３は、移動局装置１に対して、所定数のＥＰＤＣＣＨセットを設定できる。例えば、２つまでのＥＰＤＣＣＨセットが、ＥＰＤＣＣＨセット０および／またはＥＰＤＣＣＨセット１として、設定できる。ＥＰＤＣＣＨセットのそれぞれは、所定数のＲＢペアで構成できる。各ＥＰＤＣＣＨセットは、複数のＥＣＣＥの１つのセットを構成する。１つのＥＰＤＣＣＨセットに構成されるＥＣＣＥの数は、そのＥＰＤＣＣＨセットとして設定されるＲＢペアの数、および、１つのＥＣＣＥに用いられるＥＲＥＧの数に基づいて、決定される。１つのＥＰＤＣＣＨセットに構成されるＥＣＣＥの数がＮである場合、各ＥＰＤＣＣＨセットは、０〜Ｎ−１で番号付けされたＥＣＣＥを構成する。例えば、１つのＥＣＣＥに用いられるＥＲＥＧの数が４である場合、４つのＲＢペアで構成されるＥＰＤＣＣＨセットは１６個のＥＣＣＥを構成する。
【０１２７】
移動局装置１がモニタリングするＥＰＤＣＣＨの候補は、ＥＰＤＣＣＨセットに構成されるＥＣＣＥに基づいて、定義される。ＥＰＤＣＣＨの候補のセットは、サーチスペース（探索領域）として定義される。移動局装置１に固有のサーチスペースである端末固有サーチスペース、および、基地局装置３（セル、送信点、ＵＥグループ）に固有のサーチスペースである共通サーチスペースが、定義される。ＥＰＤＣＣＨのモニタリングは、モニタリングされるＤＣＩフォーマットに従って、移動局装置１がサーチスペース内のＥＰＤＣＣＨの候補のそれぞれに対して復号を試みることを含む。
【０１２８】
図９は、ＰＤＣＣＨ／ＥＰＤＣＣＨサーチスペースの一例を示す図である。図９では、１６個のＣＣＥ／ＥＣＣＥで構成される場合において、アグリゲーションレベルＬが１、２、４および８の場合のサーチスペースの一例を示す。この例では、アグリゲーションレベルＬが１、２、４および８において、ＥＰＤＣＣＨの候補の数は、それぞれ６、５、３および２である。また、サーチスペースにおけるＰＤＣＣＨ／ＥＰＤＣＣＨの候補に対応するＣＣＥ／ＥＣＣＥは、所定のパラメータおよび所定の方法（数式）によって与えられる。例えば、サーチスペースにおけるＰＤＣＣＨ／ＥＰＤＣＣＨの候補に対応するＣＣＥ／ＥＣＣＥは、スタートインデックス、アグリゲーションレベル、および／または、所定の領域におけるＣＣＥ／ＥＣＣＥの数などを用いて決定される。
【０１２９】
スタートインデックスは、サーチスペースによって独立に設定することができる。共通サーチスペースの場合、スタートインデックスは基地局装置３（セル）に固有の値である。例えば、共通サーチスペースの場合、スタートインデックスは、予め規定された値、または、基地局装置３に固有のパラメータに基づいて決定される値である。端末固有サーチスペースの場合、スタートインデックスは、移動局装置１に固有の値である。例えば、スタートインデックスは、所定の値、サブフレームｋおよび移動局装置１のＲＮＴＩ（例えば、Ｃ−ＲＮＴＩ）に基づいて、決定される。なお、複数の共通サーチスペースおよび／または複数の端末固有サーチスペースが、１つのＥＰＤＣＣＨセットに設定されてもよい。
【０１３０】
また、例えば、スタートインデックスは、所定の値、サブフレームｋおよび移動局装置１のグループに固有のＲＮＴＩ（例えば、Ｇｒｏｕｐ−ＲＮＴＩ）に基づいて、決定される。移動局装置１のグループに固有のＲＮＴＩは、移動局装置１のグループに固有のＰＤＣＣＨおよびＥＰＤＣＣＨの送信に用いられる。移動局装置１のグループに固有のＰＤＣＣＨおよびＥＰＤＣＣＨは、移動局装置１のグループに固有の制御情報を送信できる。また、移動局装置１のグループに固有のＲＮＴＩに基づくスタートインデックスは、移動局装置１のグループに固有のサーチスペースを設定することができる。そのため、基地局装置３は、複数の移動局装置で共通のサーチスペースに、複数の移動局装置に対する制御チャネルをマッピングできるため、制御情報を送信するためのオーバーヘッドが低減できる。例えば、移動局装置１のグループに固有の制御情報は、ＴＤＤ方式における上りリンク−下りリンク設定に関する情報である。また、Ｇｒｏｕｐ−ＲＮＴＩは、移動局装置１に固有の情報として、ＲＲＣシグナリングにより設定できる。また、Ｇｒｏｕｐ−ＲＮＴＩに基づくサーチスペースは、ＵＥグループ固有サーチスペース（ＧＳＳ）とも呼称される。
【０１３１】
なお、サーチスペースはそれぞれのアグリゲーションにおいて設定されるが、以下の説明では、それぞれのアグリゲーションにおけるサーチスペースのセットは、単にサーチスペースとも呼称される。すなわち、以下の説明において、サーチスペースは、サーチスペースのセットも含まれる。
【０１３２】
以下では、サブフレーム設定の詳細が説明される。
【０１３３】
例えば、サブフレーム設定は、サブフレーム毎のサブフレームの種類に関する設定である。サブフレームの種類は、下りリンクサブフレーム、上りリンクサブフレーム、スペシャルサブフレーム、フレキシブルサブフレームを含む。以下の説明において、下りリンクサブフレームはＤとも呼称され、上りリンクサブフレームはＵとも呼称され、スペシャルサブフレームはＳとも呼称され、フレキシブルサブフレームはＦとも呼称される。
【０１３４】
サブフレーム設定は、様々な形式またはフォーマットの情報を用いて行うことができる。例えば、サブフレーム設定は、サブフレーム毎に対して、明示的または黙示的な情報を用いて行うことができる。また、サブフレーム設定は、所定数のサブフレームに対して、明示的または黙示的な情報を用いて行うことができる。また、サブフレーム設定は、予め規定された複数種類のサブフレーム設定に対応する情報を用いて行うことができる。
【０１３５】
図１０は、上りリンク−下りリンク設定の一例である。図１０では、サブフレーム設定として、上りリンク−下りリンク設定が用いられる。７種類の上りリンク−下りリンク設定が予め規定され、それぞれの上りリンク−下りリンク設定に対応する番号（インデックス）が割り振られている。それぞれの上りリンク−下りリンク設定では、１つの無線フレームにおける１０個のサブフレームに対して、サブフレームの種類が規定される。例えば、基地局装置３が移動局装置１に上りリンク−下りリンク設定の番号を通知することにより、基地局装置３は移動局装置１に当該無線フレームにおける上りリンク−下りリンク設定を行うことができる。また、移動局装置１が基地局装置３から上りリンク−下りリンク設定の番号を通知されることにより、移動局装置１は基地局装置３から当該無線フレームにおける上りリンク−下りリンク設定が行われることができる。
【０１３６】
上りリンク−下りリンク設定は、無線フレーム内におけるサブフレームのパターンに関する設定である。上りリンク−下りリンク設定は、無線フレーム内におけるサブフレームのそれぞれが、下りリンクサブフレーム、上りリンクサブフレーム、および、スペシャルサブフレームの何れであるかを示す。
【０１３７】
下りリンクサブフレーム、上りリンクサブフレーム、および、スペシャルサブフレームのパターンとは、サブフレーム＃０から＃９のそれぞれが、下りリンクサブフレーム、上りリンクサブフレーム、および、スペシャルサブフレームのいずれであるかを示すものであり、好ましくは、ＤとＵとＳの長さ１０となる任意の組み合わせで表現される。より好ましくは、先頭（つまりサブフレーム＃０）がＤで、２番目（つまりサブフレーム＃１）がＳである。
【０１３８】
図１０において、無線フレーム内のサブフレーム１は、常にスペシャルサブフレームである。図１０において、サブフレーム０と５は常に下りリンク送信のためにリザーブされ、サブフレーム２は常に上りリンク送信のためにリザーブされる。図１０において、下りリンク−上りリンク・スイッチポイント周期が５ｍｓの場合に、無線フレーム内のサブフレーム６はスペシャルサブフレームであり、下りリンク−上りリンク・スイッチポイント周期が１０ｍｓの場合に、無線フレーム内のサブフレーム６は下りリンクサブフレームである。
【０１３９】
基地局装置３は、移動局装置１に、所定のサブフレームにおけるサブフレーム設定を行う。移動局装置１は、基地局装置３から設定されたサブフレーム設定に基づいて、ＰＤＣＣＨおよび／またはＥＰＤＣＣＨを含む制御チャネルをモニタリングする。
【０１４０】
サブフレーム設定は、様々な方法または制御情報を用いて行われることができる。例えば、サブフレーム設定は、１つ以上の上りリンク−下りリンク設定、および／または、１つ以上の制御チャネルサブフレーム設定などを用いて行われる。また、サブフレーム設定に用いられる制御情報は、基地局装置３または移動局装置１に固有の情報として送信できる。サブフレーム設定に用いられる制御情報のそれぞれは、ＰＤＣＣＨ、ＥＰＤＣＣＨ、ＭＩＢ、ＳＩＢ、および／またはＲＲＣなど、様々な方法を用いて送信できる。制御チャネルサブフレーム設定は、Ｇｒｏｕｐ−ＲＮＴＩでスクランブルされたＣＲＣ（Cyclic Redundancy Check）を有するＰＤＣＣＨおよび／またはＥＰＤＣＣＨで通知できる。制御チャネルサブフレーム設定を通知するために用いられるＰＤＣＣＨおよび／またはＥＰＤＣＣＨは、Ｇｒｏｕｐ−ＲＮＴＩに少なくとも基づいて設定されるサーチスペースに割り当てることができる。例えば、制御チャネルサブフレーム設定は、所定のサブフレームに対するビットマップ形式の情報、または、上りリンク−下りリンク設定と同様の形式の情報である。例えば、制御チャネルサブフレーム設定は、ＰＤＣＣＨおよび／またはＥＰＤＣＣＨのモニタリングに関する設定である。制御チャネルサブフレーム設定は、移動局装置１がＰＤＣＣＨおよび／またはＥＰＤＣＣＨをモニタリングするサブフレームとモニタリングしないサブフレームを示す情報である。制御チャネルサブフレーム設定は、送信方向ＵＬ−ＤＬ設定とも呼称される。制御チャネルサブフレーム設定は、移動局装置１に、ＰＤＣＣＨおよび／またはＥＰＤＣＣＨを検出する（モニタリングする）下りリンクサブフレームを少なくとも通知するために用いられる。また、制御チャネルサブフレーム設定は、移動局装置１に、伝送路状況情報（ＣＳＩ）を測定する下りリンクサブフレームを通知するために用いられてもよい。
【０１４１】
制御チャネルのモニタリングは、サブフレーム設定に基づいて切り替える（決定される）ことができる。例えば、制御チャネルのモニタリングにおいて、第１のモニタリングと第２のモニタリングは、サブフレーム設定に基づいて切り替えることができる。サブフレーム設定に基づいて決定される制御チャネルのモニタリングは、様々な方法または規則を用いて行われることができる。
【０１４２】
制御チャネルのモニタリングは、異なる制御チャネルおよび／または異なるサーチスペースを切り替えることができる。例えば、制御チャネルのモニタリングにおいて、ＰＤＣＣＨまたはＥＰＤＣＣＨが決定される。制御チャネルのモニタリングにおいて、ＰＤＣＣＨサーチスペース（ＰＤＣＣＨ−ＳＳ）またはＥＰＤＣＣＨサーチスペース（ＥＰＤＣＣＨ−ＳＳ）が決定される。制御チャネルのモニタリングにおいて、ＣＳＳ、ＵＳＳおよび／またはＧＳＳが決定される。制御チャネルのモニタリングにおいて、ＰＤＣＣＨをモニタリングするための共通サーチスペースであるＰＤＣＣＨ−ＣＳＳ、ＰＤＣＣＨをモニタリングするためのＵＥ固有サーチスペースであるＰＤＣＣＨ−ＵＳＳ、ＥＰＤＣＣＨをモニタリングするための共通サーチスペースであるＥＰＤＣＣＨ−ＣＳＳ、ＥＰＤＣＣＨをモニタリングするためのＵＥ固有サーチスペースであるＥＰＤＣＣＨ−ＵＳＳ、ＰＤＣＣＨをモニタリングするためのＵＥグループ固有サーチスペースであるＰＤＣＣＨ−ＧＳＳ、および／または、ＥＰＤＣＣＨをモニタリングするためのＵＥグループ固有サーチスペースであるＥＰＤＣＣＨ−ＧＳＳが決定される。ＥＰＤＣＣＨ−ＳＳは、ＥＰＤＣＣＨ−ＣＳＳ、ＥＰＤＣＣＨ−ＵＳＳおよびＥＰＤＣＣＨ−ＧＳＳを含む。ＰＤＣＣＨ−ＳＳは、ＰＤＣＣＨ−ＣＳＳ、ＰＤＣＣＨ−ＵＳＳおよびＰＤＣＣＨ−ＧＳＳを含む。
【０１４３】
ＣＳＳは、基地局装置３（セル、送信点）に固有のパラメータおよび／または予め規定されたパラメータを用いて設定されるサーチスペースである。例えば、ＣＳＳは、複数の移動局装置で共通に用いることができるサーチスペースである。基地局装置３は、複数の移動局装置で共通の制御チャネルをＣＳＳにマッピングすることにより、制御チャネルを送信するためのリソースのオーバーヘッドが低減できる。ＵＳＳは、少なくとも移動局装置１に固有のパラメータを用いて設定されるサーチスペースである。ＵＳＳは、移動局装置１に固有の制御チャネルを個別に送信することができるため、基地局装置３は移動局装置１に対して効率的に制御できる。ＧＳＳは、移動局装置１のグループに固有のパラメータを用いて設定されるサーチスペースである。ＧＳＳは、移動局装置１のグループに固有の制御チャネルを移動局装置１のグループに送信することができるため、基地局装置３は移動局装置１に対して効率的に制御できる。なお、ＧＳＳの設定に用いられる移動局装置１のグループに固有のＲＮＴＩ（Ｇｒｏｕｐ−ＲＮＴＩ）が、移動局装置１に固有の情報として設定される場合、移動局装置１はそのＧＳＳをＵＳＳとして見なすことができる。すなわち、移動局装置１は、Ｃ−ＲＮＴＩに基づくＵＳＳと、Ｇｒｏｕｐ−ＲＮＴＩに基づくＵＳＳとが設定されることができる。
【０１４４】
制御チャネルのモニタリングにおいて、同じ制御チャネルおよび／または同じサーチスペースに対して、独立に設定された設定がさらに切り替えられることができる。ここで、設定は、モニタリングされる制御チャネルに対する処理または設定である。なお、設定は、予め規定された設定も含まれる。複数の設定が設定または規定され、それらの設定が独立である場合、モニタリングされる制御チャネルに対する処理または設定は互いに独立である。設定１（第１の設定）および設定２（第２の設定）は、それぞれモニタリングされる制御チャネルに対する、第１の処理または設定および第２の処理または設定に対応する。設定１のモニタリングおよび設定２のモニタリングは、それぞれ異なるモニタリングとすることができ、第１のモニタリングおよび第２のモニタリングとも呼称される。例えば、独立に設定された設定は、モニタリングされる制御チャネルのリソースエレメントに対するマッピングをそれぞれ独立に処理する。設定１および設定２は、それぞれモニタリングされる制御チャネルのリソースエレメントに対する、第１のマッピングおよび第２のマッピングに対応する。また、同じ制御チャネルおよび／または同じサーチスペースに対して、独立に設定された設定に対応する制御チャネルのモニタリングは、独立のモニタリングとして見なすことができる。すなわち、制御チャネルのモニタリングは、同じ制御チャネルおよび／または同じサーチスペースに対して、独立に設定された設定を切り替えることができる。
【０１４５】
制御チャネルのモニタリングは、異なる制御チャネル、異なるサーチスペースおよび／または異なる設定を切り替えることができる。異なる制御チャネル、異なるサーチスペースおよび／または異なる設定に対応する、制御チャネルのモニタリングにおいて、その制御チャネルに対する処理または設定はそれぞれ異なることができる。例えば、制御チャネルのモニタリングが異なる場合、それらのモニタリングにおいて、モニタリングされる制御チャネルのリソースエレメントに対するマッピング（マッピング方法、マッピング規則）が異なることができる。具体的には、異なるマッピングは、制御チャネルのマッピングに用いられないリソースエレメントと、その設定または規定が異なる。制御チャネルのマッピングに用いられないリソースエレメントは、ＣＲＳ、ＮＺＰ  ＣＳＩ−ＲＳ、ＺＰ  ＣＳＩ−ＲＳ、ＲＢペアにおけるスタートシンボルより前の領域などである。
【０１４６】
モニタリングされる制御チャネルに対する処理または設定は、様々な方法または想定を用いて行われることができる。モニタリングされる制御チャネルに対する処理または設定は、制御チャネルのモニタリングに基づいて、決定または切り替えできる。例えば、モニタリングされる制御チャネルに対する処理または設定は、その制御チャネルに対する復調処理および／または復号処理を行うためのパラメータである。例えば、モニタリングされる制御チャネルに対する処理または設定は、その制御チャネルでスケジューリングされたＰＤＳＣＨに対する応答信号である。
【０１４７】
移動局装置１は、基地局装置３により、サブフレーム設定が行われる。移動局装置１は、そのサブフレーム設定に基づいて、制御チャネルのモニタリングを決定する。移動局装置１は、その制御チャネルのモニタリングに少なくとも基づいて、モニタリングされる制御チャネルに対する処理または設定を決定する。第１のモニタリングが決定された場合、移動局装置１は、モニタリングされる制御チャネルに対して、第１の処理または設定を決定する。第２のモニタリングが決定された場合、移動局装置１は、モニタリングされる制御チャネルに対して、第２の処理または設定を決定する。移動局装置１は、決定された処理または設定に基づいて、制御チャネルをモニタリングする。
【０１４８】
基地局装置３は、移動局装置１に、サブフレーム設定を行なう。基地局装置３は、移動局装置１に行ったサブフレーム設定に基づいて、移動局装置１における制御チャネルのモニタリングを決定する。基地局装置３は、移動局装置１に対して決定される制御チャネルのモニタリングに基づいて、移動局装置１の制御チャネルに対する処理または設定を決定する。移動局装置１に対して第１のモニタリングが決定される場合、基地局装置３は、移動局装置１の制御チャネルに対して、第１の処理または設定を決定する。移動局装置１に対して第２のモニタリングが決定される場合、基地局装置３は、移動局装置１の制御チャネルに対して、第２の処理または設定を決定する。基地局装置３は、決定された制御チャネルに対する処理または設定に基づいて、移動局装置１の制御チャネルを物理リソースまたは論理リソースにマッピングする。
【０１４９】
なお、制御チャネルのモニタリング、および、モニタリングされる制御チャネルに対する処理または設定が３つ以上設定または規定されてもよい。
【０１５０】
サブフレーム設定の一例は、１つの上りリンク−下りリンク設定と、１つの制御チャネルサブフレーム設定とを用いて行われる。例えば、上りリンク−下りリンク設定は、基地局装置３（セル）に固有の設定として、ＳＩＢを通じて設定される。制御チャネルサブフレーム設定は、移動局装置１に固有の設定として、ＲＲＣシグナリングを通じて設定される。制御チャネルサブフレーム設定は、複数の移動局装置１のグループに固有の設定として、ＰＤＣＣＨ、ＥＰＤＣＣＨまたはＲＲＣシグナリングを通じて設定される。なお、制御チャネルサブフレーム設定は、基地局装置３（セル）に固有の設定として、設定されてもよい。
【０１５１】
サブフレーム設定の一例は、２つの上りリンク−下りリンク設定を用いて行われる。例えば、上りリンク−下りリンク設定１（ＵＬ／ＤＬ設定１）は、基地局装置３（セル）に固有の設定として、ＳＩＢを通じて設定される。上りリンク−下りリンク設定２（ＵＬ／ＤＬ設定２）は、移動局装置１に固有の設定として、ＲＲＣシグナリングを通じて設定される。上りリンク−下りリンク設定２は、複数の移動局装置１のグループに固有の設定として、ＰＤＣＣＨ、ＥＰＤＣＣＨまたはＲＲＣシグナリングを通じて設定されてもよい。また、上りリンク−下りリンク設定１は、上りリンク参照ＵＬ−ＤＬ設定であってもよい。上りリンク−下りリンク設定２は、下りリンク参照ＵＬ−ＤＬ設定であってもよい。
【０１５２】
サブフレーム設定の一例は、１つの上りリンク−下りリンク設定と、２つの制御チャネルサブフレーム設定とを用いて行われる。例えば、上りリンク−下りリンク設定は、基地局装置３（セル）に固有の設定として、ＳＩＢを通じて設定される。制御チャネルサブフレーム設定１および／または制御チャネルサブフレーム設定２は、移動局装置１に固有の設定として、ＲＲＣシグナリングを通じて設定される。制御チャネルサブフレーム設定１および／または制御チャネルサブフレーム設定２は、複数の移動局装置１のグループに固有の設定として、ＰＤＣＣＨ、ＥＰＤＣＣＨまたはＲＲＣシグナリングを通じて設定される。なお、制御チャネルサブフレーム設定１および／または制御チャネルサブフレーム設定２は、基地局装置３（セル）に固有の設定として、設定されてもよい。
【０１５３】
サブフレーム設定の一例は、２つの上りリンク−下りリンク設定と、２つの制御チャネルサブフレーム設定とを用いて行われる。例えば、上りリンク−下りリンク設定１は、基地局装置３（セル）に固有の設定として、ＳＩＢを通じて設定される。上りリンク−下りリンク設定２は、移動局装置１に固有の設定として、ＲＲＣシグナリングを通じて設定される。上りリンク−下りリンク設定２は、複数の移動局装置１のグループに固有の設定として、ＰＤＣＣＨ、ＥＰＤＣＣＨまたはＲＲＣシグナリングを通じて設定されてもよい。制御チャネルサブフレーム設定１および／または制御チャネルサブフレーム設定２は、移動局装置１に固有の設定として、ＲＲＣシグナリングを通じて設定される。制御チャネルサブフレーム設定１および／または制御チャネルサブフレーム設定２は、複数の移動局装置１のグループに固有の設定として、ＰＤＣＣＨ、ＥＰＤＣＣＨまたはＲＲＣシグナリングを通じて設定される。なお、制御チャネルサブフレーム設定１および／または制御チャネルサブフレーム設定２は、基地局装置３（セル）に固有の設定として、設定されてもよい。また、上りリンク−下りリンク設定１は、上りリンク参照ＵＬ−ＤＬ設定であってもよい。上りリンク−下りリンク設定２は、下りリンク参照ＵＬ−ＤＬ設定であってもよい。
【０１５４】
サブフレーム設定の一例は、２つの上りリンク−下りリンク設定と、１つのＥＰＤＣＣＨサブフレーム設定とを用いて行われる。例えば、上りリンク−下りリンク設定１は、基地局装置３（セル）に固有の設定として、ＳＩＢを通じて設定される。上りリンク−下りリンク設定２は、移動局装置１に固有の設定として、ＲＲＣシグナリングを通じて設定される。上りリンク−下りリンク設定２は、複数の移動局装置１のグループに固有の設定として、ＰＤＣＣＨ、ＥＰＤＣＣＨまたはＲＲＣシグナリングを通じて設定されてもよい。制御チャネルサブフレーム設定は、移動局装置１に固有の設定として、ＲＲＣシグナリングを通じて設定される。制御チャネルサブフレーム設定は、複数の移動局装置１のグループに固有の設定として、ＰＤＣＣＨ、ＥＰＤＣＣＨまたはＲＲＣシグナリングを通じて設定される。なお、制御チャネルサブフレーム設定は、基地局装置３（セル）に固有の設定として、設定されてもよい。なお、上りリンク−下りリンク設定２は、移動局装置１に固有の設定として、ＲＲＣシグナリングを通じて設定されてもよい。また、上りリンク−下りリンク設定１は、上りリンク参照ＵＬ−ＤＬ設定であってもよい。上りリンク−下りリンク設定２は、下りリンク参照ＵＬ−ＤＬ設定であってもよい。
【０１５５】
なお、上りリンク−下りリンク設定１および上りリンク−下りリンク設定２の一方がＤまたはＳであり、もう一方がＵであるサブフレームは、フレキシブルサブフレームとも呼称される。例えば、フレキシブルサブフレームは、上りリンクサブフレームまたは下りリンクサブフレームを動的に切り替えることができるサブフレームである。すなわち、基地局装置３は、通信の負荷を考慮して、フレキシブルサブフレームを、上りリンクサブフレームまたは下りリンクサブフレームとして、動的に決定できる。そのため、基地局装置３は効率的な通信を実現できる。例えば、移動局装置１は、フレキシブルサブフレームにおいて、制御チャネルのモニタリングを行う場合、そのサブフレームを下りリンクサブフレームとして認識するかもしれない。移動局装置１は、フレキシブルサブフレームにおいて、上りリンクチャネルおよび／または上りリンク信号の送信が指示された場合、そのサブフレームを上りリンクサブフレームとして認識するかもしれない。移動局装置１は、フレキシブルサブフレームにおいて、上りリンクサブフレームとして認識した場合、そのサブフレームでは制御チャネルのモニタリングは行わないように設定または規定されることができる。なお、上りリンク−下りリンク設定１および上りリンク−下りリンク設定２の一方がＤまたはＳであり、もう一方がＤまたはＳであるサブフレームは、固定サブフレームとも呼称される。
【０１５６】
また、フレキシブルサブフレームにおいて、フレキシブルサブフレームを認識できない従来の移動局装置は上りリンクサブフレームと認識することができる。フレキシブルサブフレームを認識できない従来の移動局装置は、そのサブフレームにおいて、上りリンクチャネルおよび／または上りリンク信号が指示されない場合、その移動局装置は送受信処理を行わないかもしれない。それにより、フレキシブルサブフレームを用いる基地局装置３は、フレキシブルサブフレームを認識できる移動局装置と、フレキシブルサブフレームを認識できない移動局装置とに対して、通信を実現できる。
【０１５７】
サブフレーム設定（上りリンク−下りリンク設定）は、上りリンク参照ＵＬ−ＤＬ設定、下りリンク参照ＵＬ−ＤＬ設定、および／または、送信方向ＵＬ−ＤＬ設定（制御チャネルサブフレーム設定）を用いて、設定されることができる。以下、上りリンク参照ＵＬ−ＤＬ設定、下りリンク参照ＵＬ−ＤＬ設定、および、送信方向ＵＬ−ＤＬ設定について説明する。
【０１５８】
上りリンク参照ＵＬ−ＤＬ設定、下りリンク参照ＵＬ−ＤＬ設定、および、送信方向ＵＬ−ＤＬ設定は、上りリンク−下りリンク設定（uplink-downlink configuration, UL-DL configuration）によって定義される。
【０１５９】
つまり、上りリンク参照ＵＬ−ＤＬ設定、下りリンク参照ＵＬ−ＤＬ設定、および、送信方向ＵＬ−ＤＬ設定は、無線フレーム内における下りリンクサブフレーム、上りリンクサブフレーム、および、スペシャルサブフレームのパターンによって定義される。
【０１６０】
上りリンク参照ＵＬ−ＤＬ設定は、第１のパラメータ、第１の設定、または、サービングセル上りリンク−下りリンク設定とも称される。下りリンク参照ＵＬ−ＤＬ設定は、第２のパラメータ、または、第２の設定とも称される。送信方向ＵＬ−ＤＬ設定は、第３のパラメータまたは第３の設定とも称される。
【０１６１】
上りリンク参照ＵＬ−ＤＬ設定として上りリンク−下りリンク設定ｉがセットされることは、上りリンク参照ＵＬ−ＤＬ設定ｉがセットされるとも称される。下りリンク参照ＵＬ−ＤＬ設定として上りリンク−下りリンク設定ｉがセットされることは、下りリンク参照ＵＬ−ＤＬ設定ｉがセットされるとも称される。送信方向ＵＬ−ＤＬ設定として上りリンク−下りリンク設定ｉがセットされることは、送信方向ＵＬ−ＤＬ設定ｉがセットされるとも称される。
【０１６２】
以下、上りリンク参照ＵＬ−ＤＬ設定、下りリンク参照ＵＬ−ＤＬ設定、および、送信方向ＵＬ−ＤＬ設定にセッティング方法ついて説明する。
【０１６３】
基地局装置３は、上りリンク参照ＵＬ−ＤＬ設定、下りリンク参照ＵＬ−ＤＬ設定、および、送信方向ＵＬ−ＤＬ設定をセットする。基地局装置３は、上りリンク参照ＵＬ−ＤＬ設定を示す第１の情報（TDD-Config）、下りリンク参照ＵＬ−ＤＬ設定を示す第２の情報、および、送信方向ＵＬ−ＤＬ設定を示す第３の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の少なくとも１つに含めて送信してもよい。また、基地局装置３は、状況に応じて、第１の情報、第２の情報、および、第３の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の何れかに含めてもよい。
【０１６４】
複数のサービングセルのそれぞれに対して、上りリンク参照ＵＬ−ＤＬ設定、下りリンク参照ＵＬ−ＤＬ設定、および、送信方向ＵＬ−ＤＬ設定が定義されてもよい。
【０１６５】
基地局装置３は、サービングセルのそれぞれに対する、第１の情報、第２の情報、および、第３の情報を、複数のサービングセルが設定された移動局装置１に送信する。なお、、サービングセルのそれぞれに対して、第１の情報、第２の情報、および、第３の情報が定義されてもよい。
【０１６６】
基地局装置３は、１つのプライマリーセルおよび１つのセカンダリーセルから構成される２つのサービングセルが設定された移動局装置１に対して、プライマリーセルに対する第１の情報、プライマリーセルに対する第２の情報、プライマリーセルに対する第３の情報、セカンダリーセルに対する第１の情報、セカンダリーセルに対する第２の情報、および、セカンダリーセルに対する第３の情報を送信してもよい。
【０１６７】
複数のサービングセルが設定された移動局装置１は、サービングセルのそれぞれに対して、第１の情報、第２の情報、および、第３の情報に基づいて、上りリンク参照ＵＬ−ＤＬ設定、下りリンク参照ＵＬ−ＤＬ設定、および、送信方向ＵＬ−ＤＬ設定をセットしてもよい。
【０１６８】
１つのプライマリーセルおよび１つのセカンダリーセルから構成される２つのサービングセルが設定された移動局装置１は、プライマリーセルに対する上りリンク参照ＵＬ−ＤＬ設定、プライマリーセルに対する下りリンク参照ＵＬ−ＤＬ設定、プライマリーセルに対する送信方向ＵＬ−ＤＬ設定、セカンダリーセルに対する上りリンク参照ＵＬ−ＤＬ設定、セカンダリーセルに対する下りリンク参照ＵＬ−ＤＬ設定、セカンダリーセルに対する送信方向ＵＬ−ＤＬ設定をセットしてもよい。
【０１６９】
プライマリーセルに対する第１の情報は、システムインフォメーションブロックタイプ１メッセージ、または、ＲＲＣメッセージに含まれることが好ましい。セカンダリーセルに対する第１の情報は、ＲＲＣメッセージに含まれることが好ましい。プライマリーセルに対する第２の情報は、システムインフォメーションブロックタイプ１メッセージ、システムインフォメーションメッセージ、または、ＲＲＣメッセージに含まれることが好ましい。セカンダリーセルに対する第２の情報は、ＲＲＣメッセージに含まれることが好ましい。第３の情報は、物理層の制御情報（例えば、ＤＣＩフォーマット）に含まれることが好ましい。
【０１７０】
第１の情報は、セル内の複数の移動局装置１に対して共通であることが好ましい。第２の情報は、セル内の複数の移動局装置１に対して共通であってもよいし、移動局装置１に対して専用であってもよい。第３の情報は、セル内の複数の移動局装置１に対して共通であってもよいし、移動局装置１に対して専用であってもよい。
【０１７１】
システムインフォメーションブロックタイプ１メッセージは、SFN mod 8 = 0を満たす無線フレームのサブフレーム５においてＰＤＳＣＨを介して初期送信が行われ、SFN mod 2= 0を満たす他の無線フレームにおけるサブフレーム５において再送信（repetition）が行なわれる。システムインフォメーションブロックタイプ１メッセージは、スペシャルサブフレームの構成（ＤｗＰＴＳ、ＧＰ、およびＵｐＰＴＳの長さ）を示す情報を含む。システムインフォメーションブロックタイプ１メッセージは、セル固有の情報である。
【０１７２】
システムインフォメーションメッセージは、ＰＤＳＣＨを介して伝送される。システムインフォメーションメッセージは、セル固有の情報である。システムインフォメーションメッセージは、システムインフォメーションブロックタイプ１以外のシステムインフォメーションブロックＸを含む。
【０１７３】
ＲＲＣメッセージはＰＤＳＣＨを介して伝送される。ＲＲＣメッセージは、ＲＲＣ層において処理される情報／信号である。ＲＲＣメッセージは、セル内の複数の移動局装置１に対して共通であってもよいし、特定の移動局装置１に対して専用であってもよい。
【０１７４】
ＭＡＣ  ＣＥはＰＤＳＣＨを介して送信される。ＭＡＣ  ＣＥは、ＭＡＣ層において処理される情報／信号である。
【０１７５】
移動局装置１は、複数のサービングセルのそれぞれに対して、所定のセッティング方法を実行する。移動局装置１は、あるサービングセルに対して、第１の情報に基づいて上りリンク参照ＵＬ−ＤＬ設定をセットする。移動局装置１は、該あるサービングセルに対する第２の情報を受信しているかどうかを判断する。移動局装置１は、該あるサービングセルに対する第２の情報を受信している場合は、該あるサービングセルに対して、該あるサービングセルに対する第２の情報に基づいて下りリンク参照ＵＬ−ＤＬ設定をセットする。移動局装置１は、該あるサービングセルに対する第２の情報を受信していない場合は（else/otherwise）、該あるサービングセルに対して、該あるサービングセルに対する第１の情報に基づいて下りリンク参照ＵＬ−ＤＬ設定をセットする。
【０１７６】
第１の情報に基づいて上りリンク参照ＵＬ−ＤＬ設定および下りリンク参照ＵＬ−ＤＬ設定がセットされているサービングセルを、ダイナミックＴＤＤが設定されていないサービングセルとも称する。第２の情報に基づいて下りリンク参照ＵＬ−ＤＬ設定がセットされているサービングセルを、ダイナミックＴＤＤが設定されているサービングセルとも称する。
【０１７７】
移動局装置１は、第２の情報を受信し、第２の情報に基づき上りリンクの信号の送信が可能なサブフレームを判断する。次に、移動局装置１は、第３の情報を監視する。移動局装置１は、第３の情報を受信した場合に、第３の情報に基づき上りリンクの信号の送信が可能なサブフレームを判断する。
【０１７８】
以下、上りリンク参照ＵＬ−ＤＬ設定について説明する。
【０１７９】
上りリンク参照ＵＬ−ＤＬ設定は、サービングセルにおいて、上りリンクの送信が可能または不可能なサブフレームを特定するために少なくとも用いられる。
【０１８０】
移動局装置１は、上りリンク参照ＵＬ−ＤＬ設定によって下りリンクサブフレームとして指示されたサブフレームにおいて上りリンクの送信を行なわない。移動局装置１は、上りリンク参照ＵＬ−ＤＬ設定によってスペシャルサブフレームとして指示されたサブフレームのＤｗＰＴＳおよびＧＰにおいて上りリンクの送信を行なわない。
【０１８１】
以下、下りリンク参照ＵＬ−ＤＬ設定について説明する。
【０１８２】
下りリンク参照ＵＬ−ＤＬ設定は、サービングセルにおいて、下りリンクの送信が可能または不可能なサブフレームを特定するために少なくとも用いられる。
【０１８３】
移動局装置１は、下りリンク参照ＵＬ−ＤＬ設定によって上りリンクサブフレームとして指示されたサブフレームにおいて下りリンクの送信を行なわない。移動局装置１は、下りリンク参照ＵＬ−ＤＬ設定によってスペシャルサブフレームとして指示されたサブフレームのＵｐＰＴＳおよびＧＰにおいて下りリンクの送信を行なわない。
【０１８４】
第１の情報に基づいて下りリンク参照ＵＬ−ＤＬ設定をセットしている移動局装置１は、上りリンク参照ＵＬ−ＤＬ設定または下りリンク参照ＵＬ−ＤＬ設定によって指示された下りリンクサブフレームまたはスペシャルサブフレームのＤｗＰＴＳにおいて下りリンクの信号を用いた測定（例えば、チャネル状態情報に関する測定）を行なってもよい。
【０１８５】
基地局装置３は、上りリンク参照ＵＬ−ＤＬ設定に基づいて限定される設定セット（セットの設定）の中から下りリンク参照ＵＬ−ＤＬ設定を決定する。つまり、下りリンク参照ＵＬ−ＤＬ設定は、上りリンク参照ＵＬ−ＤＬ設定に基づいて限定される設定セットにおける要素である。上りリンク参照ＵＬ−ＤＬ設定に基づいて限定される設定セットは、所定の条件を満たす上りリンク−下りリンク設定を含む。
【０１８６】
これにより、ダイナミックＴＤＤにおいて、上りリンク参照ＵＬ−ＤＬ設定によって下りリンクサブフレームと指示されたサブフレーム、および、スペシャルサブフレームのＤｗＰＴＳが上りリンクの送信のために利用されることはなくなるため、第１の情報に基づいて下りリンク参照ＵＬ−ＤＬ設定をセットしている移動局装置１が下りリンクの信号を用いた測定を適切に行なうことができるようになる。
【０１８７】
なお、、第２の情報に基づいて下りリンク参照ＵＬ−ＤＬ設定をセットしている移動局装置１も、上りリンク参照ＵＬ−ＤＬ設定によって指示された下りリンクサブフレームまたはスペシャルサブフレームのＤｗＰＴＳにおいて下りリンクの信号を用いた測定（例えば、チャネル状態情報に関する測定）を行なってもよい。
【０１８８】
上りリンク参照ＵＬ−ＤＬ設定によって上りリンクサブフレームとして指示され、下りリンク参照ＵＬ−ＤＬ設定によって下りリンクサブフレームとして指示されたサブフレームを、第１のフレキシブルサブフレームとも称する。第１のフレキシブルサブフレームは、上りリンクおよび下りリンクの送信のためにリザーブされるサブフレームである。
【０１８９】
上りリンク参照ＵＬ−ＤＬ設定によってスペシャルサブフレームとして指示され、下りリンク参照ＵＬ−ＤＬ設定によって下りリンクサブフレームとして指示されたサブフレームを、第２のフレキシブルサブフレームとも称する。第２のフレキシブルサブフレームは、下りリンクの送信のためにリザーブされるサブフレームである。第２のフレキシブルサブフレームは、ＤｗＰＴＳにおける下りリンクの送信およびＵｐＰＴＳにおける上りリンクの送信のためにリザーブされるサブフレームである。
【０１９０】
以下、送信方向ＵＬ−ＤＬ設定について詳細に説明する。
【０１９１】
移動局装置１および基地局装置３は、サブフレームにおける送信の方向（上り／下り）に関する送信方向ＵＬ−ＤＬ設定をセットする。送信方向ＵＬ−ＤＬ設定は、サブフレームにおける送信の方向を決定するために用いられる。
【０１９２】
移動局装置１は、スケジューリング情報（ＤＣＩフォーマットおよび／またはＨＡＲＱ−ＡＣＫ）、および、送信方向ＵＬ−ＤＬ設定に基づいて、第１のフレキシブルサブフレームおよび第２のフレキシブルサブフレームにおける送信を制御する。
【０１９３】
基地局装置３は、送信方向ＵＬ−ＤＬ設定を示す第３の情報を、移動局装置１に送信する。第３の情報は上りリンク送信が可能なサブフレームを指示する情報である。第３の情報は下りリンク送信が可能なサブフレームを指示する情報である。第３の情報はＵｐＰＴＳにおける上りリンク送信およびＤｗＰＴＳにおける下りリンク送信が可能なサブフレームを指示する情報である。
【０１９４】
例えば、送信方向ＵＬ−ＤＬ設定は、上りリンク参照ＵＬ−ＤＬ設定によって上りリンクサブフレームとして指示され、下りリンク参照ＵＬ−ＤＬ設定によって下りリンクサブフレームとして指示されたサブフレーム、および／または、上りリンク参照ＵＬ−ＤＬ設定によってスペシャルサブフレームとして指示され、下りリンク参照ＵＬ−ＤＬ設定によって下りリンクサブフレームとして指示されたサブフレームにおける、送信の方向を特定するために用いられる。つまり、送信方向ＵＬ−ＤＬ設定は、上りリンク参照ＵＬ−ＤＬ設定と下りリンク参照ＵＬ−ＤＬ設定とで異なるサブフレームとして指示されているサブフレームにおける、送信の方向を特定するために用いられる。
【０１９５】
異なる制御チャネル、異なるサーチスペースおよび／または異なる設定に対応する、制御チャネルのモニタリングにおいて、その制御チャネルに対する処理または設定が、それぞれ異なるまたはそれぞれ独立にできることが説明された。以下では、制御チャネルのモニタリングにおける処理または設定の別の例を説明する。なお、以下では、第１のモニタリングおよび第２のモニタリングを用いて説明するが、第１のモニタリングおよび第２のモニタリングは、異なる制御チャネル、異なるサーチスペースおよび／または異なる設定に対応する、制御チャネルのモニタリングを含む。
【０１９６】
制御チャネルのモニタリングにおける処理または設定の別の例は、ＨＡＲＱ応答情報（HARQ-ACK）のＰＵＣＣＨリソースに関する処理または設定である。ＨＡＲＱ応答情報は、制御チャネルの検出によって示されるＰＤＳＣＨ送信に対する応答情報、および、ＳＰＳ（semi-persistent scheduling）のリリース（解放、終了）を示す制御情報を含む制御チャネルに対する応答情報を含む。ＨＡＲＱ応答情報は、正常に受信したことを示すＡＣＫ、正常に受信できなかったことを示すＮＡＣＫ、および／または、送信されていない（受信していない）ことを示すＤＴＸを示す。
【０１９７】
移動局装置１は、ＰＵＣＣＨおよび／またはＰＵＳＣＨを通じて、ＨＡＲＱ応答情報を基地局装置３に送信する。基地局装置３は、ＰＵＣＣＨおよび／またはＰＵＳＣＨを通じて、移動局装置１からのＨＡＲＱ応答情報を受信する。これにより、基地局装置３は、移動局装置１がＰＤＳＣＨまたは制御チャネルを正しく受信できたか否かが分かる。
【０１９８】
次に、基地局装置３に構成されるＰＵＣＣＨリソースに関して説明する。ＨＡＲＱ応答情報は、サイクリックシフトされた擬似ＣＡＺＡＣ（Ｃｏｎｓｔａｎｔ−Ａｍｐｌｉｔｕｄｅ  Ｚｅｒｏ−ＡｕｔｏＣｏｒｒｅｌａｔｉｏｎ）系列を用いてＳＣ−ＦＤＭＡサンプル領域に拡散され、さらに符号長が４の直交符号ＯＣＣ（Ｏｒｔｈｏｇｏｎａｌ  Ｃｏｖｅｒ  Ｃｏｄｅ）を用いてスロット内の４ＳＣ−ＦＤＭＡシンボルに拡散される。また、２つの符号により拡散されたシンボルは、２つの周波数が異なるＲＢにマッピングされる。こうして、ＰＵＣＣＨリソースは、サイクリックシフト量、直交符号および／またはマッピングされるＲＢの３つの要素により規定される。なお、ＳＣ−ＦＤＭＡサンプル領域におけるサイクリックシフトは、周波数領域で一様増加する位相回転で表現することもできる。
【０１９９】
ＰＵＣＣＨの送信に用いられる上りリンク制御チャネル領域（ＰＵＣＣＨ領域）は、所定数のＲＢペアであり、上りリンクシステム帯域幅に対して両端のＲＢペアを用いて構成される。ＰＵＣＣＨの送信に用いられる物理リソースは、第１スロットと第２スロットとで異なる周波数の２つのＲＢから構成される。ＰＵＣＣＨの送信に用いられる物理リソースは、ｍ（ｍ＝０、１、２、・・・）で表される。１つのＰＵＣＣＨは、いずれかのＰＵＣＣＨの送信に用いられる物理リソースに配置される。これにより、１つのＰＵＣＣＨが、異なる周波数のリソースを用いて送信されるため、周波数ダイバーシチ効果が得られる。
【０２００】
ＰＵＣＣＨの送信のために用いられるリソースであるＰＵＣＣＨリソース（上りリンク制御チャネル論理リソース）は、直交符号、サイクリックシフト量、および／または周波数リソースを用いて規定される。例えば、ＰＵＣＣＨリソースを構成する要素は、ＯＣ０、ＯＣ１、ＯＣ２の３つの直交符号と、ＣＳ０、ＣＳ２、ＣＳ４、ＣＳ６、ＣＳ８、ＣＳ１０の６つのサイクリックシフト量と、周波数リソースを示すｍを想定した場合のＰＵＣＣＨリソースを用いることができる。ＰＵＣＣＨリソース（上りリンク制御チャネル論理リソース）を示すインデクスであるｎＰＵＣＣＨに対応して、直交符号とサイクリックシフト量とｍとの各組み合わせが一意に規定されている。ＰＵＣＣＨリソースを示すインデクスは、ＰＵＣＣＨリソース番号とも呼称される。なお、ｎＰＵＣＣＨと、直交符号とサイクリックシフト量とｍとの各組み合わせとの対応は一例であり、他の対応であってもよい。例えば、連続するｎＰＵＣＣＨ間で、サイクリックシフト量が変わるように対応させてもよいし、ｍが変わるように対応させてもよい。また、ＣＳ０、ＣＳ２、ＣＳ４、ＣＳ６、ＣＳ８、ＣＳ１０とは異なるサイクリックシフト量であるＣＳ１、ＣＳ３、ＣＳ５、ＣＳ７、ＣＳ９、ＣＳ１１を用いてもよい。また、ここではｍの値がＮＦ２以上の場合を示している。ｍがＮＦ２未満である周波数リソースは、チャネル状態情報のフィードバックのためのＰＵＣＣＨ送信に予約されたＮＦ２個の周波数リソースである。
【０２０１】
次に、ＨＡＲＱ応答情報の送信に用いられる送信モードについて説明する。ＨＡＲＱ応答情報は、様々な送信モード（送信方法）を規定される。ＨＡＲＱ応答情報の送信に用いられる送信モードは、基地局装置３に固有の情報または設定、移動局装置１に固有の情報または設定、および／または、ＨＡＲＱ応答情報に対応するＰＤＣＣＨに関する情報、上位レイヤの設定などによって、決定される。ＨＡＲＱ応答情報の送信に用いられる送信モードは、ＨＡＲＱ応答情報バンドリング（HARQ-ACK bundling）、ＨＡＲＱ応答情報多重（HARQ-ACK multiplexing）である。
【０２０２】
ある上りリンクサブフレームにおいて、複数のＨＡＲＱ応答情報が送信される場合がある。ある上りリンクサブフレームで送信されるＨＡＲＱ応答情報の数は、１つのＰＤＳＣＨで送信されるコードワード（トランスポートブロック）の数、サブフレーム設定、および／または、キャリアアグリゲーションの設定によって決定される。例えば、１つのＰＤＳＣＨはＭＩＭＯ（Multi Input Multi Output）送信により、最大２つのコードワードを送信することができ、それぞれのコードワードに対してＨＡＲＱ応答情報が生成される。また、例えば、ＴＤＤにおいて、サブフレームの種類は、サブフレーム設定に基づいて決定される。そのため、ある上りリンクサブフレームにおいて、複数の下りリンクサブフレームにおけるＰＤＳＣＨ送信に対するＨＡＲＱ応答情報を送信する場合、それぞれの下りリンクサブフレームにおけるＰＤＳＣＨのコードワードに対する複数のＨＡＲＱ応答情報が生成される。また、例えば、複数のセルによりキャリアアグリゲーションが設定される場合、それぞれのセルで送信されるＰＤＳＣＨのコードワードに対する複数のＨＡＲＱ応答情報が生成される。
【０２０３】
ある上りリンクサブフレームにおいて、複数のＨＡＲＱ応答情報が送信される場合、それらのＨＡＲＱ応答情報は、ＨＡＲＱ応答情報バンドリングおよび／またはＨＡＲＱ応答情報多重を用いて送信される。
【０２０４】
ＨＡＲＱ応答情報バンドリングは、複数のＨＡＲＱ応答情報に対して論理積演算を行う。ＨＡＲＱ応答情報バンドリングは様々な単位で行うことができる。例えば、ＨＡＲＱ応答情報バンドリングは、複数の下りリンクサブフレームにおける全てのコードワードに対して行われる。ＨＡＲＱ応答情報バンドリングは、１つの下りリンクサブフレーム内の全てのコードワードに対して行われる。ＨＡＲＱ応答情報バンドリングは、ＨＡＲＱ応答情報の情報量を削減できる。ＨＡＲＱ応答情報多重は、複数のＨＡＲＱ応答情報に対して多重を行う。なお、ＨＡＲＱ応答情報バンドリングを行った情報がさらに多重されてもよい。なお、以下の説明では、ＨＡＲＱ応答情報バンドリングを行った情報は、単にＨＡＲＱ応答情報とも呼称される。
【０２０５】
また、ＨＡＲＱ応答情報を送信するＰＵＣＣＨは、複数種類のフォーマットを規定することができる。ＨＡＲＱ応答情報を送信するＰＵＣＣＨのフォーマットは、ＰＵＣＣＨフォーマット１ａ、ＰＵＣＣＨフォーマット１ｂ、チャネル選択を行うＰＵＣＣＨフォーマット１ｂ（PUCCH 1b with channel selection）、ＰＵＣＣＨフォーマット３などである。ＨＡＲＱ応答情報の送信に用いられる送信モードは、送信するＰＵＣＣＨフォーマットも含まれる。
【０２０６】
ＰＵＣＣＨフォーマット１ａは、１ビットのＨＡＲＱ応答情報を送信するために用いられるＰＵＣＣＨフォーマットである。ＰＵＣＣＨフォーマット１ａでＨＡＲＱ応答情報が送信される場合、１つのＰＵＣＣＨリソースが割り当てられ、ＨＡＲＱ応答情報はそのＰＵＣＣＨリソースを用いて送信される。
【０２０７】
ＰＵＣＣＨフォーマット１ｂは、２ビットのＨＡＲＱ応答情報を送信するために用いられるＰＵＣＣＨフォーマットである。ＰＵＣＣＨフォーマット１ｂでＨＡＲＱ応答情報が送信される場合、１つのＰＵＣＣＨリソースが割り当てられ、ＨＡＲＱ応答情報はそれらのＰＵＣＣＨリソースを用いて送信される。
【０２０８】
チャネル選択を行うＰＵＣＣＨフォーマット１ｂは、２、３または４つのＨＡＲＱ応答情報を送信するために用いられるＰＵＣＣＨフォーマットである。２、３または４つのＨＡＲＱ応答情報を送信するために用いられるＰＵＣＣＨフォーマットは、それぞれ２、３または４つのＰＵＣＣＨリソース（チャネル）が設定される。チャネル選択は、設定された複数のＰＵＣＣＨリソースのいずれかを選択し、選択されたＰＵＣＣＨリソースが情報の一部として用いられる。さらに、その選択されたＰＵＣＣＨリソースで送信できる２ビットの情報も情報の一部として用いられる。その２ビットの情報は、ＱＰＳＫ変調されるため、１つのシンボルとして送信される。すなわち、チャネル選択を行うＰＵＣＣＨフォーマット１ｂでは、２、３または４つのＨＡＲＱ応答情報は、設定された複数のＰＵＣＣＨリソースの中から選択されたＰＵＣＣＨリソースと、その選択されたＰＵＣＣＨリソースで送信できる２ビットの情報との、組み合わせを用いて、送信される。その組み合わせと、それぞれのＨＡＲＱ応答情報は、予め規定される。また、ＨＡＲＱ応答情報は、ＡＣＫ、ＮＡＣＫ、ＤＴＸ、またはＮＡＣＫ／ＤＴＸである。ＮＡＣＫ／ＤＴＸは、ＮＡＣＫまたはＤＴＸを示す。例えば、キャリアアグリゲーションが設定されない場合、２、３または４つのＨＡＲＱ応答情報は、それぞれ２、３または４つの下りリンクサブフレームで送信されるＰＤＳＣＨ送信に対するＨＡＲＱ応答情報である。
【０２０９】
ＰＵＣＣＨフォーマット３は、最大２０ビットのＨＡＲＱ応答情報を送信するために用いられるＰＵＣＣＨフォーマットである。ＰＵＣＣＨフォーマット３における１つのＰＵＣＣＨリソースが設定される。ＰＵＣＣＨフォーマット３における１つのＰＵＣＣＨリソースは、最大２０ビットのＨＡＲＱ応答情報を送信する。ＰＵＣＣＨフォーマット１ａ／１ｂにおけるＰＵＣＣＨリソースと、ＰＵＣＣＨフォーマット３におけるＰＵＣＣＨリソースとは、独立である。例えば、基地局装置３は、ＰＵＣＣＨフォーマット１ａ／１ｂにおけるＰＵＣＣＨリソースと、ＰＵＣＣＨフォーマット３におけるＰＵＣＣＨリソースとが、それぞれ異なる物理リソース（すなわち、ＰＵＣＣＨの送信に用いられる物理リソースを構成する２つのＲＢ）を用いて構成されるように、設定することが好ましい。
【０２１０】
ＨＡＲＱ応答情報がＰＵＣＣＨで送信される場合、ＨＡＲＱ応答情報は明示的および／または黙示的に設定されるＰＵＣＣＨリソースにマッピングされ送信される。ＨＡＲＱ応答情報の送信に用いられるＰＵＣＣＨリソースは、基地局装置３に固有の情報または設定、移動局装置１に固有の情報または設定、および／または、ＨＡＲＱ応答情報に対応するＰＤＣＣＨまたはＥＰＤＣＣＨに関する情報などによって、一意に決定される。例えば、ＨＡＲＱ応答情報の送信に用いられるＰＵＣＣＨリソースを示すＰＵＣＣＨリソース番号は、それらの情報に含まれるパラメータおよび／またはそれらの情報から得られるパラメータと、所定の方法（演算）とを用いて、算出される。
【０２１１】
図１１は、ＰＤＣＣＨによって示されるＰＤＳＣＨ送信におけるＨＡＲＱ応答情報多重の一例を示す図である。図１１では、チャネル選択を行うＰＵＣＣＨフォーマット１ｂを用いて、４つの下りリンクサブフレーム（４ビット）に対するＨＡＲＱ応答情報が送信される場合において、ＨＡＲＱ応答情報多重のために用いられるＰＵＣＣＨリソースが示されている。また、ある上りリンクサブフレームｎにおいて、サブフレームｎ−ｋｉから引き出されるＰＵＣＣＨリソースが示される。ここで、サブフレームｎ−ｋｉは、サブフレームｎに対してｋｉ個前のサブフレームを示す。また、ＨＡＲＱ応答情報多重するサブフレーム（ビット）の数がＭであるとすると、ｉは０以上でありＭ−１以下の整数である。つまり、図１１では、サブフレームｎにおいて、４つの下りリンクサブフレーム（サブフレームｎ−ｋ０、サブフレームｎ−ｋ１、サブフレームｎ−ｋ２、および、サブフレームｎ−ｋ３）から引き出されるＰＵＣＣＨリソースを用いて、４ビットのＨＡＲＱ応答情報が送信される。また、Ｍの値と、ｋｉの値は、サブフレームｎの番号と、サブフレーム設定とで規定される。例えば、サブフレーム設定は、上りリンク−下りリンク設定１および上りリンク−下りリンク設定２で決定される。
【０２１２】
ＰＤＣＣＨによって示されるＰＤＳＣＨ送信におけるＨＡＲＱ応答情報のために用いられるＰＵＣＣＨリソースは、少なくとも、上位レイヤで設定されるパラメータN(1)PUCCHと、そのＨＡＲＱ応答情報に関連するＰＤＣＣＨの送信のために用いられる最初のＣＣＥ番号nCCEとに基づいて決定される。また、図１１に示すように、ＰＤＣＣＨによって示されるＰＤＳＣＨ送信におけるＨＡＲＱ応答情報のために用いられるＰＵＣＣＨリソースのインデックスは、それぞれのサブフレームにおいて、nCCEがマッピングされるＯＦＤＭシンボルの順に与えられる。すなわち、ＨＡＲＱ応答情報多重するサブフレーム間で、ブロックインタリーブが行われる。これにより、ＰＤＣＣＨがマッピングできる領域であるＰＤＣＣＨ領域を構成するＯＦＤＭシンボル数がサブフレーム毎に設定できるため、ＰＵＣＣＨリソースを前方に集められる可能性が高くなる。そのため、ＨＡＲＱ応答情報のために用いられるＰＵＣＣＨリソースが効率的に用いられる。
【０２１３】
図１２は、ＥＰＤＣＣＨによって示されるＰＤＳＣＨ送信におけるＨＡＲＱ応答情報多重の一例を示す図である。図１２では、チャネル選択を行うＰＵＣＣＨフォーマット１ｂを用いて、４つの下りリンクサブフレーム（４ビット）に対するＨＡＲＱ応答情報が送信される場合において、ＨＡＲＱ応答情報多重のために用いられるＰＵＣＣＨリソースが示されている。また、ある上りリンクサブフレームｎにおいて、サブフレームｎ−ｋｉから引き出されるＰＵＣＣＨリソースが示される。ここで、サブフレームｎ−ｋｉは、サブフレームｎに対してｋｉ個前のサブフレームを示す。また、ＨＡＲＱ応答情報多重するサブフレーム（ビット）の数がＭであるとすると、ｉは０以上でありＭ−１以下の整数である。つまり、図１１では、サブフレームｎにおいて、４つの下りリンクサブフレーム（サブフレームｎ−ｋ０、サブフレームｎ−ｋ１、サブフレームｎ−ｋ２、および、サブフレームｎ−ｋ３）から引き出されるＰＵＣＣＨリソースを用いて、４ビットのＨＡＲＱ応答情報が送信される。また、Ｍの値と、ｋｉの値は、サブフレームｎの番号と、サブフレーム設定とで規定される。例えば、サブフレーム設定は、上りリンク−下りリンク設定１および上りリンク−下りリンク設定２で決定される。
【０２１４】
ＥＰＤＣＣＨによって示されるＰＤＳＣＨ送信におけるＨＡＲＱ応答情報のために用いられるＰＵＣＣＨリソースは、少なくとも、上位レイヤで設定されるパラメータN(e1)PUCCHと、そのＨＡＲＱ応答情報に関連するＥＰＤＣＣＨの送信のために用いられる最初のＣＣＥ番号nECCEとに基づいて決定される。また、図１２に示すように、ＥＰＤＣＣＨによって示されるＰＤＳＣＨ送信におけるＨＡＲＱ応答情報のために用いられるＰＵＣＣＨリソースのインデックスは、サブフレームｎ−ｋ０にマッピングされるＥＰＤＣＣＨから順に与えられる。
【０２１５】
図１３は、上りリンク−下りリンク設定１および上りリンク−下りリンク設定２により与えられるサブフレーム設定の一例である。例えば、上りリンク−下りリンク設定１は基地局装置３（サービングセル）からＳＩＢを通じて基地局装置３（セル）固有に設定（報知）され、上りリンク−下りリンク設定２は基地局装置３（サービングセル）からＲＲＣシグナリングを通じて移動局装置１固有に設定（通知）される。また、上りリンク−下りリンク設定１および上りリンク−下りリンク設定２は、図１０で示される上りリンク−下りリンク設定を用いる制御情報である。図１３で示されるサブフレーム設定は、上りリンク−下りリンク設定１および上りリンク−下りリンク設定２のサブフレームの種類によって与えられる。
【０２１６】
上りリンク−下りリンク設定１および上りリンク−下りリンク設定２がＤ（下りリンクサブフレーム）であるサブフレームは、Ｄである。上りリンク−下りリンク設定１および上りリンク−下りリンク設定２がＳ（スペシャルサブフレーム）であるサブフレームは、Ｓである。上りリンク−下りリンク設定１および上りリンク−下りリンク設定２がＵ（上りリンクサブフレーム）であるサブフレームは、Ｕである。上りリンク−下りリンク設定１がＤであり、上りリンク−下りリンク設定２がＵであるサブフレームは、Ｄである。上りリンク−下りリンク設定１がＵであり、上りリンク−下りリンク設定２がＤであるサブフレームは、Ｆ（フレキシブルサブフレーム）である。
【０２１７】
また、上りリンク−下りリンク設定１および上りリンク−下りリンク設定２によりＤ、ＵおよびＳとして設定されるサブフレームは、固定サブフレームとも呼称される。なお、上りリンク−下りリンク設定１および上りリンク−下りリンク設定２によりＦとして設定されるサブフレーム以外のサブフレームは、固定サブフレームとも呼称されてもよい。なお、上りリンク−下りリンク設定１および上りリンク−下りリンク設定２によりＦになり得るサブフレームが、フレキシブルサブフレームとも呼称されてもよい。例えば、上りリンク−下りリンク設定１および上りリンク−下りリンク設定２によりＦになり得るサブフレームは、サブフレーム３、４、７、８および９である。その場合、サブフレーム０、１、２、５および６は、固定サブフレームとも呼称されてもよい。
【０２１８】
すなわち、上りリンク−下りリンク設定１がＤであるサブフレームは、上りリンク−下りリンク設定２が示すサブフレームの種類によらず、Ｄである。上りリンク−下りリンク設定１がＵであるサブフレームは、上りリンク−下りリンク設定２が示すサブフレームの種類に応じて、ＵまたはＦである。そのため、上りリンク−下りリンク設定２が設定される移動局装置（フレキシブルサブフレームを認識できる移動局装置）と、上りリンク−下りリンク設定２が設定されない移動局装置（フレキシブルサブフレームを認識できない移動局装置）とが、同じ無線フレーム（サービングセル）で効率的に通信できる。
【０２１９】
なお、サブフレーム６は、上りリンク−下りリンク設定１および／または上りリンク−下りリンク設定２がＳであるサブフレームである。サブフレーム６は、上りリンク−下りリンク設定１および上りリンク−下りリンク設定２に応じて、ＤまたはＳである。例えば、後続のサブフレーム７がＤである場合、サブフレーム６はＤとし、後続のサブフレーム７がＦまたはＵである場合、サブフレーム６はＳとしてもよい。これにより、ＤからＵに切り替えるために用いられるスペシャルサブフレームが効率的に設定できる。
【０２２０】
なお、図１３では、上りリンク−下りリンク設定１および上りリンク−下りリンク設定２が、それぞれ７種類の上りリンク−下りリンク設定を用いる場合を説明したが、これに限定されるものではない。例えば、上りリンク−下りリンク設定１および／または上りリンク−下りリンク設定２が用いる上りリンク−下りリンク設定の種類が制限されてもよい。上りリンク−下りリンク設定１および／または上りリンク−下りリンク設定２が用いる上りリンク−下りリンク設定が、２および５に限定してもよい。
【０２２１】
以下では、ＰＤＣＣＨまたはＥＰＤＣＣＨによって示されるＰＤＳＣＨ送信におけるＨＡＲＱ応答情報多重の詳細を説明する。
【０２２２】
ＰＤＣＣＨまたはＥＰＤＣＣＨによって示されるＰＤＳＣＨ送信におけるＨＡＲＱ応答情報多重の詳細の一例は、図１４に示す下りリンク関連付けセット（Downlink association set）と、図１５に示すＨＡＲＱ応答情報の送信に用いられるＰＵＣＣＨリソースの演算とを用いる。図１４は、下りリンク関連付けセットのインデックスK: {k0, k1, ..., kM-1}の一例を示す図である。図１５は、ＨＡＲＱ応答情報の送信に用いられるＰＵＣＣＨリソースを与える数式の一例を示す図である。
【０２２３】
上りリンク−下りリンク設定２が設定され（フレキシブルサブフレームが認識でき）、１よりも大きいMを有するサブフレームnでＨＡＲＱ応答情報多重を行う場合において、サブフレームn-kiから引き出されるＰＵＣＣＨリソースであるn(1)PUCCH,iと、サブフレームn-kiからのACK/NACK/DTXの応答であるHARQ-ACK(i)とは、以下のように示される。ただし、Mは、図１４によって定義されるセットKの中のエレメントの数である。Mは、多重を行うＨＡＲＱ応答情報に基づく数である。また、kiはセットKに含まれ、iは0以上M-1以下である。例えば、上りリンク−下りリンク設定１が０であり、上りリンク−下りリンク設定２が２である場合、サブフレーム２におけるセットKは{7,6,4,8}であり、Mは４であり、k0は７であり、k1は６であり、k2は４であり、k3は８である。
【０２２４】
サブフレームn-kiにおける関連するＰＤＣＣＨの検出によって示されるＰＤＳＣＨ送信、または、サブフレームn-kiにおける下りリンクＳＰＳ（Semi-Persistent Scheduling）の開放（ＳＰＳリリース）を示すＰＤＣＣＨに対するＰＵＣＣＨリソースは、図１５の数式（ａ）によって与えられる。ただし、nCCE,iはサブフレームn-kiの中で関連するＰＤＣＣＨの送信のために用いられる最初のＣＣＥの番号（インデックス）であり、N(1)PUCCHは上位レイヤで設定されるパラメータである。また、NDLRBは下りリンクにおけるリソースブロック数であり、NRBscはリソースブロック当たりのサブキャリア数である。
【０２２５】
また、サブフレームn-kiにおける関連するＥＰＤＣＣＨの検出によって示されるＰＤＳＣＨ送信、または、サブフレームn-kiにおける下りリンクＳＰＳ（Semi-Persistent Scheduling）の開放（ＳＰＳリリース）を示すＥＰＤＣＣＨに対するＰＵＣＣＨリソースは、図１５の数式（ｂ−１）および数式（ｂ−２）によって与えられる。ＥＰＤＣＣＨセット（EPDCCH-PRB-set）qが分散送信に設定される場合、ＰＵＣＣＨリソースは図１５の数式（ｂ−１）が用いられる。ＥＰＤＣＣＨセット（EPDCCH-PRB-set）qが局所送信に設定される場合、ＰＵＣＣＨリソースは図１５の数式（ｂ−２）が用いられる。ただし、nECCE,qはサブフレームn-kiでありＥＰＤＣＣＨセットqの中で関連するＤＣＩ割り当ての送信のために用いられる最初のＣＣＥの番号（インデックス）である。つまり、そのＣＣＥの番号は、そのＥＰＤＣＣＨを構成するために用いられる最小のＥＣＣＥのインデックスである。N(e1)PUCCH,qはＥＰＤＣＣＨセットqにおいて、上位レイヤで設定されるパラメータである。NECCE,qRBはサブフレームn-kiにおいて、ＥＰＤＣＣＨセットqのために設定されるリソースブロックの総数である。
【０２２６】
すなわち、サブフレームnにおいて、M個のＰＵＣＣＨリソースが与えられる。そのM個のＰＵＣＣＨリソースは、チャネル選択を行うＰＵＣＣＨフォーマット１ｂのＰＵＣＣＨの送信に用いられる。例えば、上りリンク−下りリンク設定１が０であり、上りリンク−下りリンク設定２が２である場合、サブフレーム２において、４つのＰＵＣＣＨリソースが与えられる。その４つのＰＵＣＣＨリソースは、チャネル選択を行うＰＵＣＣＨフォーマット１ｂのＰＵＣＣＨの送信に用いられる。
【０２２７】
ここで、図１４に示す下りリンク関連付けセットのテーブル内のセットKのそれぞれが示すサブフレームは、下りリンクサブフレーム、スペシャルサブフレームおよび／またはフレキシブルサブフレームである。これにより、下りリンクサブフレームおよびスペシャルサブフレームに加えて、フレキシブルサブフレームが設定され得る場合でも、下りリンクサブフレーム、スペシャルサブフレームおよび／またはフレキシブルサブフレームで送信されるＰＤＳＣＨに対するＨＡＲＱ応答情報が効率的に送信されることが可能になる。
【０２２８】
ＰＤＣＣＨまたはＥＰＤＣＣＨによって示されるＰＤＳＣＨ送信におけるＨＡＲＱ応答情報多重の詳細の一例は、図１６に示す下りリンク関連付けセット（Downlink association set）と、図１７に示すＨＡＲＱ応答情報の送信に用いられるＰＵＣＣＨリソースの演算とを用いる。図１６は、下りリンク関連付けセットのインデックスKa: {k0, k1, ..., kMa-1}およびKb: {kMa, kMa+1, ..., kM-1}の一例を示す図である。図１７は、ＨＡＲＱ応答情報の送信に用いられるＰＵＣＣＨリソースを与える数式の一例を示す図である。
【０２２９】
上りリンク−下りリンク設定２が設定され（フレキシブルサブフレームが認識でき）、１よりも大きいMを有するサブフレームnでＨＡＲＱ応答情報多重を行う場合において、サブフレームn-kiから引き出されるＰＵＣＣＨリソースであるn(1)PUCCH,iと、サブフレームn-kiからのACK/NACK/DTXの応答であるHARQ-ACK(i)とは、以下のように示される。ただし、Mは、MaとMbとの和である。Maは、図１６の第１のセット（set 1）によって定義されるセットKaの中のエレメントの数である。Mbは、図１６の第２のセット（set 2）によって定義されるセットKbの中のエレメントの数である。Mは、多重を行うＨＡＲＱ応答情報に基づく数である。また、kiはセットKに含まれ、iは0以上M-1以下である。セットKは、セットKa、セットKbの順で結合されるセットである。例えば、上りリンク−下りリンク設定１が０であり、上りリンク−下りリンク設定２が２である場合、サブフレーム２におけるセットKaは{7,6}であり、セットKbは{4,8}であり、セットKは{7,6,4,8}であり、Maは２であり、Mbは２であり、Mは４であり、k0は７であり、k1は６であり、k2は４であり、k3は８である。
【０２３０】
サブフレームn-kiにおける関連するＰＤＣＣＨの検出によって示されるＰＤＳＣＨ送信、または、サブフレームn-kiにおける下りリンクＳＰＳ（Semi-Persistent Scheduling）の開放（ＳＰＳリリース）を示すＰＤＣＣＨに対するＰＵＣＣＨリソースは、図１７の数式（ａ−１）および数式（ａ−２）によって与えられる。セットKaの場合（iが0以上Ma-1以下の場合）、ＰＵＣＣＨリソースは、図１７の数式（ａ−１）によって与えられる。セットKbの場合（iがMa以上M-1以下の場合）、ＰＵＣＣＨリソースは、図１７の数式（ａ−２）によって与えられる。ただし、nCCE,iはサブフレームn-kiの中で関連するＰＤＣＣＨの送信のために用いられる最初のＣＣＥの番号（インデックス）であり、N(1)PUCCHは上位レイヤで設定されるパラメータである。また、NDLRBは下りリンクにおけるリソースブロック数であり、NRBscはリソースブロック当たりのサブキャリア数である。図１７の数式（ａ−２）によって与えられるＰＵＣＣＨリソースは、Ma*N3が加算されている。このMa*N3は、図１７の数式（ａ−２）によって与えられるセットKaに対するＰＵＣＣＨリソースに相当する。すなわち、Ma*N3を加算することにより、セットKaに対するＰＵＣＣＨリソースと、セットKbに対するＰＵＣＣＨリソースとが連続して与えられる。
【０２３１】
また、サブフレームn-kiにおける関連するＥＰＤＣＣＨの検出によって示されるＰＤＳＣＨ送信、または、サブフレームn-kiにおける下りリンクＳＰＳ（Semi-Persistent Scheduling）の開放（ＳＰＳリリース）を示すＥＰＤＣＣＨに対するＰＵＣＣＨリソースは、図１７の数式（ｂ−１）および数式（ｂ−２）によって与えられる。ＥＰＤＣＣＨセット（EPDCCH-PRB-set）qが分散送信に設定される場合、ＰＵＣＣＨリソースは図１７の数式（ｂ−１）が用いられる。ＥＰＤＣＣＨセット（EPDCCH-PRB-set）qが局所送信に設定される場合、ＰＵＣＣＨリソースは図１７の数式（ｂ−２）が用いられる。ただし、nECCE,qはサブフレームn-kiでありＥＰＤＣＣＨセットqの中で関連するＤＣＩ割り当ての送信のために用いられる最初のＣＣＥの番号（インデックス）である。つまり、そのＣＣＥの番号は、そのＥＰＤＣＣＨを構成するために用いられる最小のＥＣＣＥのインデックスである。N(e1)PUCCH,qはＥＰＤＣＣＨセットqにおいて、上位レイヤで設定されるパラメータである。NECCE,qRBはサブフレームn-kiにおいて、ＥＰＤＣＣＨセットqのために設定されるリソースブロックの総数である。
【０２３２】
すなわち、サブフレームnにおいて、M個のＰＵＣＣＨリソースが与えられる。そのM個のＰＵＣＣＨリソースは、チャネル選択を行うＰＵＣＣＨフォーマット１ｂのＰＵＣＣＨの送信に用いられる。例えば、上りリンク−下りリンク設定１が０であり、上りリンク−下りリンク設定２が２である場合、サブフレーム２において、４つのＰＵＣＣＨリソースが与えられる。その４つのＰＵＣＣＨリソースは、チャネル選択を行うＰＵＣＣＨフォーマット１ｂのＰＵＣＣＨの送信に用いられる。
【０２３３】
ここで、図１６に示す下りリンク関連付けセットのテーブル内のセットKaのそれぞれが示すサブフレームは、下りリンクサブフレームおよび／またはスペシャルサブフレームである。図１６に示す下りリンク関連付けセットのテーブル内のセットKbのそれぞれが示すサブフレームは、フレキシブルサブフレームである。これにより、下りリンクサブフレームおよびスペシャルサブフレームに加えて、フレキシブルサブフレームが設定され得る場合でも、下りリンクサブフレーム、スペシャルサブフレームおよび／またはフレキシブルサブフレームで送信されるＰＤＳＣＨに対するＨＡＲＱ応答情報が効率的に送信されることが可能になる。
【０２３４】
また、セットKaとセットKbの２つが規定されることにより、ＰＤＣＣＨによって示されるＰＤＳＣＨ送信におけるＨＡＲＱ応答情報のために用いられるＰＵＣＣＨリソースのインデックスの演算において、nCCEがマッピングされるＯＦＤＭシンボルの順に与えられるようにされるブロックインタリーブが、それぞれのセットに対して独立に行われる。そのため、上りリンクサブフレームとして用いられる可能性があるフレキシブルサブフレームにおけるＰＵＣＣＨリソースが、下りリンクサブフレームにおけるＰＵＣＣＨリソースと独立に決定できるので、ＰＵＣＣＨリソースの利用効率が向上できる。
【０２３５】
なお、セットKaは下りリンクサブフレームに関連付けられ、セットKbはスペシャルサブフレームおよび／またはフレキシブルサブフレームに関連付けられてもよい。
【０２３６】
ＰＤＣＣＨまたはＥＰＤＣＣＨによって示されるＰＤＳＣＨ送信におけるＨＡＲＱ応答情報多重の詳細の一例は、図１８に示す下りリンク関連付けセット（Downlink association set）と、図１５に示すＨＡＲＱ応答情報の送信に用いられるＰＵＣＣＨリソースの演算と、図１９に示すＨＡＲＱ送信タイミングの参照とを用いる。図１８は、下りリンク関連付けセットのインデックスK: {k0, k1, ..., kM-1}の一例を示す図である。図１５は、ＨＡＲＱ応答情報の送信に用いられるＰＵＣＣＨリソースを与える数式の一例を示す図である。図１９は、上りリンク−下りリンク設定１と上りリンク−下りリンク設定２とのペアによって与えられる参照上りリンク−下りリンク設定（参照ＵＬ／ＤＬ設定）の一例を示す図である。
【０２３７】
また、図１８に示す下りリンク関連付けセットは、上りリンク−下りリンク設定２が設定されない（フレキシブルサブフレームが認識できない）場合にも用いられる。すなわち、上りリンク−下りリンク設定２が設定されない（フレキシブルサブフレームが認識できない）場合、ＳＩＢで通知される上りリンク−下りリンク設定と、図１８に示すテーブルとに基づいて、下りリンク関連付けセットが与えられる。また、図１８に示す下りリンク関連付けセットは、上りリンク−下りリンク設定２が設定されない（フレキシブルサブフレームが認識できない）従来の移動局装置にも用いられる。
【０２３８】
上りリンク−下りリンク設定２が設定され（フレキシブルサブフレームが認識でき）、１よりも大きいMを有するサブフレームnでＨＡＲＱ応答情報多重を行う場合において、サブフレームn-kiから引き出されるＰＵＣＣＨリソースであるn(1)PUCCH,iと、サブフレームn-kiからのACK/NACK/DTXの応答であるHARQ-ACK(i)とは、以下のように示される。ただし、Mは、図１９によって定義される参照上りリンク−下りリンク設定に基づいて、図１８によって定義されるセットKの中のエレメントの数である。Mは、多重を行うＨＡＲＱ応答情報に基づく数である。また、kiはセットKに含まれ、iは0以上M-1以下である。
【０２３９】
具体的には、図１９のテーブルを用いて、参照上りリンク−下りリンク設定が、上りリンク−下りリンク設定１と上りリンク−下りリンク設定２との組み合わせによって与えられる。参照上りリンク−下りリンク設定は、図１８によって定義されるセットKによって、ＨＡＲＱ送信タイミングを決定する。例えば、上りリンク−下りリンク設定１が０であり、上りリンク−下りリンク設定２が２である場合、参照上りリンク−下りリンク設定は、２である。そのため、ＨＡＲＱ送信タイミングは、図１８における上りリンク−下りリンク設定が２の場合の下りリンク関連付けセットに基づく。例えば、サブフレーム２におけるセットKは{8, 7, 4, 6}であり、Mは４であり、k0は８であり、k1は７であり、k2は４であり、k3は６である。
【０２４０】
サブフレームn-kiにおける関連するＰＤＣＣＨの検出によって示されるＰＤＳＣＨ送信、または、サブフレームn-kiにおける下りリンクＳＰＳ（Semi-Persistent Scheduling）の開放（ＳＰＳリリース）を示すＰＤＣＣＨに対するＰＵＣＣＨリソースは、図１５の数式（ａ）によって与えられる。ただし、nCCE,iはサブフレームn-kiの中で関連するＰＤＣＣＨの送信のために用いられる最初のＣＣＥの番号（インデックス）であり、N(1)PUCCHは上位レイヤで設定されるパラメータである。また、NDLRBは下りリンクにおけるリソースブロック数であり、NRBscはリソースブロック当たりのサブキャリア数である。
【０２４１】
また、サブフレームn-kiにおける関連するＥＰＤＣＣＨの検出によって示されるＰＤＳＣＨ送信、または、サブフレームn-kiにおける下りリンクＳＰＳ（Semi-Persistent Scheduling）の開放（ＳＰＳリリース）を示すＥＰＤＣＣＨに対するＰＵＣＣＨリソースは、図１５の数式（ｂ−１）および数式（ｂ−２）によって与えられる。ＥＰＤＣＣＨセット（EPDCCH-PRB-set）qが分散送信に設定される場合、ＰＵＣＣＨリソースは図１５の数式（ｂ−１）が用いられる。ＥＰＤＣＣＨセット（EPDCCH-PRB-set）qが局所送信に設定される場合、ＰＵＣＣＨリソースは図１５の数式（ｂ−２）が用いられる。ただし、nECCE,qはサブフレームn-kiでありＥＰＤＣＣＨセットqの中で関連するＤＣＩ割り当ての送信のために用いられる最初のＣＣＥの番号（インデックス）である。つまり、そのＣＣＥの番号は、そのＥＰＤＣＣＨを構成するために用いられる最小のＥＣＣＥのインデックスである。N(e1)PUCCH,qはＥＰＤＣＣＨセットqにおいて、上位レイヤで設定されるパラメータである。NECCE,qRBはサブフレームn-kiにおいて、ＥＰＤＣＣＨセットqのために設定されるリソースブロックの総数である。
【０２４２】
すなわち、サブフレームnにおいて、M個のＰＵＣＣＨリソースが与えられる。そのM個のＰＵＣＣＨリソースは、チャネル選択を行うＰＵＣＣＨフォーマット１ｂのＰＵＣＣＨの送信に用いられる。例えば、上りリンク−下りリンク設定１が０であり、上りリンク−下りリンク設定２が２である場合、サブフレーム２において、４つのＰＵＣＣＨリソースが与えられる。その４つのＰＵＣＣＨリソースは、チャネル選択を行うＰＵＣＣＨフォーマット１ｂのＰＵＣＣＨの送信に用いられる。
【０２４３】
ここで、図１８に示す下りリンク関連付けセットのテーブル内のセットKのそれぞれが示すサブフレームは、下りリンクサブフレーム、スペシャルサブフレームおよび／またはフレキシブルサブフレームである。これにより、下りリンクサブフレームおよびスペシャルサブフレームに加えて、フレキシブルサブフレームが設定され得る場合でも、下りリンクサブフレーム、スペシャルサブフレームおよび／またはフレキシブルサブフレームで送信されるＰＤＳＣＨに対するＨＡＲＱ応答情報が効率的に送信されることが可能になる。また、図１８に示す下りリンク関連付けセットは、上りリンク−下りリンク設定２が設定されない（フレキシブルサブフレームが認識できない）場合にも用いることができるため、移動局装置３の記憶容量を低減できる。
【０２４４】
ＰＤＣＣＨまたはＥＰＤＣＣＨによって示されるＰＤＳＣＨ送信におけるＨＡＲＱ応答情報多重の詳細の一例は、図２０に示す下りリンク関連付けセット（Downlink association set）と、図１７に示すＨＡＲＱ応答情報の送信に用いられるＰＵＣＣＨリソースの演算とを用いる。図２０は、下りリンク関連付けセットのインデックスKa: {k0, k1, ..., kMa-1}およびKb: {kMa, kMa+1, ..., kM-1}の一例を示す図である。図１７は、ＨＡＲＱ応答情報の送信に用いられるＰＵＣＣＨリソースを与える数式の一例を示す図である。
【０２４５】
上りリンク−下りリンク設定２が設定され（フレキシブルサブフレームが認識でき）、１よりも大きいMを有するサブフレームnでＨＡＲＱ応答情報多重を行う場合において、サブフレームn-kiから引き出されるＰＵＣＣＨリソースであるn(1)PUCCH,iと、サブフレームn-kiからのACK/NACK/DTXの応答であるHARQ-ACK(i)とは、以下のように示される。ただし、Mは、MaとMbとの和である。Maは、図２０の第１のセット（set 1）によって定義されるセットKaの中のエレメントの数である。Mbは、図２０の第２のセット（set 2）によって定義されるセットKbの中のエレメントの数である。Mは、多重を行うＨＡＲＱ応答情報に基づく数である。また、kiはセットKに含まれ、iは0以上M-1以下である。セットKは、セットKa、セットKbの順で結合されるセットである。例えば、上りリンク−下りリンク設定１が０であり、上りリンク−下りリンク設定２が２である場合、サブフレーム２におけるセットKaは{6}であり、セットKbは{7,4,8}であり、セットKは{6,7,4,8}であり、Maは１であり、Mbは３であり、Mは４であり、k0は６であり、k1は７であり、k2は４であり、k3は８である。
【０２４６】
サブフレームn-kiにおける関連するＰＤＣＣＨの検出によって示されるＰＤＳＣＨ送信、または、サブフレームn-kiにおける下りリンクＳＰＳ（Semi-Persistent Scheduling）の開放（ＳＰＳリリース）を示すＰＤＣＣＨに対するＰＵＣＣＨリソースは、図１７の数式（ａ−１）および数式（ａ−２）によって与えられる。セットKaの場合（iが0以上Ma-1以下の場合）、ＰＵＣＣＨリソースは、図１７の数式（ａ−１）によって与えられる。セットKbの場合（iがMa以上M-1以下の場合）、ＰＵＣＣＨリソースは、図１７の数式（ａ−２）によって与えられる。ただし、nCCE,iはサブフレームn-kiの中で関連するＰＤＣＣＨの送信のために用いられる最初のＣＣＥの番号（インデックス）であり、N(1)PUCCHは上位レイヤで設定されるパラメータである。また、NDLRBは下りリンクにおけるリソースブロック数であり、NRBscはリソースブロック当たりのサブキャリア数である。
【０２４７】
また、サブフレームn-kiにおける関連するＥＰＤＣＣＨの検出によって示されるＰＤＳＣＨ送信、または、サブフレームn-kiにおける下りリンクＳＰＳ（Semi-Persistent Scheduling）の開放（ＳＰＳリリース）を示すＥＰＤＣＣＨに対するＰＵＣＣＨリソースは、図１７の数式（ｂ−１）および数式（ｂ−２）によって与えられる。ＥＰＤＣＣＨセット（EPDCCH-PRB-set）qが分散送信に設定される場合、ＰＵＣＣＨリソースは図１７の数式（ｂ−１）が用いられる。ＥＰＤＣＣＨセット（EPDCCH-PRB-set）qが局所送信に設定される場合、ＰＵＣＣＨリソースは図１７の数式（ｂ−２）が用いられる。ただし、nECCE,qはサブフレームn-kiでありＥＰＤＣＣＨセットqの中で関連するＤＣＩ割り当ての送信のために用いられる最初のＣＣＥの番号（インデックス）である。つまり、そのＣＣＥの番号は、そのＥＰＤＣＣＨを構成するために用いられる最小のＥＣＣＥのインデックスである。N(e1)PUCCH,qはＥＰＤＣＣＨセットqにおいて、上位レイヤで設定されるパラメータである。NECCE,qRBはサブフレームn-kiにおいて、ＥＰＤＣＣＨセットqのために設定されるリソースブロックの総数である。
【０２４８】
すなわち、サブフレームnにおいて、M個のＰＵＣＣＨリソースが与えられる。そのM個のＰＵＣＣＨリソースは、チャネル選択を行うＰＵＣＣＨフォーマット１ｂのＰＵＣＣＨの送信に用いられる。例えば、上りリンク−下りリンク設定１が０であり、上りリンク−下りリンク設定２が２である場合、サブフレーム２において、４つのＰＵＣＣＨリソースが与えられる。その４つのＰＵＣＣＨリソースは、チャネル選択を行うＰＵＣＣＨフォーマット１ｂのＰＵＣＣＨの送信に用いられる。
【０２４９】
ここで、図２０に示す下りリンク関連付けセットのテーブル内のセットKaのそれぞれが示すサブフレームは、下りリンクサブフレームおよび／またはスペシャルサブフレームである。図２０に示す下りリンク関連付けセットのテーブル内のセットKbのそれぞれが示すサブフレームは、下りリンクサブフレーム、スペシャルサブフレームおよび／またはフレキシブルサブフレームである。また、図２０に示す下りリンク関連付けセットのテーブル内のセットKaは、上りリンクサブフレームであるサブフレームnにおいて、図１８に示す下りリンク関連付けセットのテーブル内のセットKと同じである。図２０に示す下りリンク関連付けセットのテーブル内のセットKbは、サブフレームnに関連付けられるサブフレームの内、セットKa以外のサブフレームのセットである。
【０２５０】
また、セットKaとセットKbの２つが規定されることにより、ＰＤＣＣＨによって示されるＰＤＳＣＨ送信におけるＨＡＲＱ応答情報のために用いられるＰＵＣＣＨリソースのインデックスの演算において、nCCEがマッピングされるＯＦＤＭシンボルの順に与えられるようにされるブロックインタリーブが、それぞれのセットに対して独立に行われる。
【０２５１】
これにより、上りリンク−下りリンク設定２が設定される（フレキシブルサブフレームが認識できる）移動局装置と、上りリンク−下りリンク設定２が設定されない（フレキシブルサブフレームが認識できない）移動局装置とが、同時に通信する時に効果が期待できる。すなわち、上りリンク−下りリンク設定２が設定される（フレキシブルサブフレームが認識できる）移動局装置により用いられる図２０に示す下りリンク関連付けセットのテーブル内のセットKaと、上りリンク−下りリンク設定２が設定されない（フレキシブルサブフレームが認識できない）移動局装置により用いられる図１８に示す下りリンク関連付けセットのテーブル内のセットKとが同じであるため、ＰＵＣＣＨリソースを共有できるため、ＰＵＣＣＨリソースの利用効率が向上できる。特に、ＨＡＲＱ応答情報多重するサブフレーム間でブロックインタリーブが行われる場合、つまりＰＤＣＣＨによって示されるＰＤＳＣＨ送信におけるＨＡＲＱ応答情報を送信する場合に、高い効果が得られる。
【０２５２】
ＰＤＣＣＨまたはＥＰＤＣＣＨによって示されるＰＤＳＣＨ送信におけるＨＡＲＱ応答情報多重の詳細の一例は、図２０に示す下りリンク関連付けセット（Downlink association set）と、図２１に示すＨＡＲＱ応答情報の送信に用いられるＰＵＣＣＨリソースの演算とを用いる。図２０は、下りリンク関連付けセットのインデックスKa: {k0, k1, ..., kMa-1}およびKb: {kMa, kMa+1, ..., kM-1}の一例を示す図である。図２１は、ＨＡＲＱ応答情報の送信に用いられるＰＵＣＣＨリソースを与える数式の一例を示す図である。この一例において、上位レイヤで設定されるパラメータが、セットKaとセットKbに対して、それぞれ独立に設定される。以下の説明では、図２０に示す下りリンク関連付けセットが用いられる場合を説明するが、他の下りリンク関連付けセット（例えば、図１６に示す下りリンク関連付けセット）が用いられる場合も同様に適用できる。
【０２５３】
上りリンク−下りリンク設定２が設定され（フレキシブルサブフレームが認識でき）、１よりも大きいMを有するサブフレームnでＨＡＲＱ応答情報多重を行う場合において、サブフレームn-kiから引き出されるＰＵＣＣＨリソースであるn(1)PUCCH,iと、サブフレームn-kiからのACK/NACK/DTXの応答であるHARQ-ACK(i)とは、以下のように示される。ただし、Mは、MaとMbとの和である。Maは、図２０の第１のセット（set 1）によって定義されるセットKaの中のエレメントの数である。Mbは、図２０の第２のセット（set 2）によって定義されるセットKbの中のエレメントの数である。Mは、多重を行うＨＡＲＱ応答情報に基づく数である。また、kiはセットKに含まれ、iは0以上M-1以下である。セットKは、セットKa、セットKbの順で結合されるセットである。例えば、上りリンク−下りリンク設定１が０であり、上りリンク−下りリンク設定２が２である場合、サブフレーム２におけるセットKaは{6}であり、セットKbは{7,4,8}であり、セットKは{6,7,4,8}であり、Maは１であり、Mbは３であり、Mは４であり、k0は６であり、k1は７であり、k2は４であり、k3は８である。
【０２５４】
サブフレームn-kiにおける関連するＰＤＣＣＨの検出によって示されるＰＤＳＣＨ送信、または、サブフレームn-kiにおける下りリンクＳＰＳ（Semi-Persistent Scheduling）の開放（ＳＰＳリリース）を示すＰＤＣＣＨに対するＰＵＣＣＨリソースは、図２１の数式（ａ−１）および数式（ａ−２）によって与えられる。セットKaの場合（iが0以上Ma-1以下の場合）、ＰＵＣＣＨリソースは、図２１の数式（ａ−１）によって与えられる。セットKbの場合（iがMa以上M-1以下の場合）、ＰＵＣＣＨリソースは、図２１の数式（ａ−２）によって与えられる。ただし、nCCE,iはサブフレームn-kiの中で関連するＰＤＣＣＨの送信のために用いられる最初のＣＣＥの番号（インデックス）である。N(1)PUCCH,Kaは上位レイヤで設定されるパラメータであり、セットKaにおいて用いられる。N(1)PUCCH,Kbは上位レイヤで設定されるパラメータであり、セットKbにおいて用いられる。また、NDLRBは下りリンクにおけるリソースブロック数であり、NRBscはリソースブロック当たりのサブキャリア数である。
【０２５５】
また、サブフレームn-kiにおける関連するＥＰＤＣＣＨの検出によって示されるＰＤＳＣＨ送信、または、サブフレームn-kiにおける下りリンクＳＰＳ（Semi-Persistent Scheduling）の開放（ＳＰＳリリース）を示すＥＰＤＣＣＨに対するＰＵＣＣＨリソースは、図２１の数式（ｂ−１）、数式（ｂ−２）、数式（ｂ−３）および数式（ｂ−４）によって与えられる。セットKaの場合（iが0以上Ma-1以下の場合）であり、ＥＰＤＣＣＨセット（EPDCCH-PRB-set）qが分散送信に設定される場合、ＰＵＣＣＨリソースは図２１の数式（ｂ−１）が用いられる。セットKaの場合（iが0以上Ma-1以下の場合）であり、ＥＰＤＣＣＨセット（EPDCCH-PRB-set）qが局所送信に設定される場合、ＰＵＣＣＨリソースは図２１の数式（ｂ−２）が用いられる。セットKbの場合（iがMa以上M-1以下の場合）であり、ＥＰＤＣＣＨセット（EPDCCH-PRB-set）qが分散送信に設定される場合、ＰＵＣＣＨリソースは図２１の数式（ｂ−３）が用いられる。セットKbの場合（iがMa以上M-1以下の場合）であり、ＥＰＤＣＣＨセット（EPDCCH-PRB-set）qが局所送信に設定される場合、ＰＵＣＣＨリソースは図２１の数式（ｂ−４）が用いられる。ただし、nECCE,qはサブフレームn-kiでありＥＰＤＣＣＨセットqの中で関連するＤＣＩ割り当ての送信のために用いられる最初のＣＣＥの番号（インデックス）である。つまり、そのＣＣＥの番号は、そのＥＰＤＣＣＨを構成するために用いられる最小のＥＣＣＥのインデックスである。N(e1)PUCCH,Ka,qはＥＰＤＣＣＨセットqにおいて、上位レイヤで設定されるパラメータであり、セットKaにおいて用いられる。N(e1)PUCCH,Kb,qはＥＰＤＣＣＨセットqにおいて、上位レイヤで設定されるパラメータであり、セットKbにおいて用いられる。NECCE,qRBはサブフレームn-kiにおいて、ＥＰＤＣＣＨセットqのために設定されるリソースブロックの総数である。
【０２５６】
すなわち、サブフレームnにおいて、M個のＰＵＣＣＨリソースが与えられる。そのM個のＰＵＣＣＨリソースは、チャネル選択を行うＰＵＣＣＨフォーマット１ｂのＰＵＣＣＨの送信に用いられる。例えば、上りリンク−下りリンク設定１が０であり、上りリンク−下りリンク設定２が２である場合、サブフレーム２において、４つのＰＵＣＣＨリソースが与えられる。その４つのＰＵＣＣＨリソースは、チャネル選択を行うＰＵＣＣＨフォーマット１ｂのＰＵＣＣＨの送信に用いられる。
【０２５７】
ここで、図２０に示す下りリンク関連付けセットのテーブル内のセットKaのそれぞれが示すサブフレームは、下りリンクサブフレームおよび／またはスペシャルサブフレームである。図２０に示す下りリンク関連付けセットのテーブル内のセットKbのそれぞれが示すサブフレームは、下りリンクサブフレーム、スペシャルサブフレームおよび／またはフレキシブルサブフレームである。また、図２０に示す下りリンク関連付けセットのテーブル内のセットKaは、上りリンクサブフレームであるサブフレームnにおいて、図１８に示す下りリンク関連付けセットのテーブル内のセットKと同じである。図２０に示す下りリンク関連付けセットのテーブル内のセットKbは、サブフレームnに関連付けられるサブフレームの内、セットKa以外のサブフレームのセットである。
【０２５８】
また、セットKaとセットKbの２つが規定されることにより、ＰＤＣＣＨによって示されるＰＤＳＣＨ送信におけるＨＡＲＱ応答情報のために用いられるＰＵＣＣＨリソースのインデックスの演算において、nCCEがマッピングされるＯＦＤＭシンボルの順に与えられるブロックインタリーブが、それぞれのセットに対して独立に行われる。
【０２５９】
これにより、上りリンク−下りリンク設定２が設定される（フレキシブルサブフレームが認識できる）移動局装置と、上りリンク−下りリンク設定２が設定されない（フレキシブルサブフレームが認識できない）移動局装置とが、同時に通信する時に効果が期待できる。すなわち、上りリンク−下りリンク設定２が設定される（フレキシブルサブフレームが認識できる）移動局装置により用いられる図２０に示す下りリンク関連付けセットのテーブル内のセットKaと、上りリンク−下りリンク設定２が設定されない（フレキシブルサブフレームが認識できない）移動局装置により用いられる図１８に示す下りリンク関連付けセットのテーブル内のセットKとが同じであるため、ＰＵＣＣＨリソースを共有できるため、ＰＵＣＣＨリソースの利用効率が向上できる。特に、ＨＡＲＱ応答情報多重するサブフレーム間でブロックインタリーブが行われる場合、つまりＰＤＣＣＨによって示されるＰＤＳＣＨ送信におけるＨＡＲＱ応答情報を送信する場合に、高い効果が得られる。
【０２６０】
また、上位レイヤで設定されるパラメータが、セットKaとセットKbに対して、それぞれ独立に設定されるため、ＰＵＣＣＨリソースの設定に対する柔軟性が向上できる。
【０２６１】
ＰＤＣＣＨまたはＥＰＤＣＣＨによって示されるＰＤＳＣＨ送信におけるＨＡＲＱ応答情報多重の詳細の一例は、図２０に示す下りリンク関連付けセット（Downlink association set）と、図２２に示すＨＡＲＱ応答情報の送信に用いられるＰＵＣＣＨリソースの演算とを用いる。図２０は、下りリンク関連付けセットのインデックスKa: {k0, k1, ..., kMa-1}およびKb: {kMa, kMa+1, ..., kM-1}の一例を示す図である。図２２は、ＨＡＲＱ応答情報の送信に用いられるＰＵＣＣＨリソースを与える数式の一例を示す図である。この一例では、セットKbにおいて、ＨＡＲＱ応答情報多重するサブフレーム間でのブロックインタリーブは行われず、サブフレームの順にＰＵＣＣＨリソースが与えられる。以下の説明では、図２０に示す下りリンク関連付けセットが用いられる場合を説明するが、他の下りリンク関連付けセット（例えば、図１６に示す下りリンク関連付けセット）が用いられる場合も同様に適用できる。
【０２６２】
上りリンク−下りリンク設定２が設定され（フレキシブルサブフレームが認識でき）、１よりも大きいMを有するサブフレームnでＨＡＲＱ応答情報多重を行う場合において、サブフレームn-kiから引き出されるＰＵＣＣＨリソースであるn(1)PUCCH,iと、サブフレームn-kiからのACK/NACK/DTXの応答であるHARQ-ACK(i)とは、以下のように示される。ただし、Mは、MaとMbとの和である。Maは、図２０の第１のセット（set 1）によって定義されるセットKaの中のエレメントの数である。Mbは、図２０の第２のセット（set 2）によって定義されるセットKbの中のエレメントの数である。Mは、多重を行うＨＡＲＱ応答情報に基づく数である。また、kiはセットKに含まれ、iは0以上M-1以下である。セットKは、セットKa、セットKbの順で結合されるセットである。例えば、上りリンク−下りリンク設定１が０であり、上りリンク−下りリンク設定２が２である場合、サブフレーム２におけるセットKaは{6}であり、セットKbは{7,4,8}であり、セットKは{6,7,4,8}であり、Maは１であり、Mbは３であり、Mは４であり、k0は６であり、k1は７であり、k2は４であり、k3は８である。
【０２６３】
サブフレームn-kiにおける関連するＰＤＣＣＨの検出によって示されるＰＤＳＣＨ送信、または、サブフレームn-kiにおける下りリンクＳＰＳ（Semi-Persistent Scheduling）の開放（ＳＰＳリリース）を示すＰＤＣＣＨに対するＰＵＣＣＨリソースは、図２２の数式（ａ−１）および数式（ａ−２）によって与えられる。セットKaの場合（iが0以上Ma-1以下の場合）、ＰＵＣＣＨリソースは、図２２の数式（ａ−１）によって与えられる。セットKbの場合（iがMa以上M-1以下の場合）、ＰＵＣＣＨリソースは、図２２の数式（ａ−２）によって与えられる。ただし、nCCE,iはサブフレームn-kiの中で関連するＰＤＣＣＨの送信のために用いられる最初のＣＣＥの番号（インデックス）である。N(1)PUCCHは上位レイヤで設定されるパラメータである。また、NDLRBは下りリンクにおけるリソースブロック数であり、NRBscはリソースブロック当たりのサブキャリア数である。図２２の数式（ａ−２）における(i-1)*N3は、i-1番目までのサブフレームに対するＰＵＣＣＨリソースに相当する。そのため、i番目のサブフレームに対するＰＵＣＣＨリソースは、(i-1)*N3を加算することにより、i-1番目までのサブフレームに対するＰＵＣＣＨリソースに連続して与えられる。すなわち、図２２の数式（ａ−２）を用いるセットKb内のエレメントに対するＰＵＣＣＨリソースは、そのエレメント毎（サブフレーム毎）に連続して与えられる。
【０２６４】
また、サブフレームn-kiにおける関連するＥＰＤＣＣＨの検出によって示されるＰＤＳＣＨ送信、または、サブフレームn-kiにおける下りリンクＳＰＳ（Semi-Persistent Scheduling）の開放（ＳＰＳリリース）を示すＥＰＤＣＣＨに対するＰＵＣＣＨリソースは、図２２の数式（ｂ−１）および数式（ｂ−２）によって与えられる。ＥＰＤＣＣＨセット（EPDCCH-PRB-set）qが分散送信に設定される場合、ＰＵＣＣＨリソースは図２２の数式（ｂ−１）が用いられる。ＥＰＤＣＣＨセット（EPDCCH-PRB-set）qが局所送信に設定される場合、ＰＵＣＣＨリソースは図２２の数式（ｂ−２）が用いられる。ただし、nECCE,qはサブフレームn-kiでありＥＰＤＣＣＨセットqの中で関連するＤＣＩ割り当ての送信のために用いられる最初のＣＣＥの番号（インデックス）である。つまり、そのＣＣＥの番号は、そのＥＰＤＣＣＨを構成するために用いられる最小のＥＣＣＥのインデックスである。N(e1)PUCCH,qはＥＰＤＣＣＨセットqにおいて、上位レイヤで設定されるパラメータである。NECCE,qRBはサブフレームn-kiにおいて、ＥＰＤＣＣＨセットqのために設定されるリソースブロックの総数である。
【０２６５】
すなわち、サブフレームnにおいて、M個のＰＵＣＣＨリソースが与えられる。そのM個のＰＵＣＣＨリソースは、チャネル選択を行うＰＵＣＣＨフォーマット１ｂのＰＵＣＣＨの送信に用いられる。例えば、上りリンク−下りリンク設定１が０であり、上りリンク−下りリンク設定２が２である場合、サブフレーム２において、４つのＰＵＣＣＨリソースが与えられる。その４つのＰＵＣＣＨリソースは、チャネル選択を行うＰＵＣＣＨフォーマット１ｂのＰＵＣＣＨの送信に用いられる。
【０２６６】
ここで、図２０に示す下りリンク関連付けセットのテーブル内のセットKaのそれぞれが示すサブフレームは、下りリンクサブフレームおよび／またはスペシャルサブフレームである。図２０に示す下りリンク関連付けセットのテーブル内のセットKbのそれぞれが示すサブフレームは、下りリンクサブフレーム、スペシャルサブフレームおよび／またはフレキシブルサブフレームである。また、図２０に示す下りリンク関連付けセットのテーブル内のセットKaは、上りリンクサブフレームであるサブフレームnにおいて、図１８に示す下りリンク関連付けセットのテーブル内のセットKと同じである。図２０に示す下りリンク関連付けセットのテーブル内のセットKbは、サブフレームnに関連付けられるサブフレームの内、セットKa以外のサブフレームのセットである。
【０２６７】
これにより、上りリンク−下りリンク設定２が設定される（フレキシブルサブフレームが認識できる）移動局装置と、上りリンク−下りリンク設定２が設定されない（フレキシブルサブフレームが認識できない）移動局装置とが、同時に通信する時に効果が期待できる。すなわち、上りリンク−下りリンク設定２が設定される（フレキシブルサブフレームが認識できる）移動局装置により用いられる図２０に示す下りリンク関連付けセットのテーブル内のセットKaと、上りリンク−下りリンク設定２が設定されない（フレキシブルサブフレームが認識できない）移動局装置により用いられる図１８に示す下りリンク関連付けセットのテーブル内のセットKとが同じであるため、ＰＵＣＣＨリソースを共有できるため、ＰＵＣＣＨリソースの利用効率が向上できる。特に、ＨＡＲＱ応答情報多重するサブフレーム間でブロックインタリーブが行われる場合、つまりＰＤＣＣＨによって示されるＰＤＳＣＨ送信におけるＨＡＲＱ応答情報を送信する場合に、高い効果が得られる。
【０２６８】
また、ＰＤＣＣＨによって示されるＰＤＳＣＨ送信におけるＨＡＲＱ応答情報のために用いられるＰＵＣＣＨリソースのインデックスが演算される時、セットKbにおいて、ＨＡＲＱ応答情報多重するサブフレーム間でのブロックインタリーブは行われず、サブフレームの順にＰＵＣＣＨリソースが与えられる。セットKbに含まれるフレキシブルサブフレームが上りリンクサブフレームとして用いられた場合、そのサブフレームに対するＰＵＣＣＨリソースは不要である。サブフレームの順にＰＵＣＣＨリソースが与えられることにより、その不要なＰＵＣＣＨリソースが活用されやすくなる。そのため、ＰＵＣＣＨリソースの利用効率が向上する。
【０２６９】
ＰＤＣＣＨまたはＥＰＤＣＣＨによって示されるＰＤＳＣＨ送信におけるＨＡＲＱ応答情報多重の詳細の一例は、上りリンク−下りリンク設定１、上りリンク−下りリンク設定２、および図１８で示される下りリンク関連付けセットを用いる。上りリンク−下りリンク設定１は上りリンク参照ＵＬ−ＤＬ設定であり、上りリンク−下りリンク設定２は下りリンク参照ＵＬ−ＤＬ設定である。セットKaおよびセットKbは、あるサブフレームにおいて、上りリンク−下りリンク設定１および上りリンク−下りリンク設定２が示すＵＬ／ＤＬ設定のそれぞれに対応する下りリンク関連付けセットを比較して決定される。また、下りリンク関連付けセットは、上りリンク−下りリンク設定２が設定されない（フレキシブルサブフレームが認識できない）従来の移動局装置も用いる表である。具体的には、セットKaは、上りリンク−下りリンク設定１のＵＬ／ＤＬ設定に対応する下りリンク関連付けセットのエレメントと、上りリンク−下りリンク設定２のＵＬ／ＤＬ設定に対応する下りリンク関連付けセットのエレメントとを比較して、共通する下りリンク関連付けセットのエレメントにより与えられる。セットKbは、上りリンク−下りリンク設定２のＵＬ／ＤＬ設定に対応する下りリンク関連付けセットのエレメントのうち、セットKaにおけるのエレメントを除くのエレメントにより与えられる。例えば、サブフレーム２において、移動局装置は上りリンク−下りリンク設定１としてＵＬ／ＤＬ設定１が設定され、上りリンク−下りリンク設定２としてＵＬ／ＤＬ設定４が設定される場合、セットKaの下りリンク関連付けセットのエレメントは、ＵＬ／ＤＬ設定１およびＵＬ／ＤＬ設定４において共通するのエレメントである{7}となる。セットKbの下りリンク関連付けセットのエレメントは、ＵＬ／ＤＬ設定４に対応する下りリンク関連付けセットのエレメントのうち、セットKaにおけるエレメントを除くのエレメントである{12, 8, 11}となる。また、例えば、サブフレーム７において、移動局装置は上りリンク−下りリンク設定１としてＵＬ／ＤＬ設定１が設定され、上りリンク−下りリンク設定２としてＵＬ／ＤＬ設定４が設定される場合、セットKaおよびセットKbの下りリンク関連付けセットのエレメントは、それぞれ存在しない。
【０２７０】
次に、セットKaとセットKbの２つが規定されることにより、ＰＤＣＣＨによって示されるＰＤＳＣＨ送信におけるＨＡＲＱ応答情報のために用いられるＰＵＣＣＨリソースのインデックスの演算において、nCCEがマッピングされるＯＦＤＭシンボルの順に与えられるようにされるブロックインタリーブが、それぞれのセットに対して独立に行われる。その演算は、以上で説明した数式を用いることができる。ただし、セットKaに対するMaの値は、上りリンク−下りリンク設定１のＵＬ／ＤＬ設定に対応する下りリンク関連付けセットのエレメントの数で与えられる。そのため、セットKaに対するMaの値は、セットKaにおけるエレメントの数と異なる場合がある。例えば、サブフレーム２において、移動局装置は上りリンク−下りリンク設定１としてＵＬ／ＤＬ設定１が設定され、上りリンク−下りリンク設定２としてＵＬ／ＤＬ設定４が設定される場合、セットKaの下りリンク関連付けセットのエレメントの数は１であるが、そのセットKa に対するMaは上りリンク−下りリンク設定１のＵＬ／ＤＬ設定に対応する下りリンク関連付けセットのエレメントの数である２となる。
【０２７１】
セットKbに対するMbの値は、セットKbにおけるエレメントの数である。すなわち、Mbの値は、上りリンク−下りリンク設定２のＵＬ／ＤＬ設定に対応する下りリンク関連付けセットのエレメントの数から、上りリンク−下りリンク設定１のＵＬ／ＤＬ設定に対応する下りリンク関連付けセットのエレメントの数を減算した値で与えられる。また、Mの値は、MaとMbとの和である。
【０２７２】
これにより、セットKaとセットKbは、図１８で示される１つの下りリンク関連付けセットで与えられることができるため、基地局装置および移動局装置の記憶容量を低減できる。また、セットKaにおけるエレメントに対応するＰＵＣＣＨリソースは、上りリンク−下りリンク設定２が設定される（フレキシブルサブフレームが認識できる）移動局装置と、上りリンク−下りリンク設定２が設定されない（フレキシブルサブフレームが認識できない）移動局装置とで共有できるため、ＰＵＣＣＨリソースに対する利用効率を向上できる。
【０２７３】
なお、以上で説明したMaは、セットKaにおけるエレメントの数で与えられてもよい。これにより、セットKaに対するＰＵＣＣＨリソースは効率的に利用できる。また、MaがセットKaにおけるエレメントの数で与えられる場合でも、ＰＵＣＣＨリソースのインデックスの演算に用いられるパラメータは別のパラメータが用いられてもよい。例えば、ＰＵＣＣＨリソースのインデックスの演算に用いられるパラメータは、上りリンク−下りリンク設定１のＵＬ／ＤＬ設定に対応する下りリンク関連付けセットのエレメントの数で与えられる。
【０２７４】
また、Maの値は制御チャネルや他のパラメータに応じて、切り替えることができる。例えば、ＨＡＲＱ応答情報に対応するＰＤＳＣＨ送信がＰＤＣＣＨの検出によって示される場合、Maの値は上りリンク−下りリンク設定１のＵＬ／ＤＬ設定に対応する下りリンク関連付けセットのエレメントの数である。ＨＡＲＱ応答情報に対応するＰＤＳＣＨ送信がＥＰＤＣＣＨの検出によって示される場合、Maの値はセットKaにおけるエレメントの数である。その切り替えにより、ＨＡＲＱ応答情報のためのＰＵＣＣＨリソースは、制御チャネルや他のパラメータに応じて効率的に利用できる。
【０２７５】
なお、以上で説明したセットKaおよびセットKbは、それぞれ第１のエレメント（第１のエレメントの集合）および第２のエレメント（第２のエレメントの集合）と呼称できる。なお、以上で説明したMaおよびMbは、それぞれ第１のパラメータおよび第２のパラメータと呼称できる。
【０２７６】
以上の方法は以下のように言い換えることができる。すなわち、基地局装置は、端末装置と通信する基地局装置であって、基地局装置に固有の情報として通知される第１の上りリンク−下りリンク設定と、端末装置に固有の情報として設定される第２の上りリンク−下りリンク設定とを送信する送信部と、所定の上りリンクサブフレームにおいて、第１のエレメントおよび第２のエレメントに対応するＰＤＳＣＨ送信に対するＨＡＲＱ応答情報のためのＰＵＣＣＨリソースを用いて、１つ以上のＨＡＲＱ応答情報を受信する受信部と、を備える。
【０２７７】
また、端末装置は、基地局装置と通信する端末装置であって、基地局装置に固有の情報として通知される第１の上りリンク−下りリンク設定と、端末装置に固有の情報として設定される第２の上りリンク−下りリンク設定とを受信する受信部と、所定の上りリンクサブフレームにおいて、第１のエレメントおよび第２のエレメントに対応するＰＤＳＣＨ送信に対するＨＡＲＱ応答情報のためのＰＵＣＣＨリソースを用いて、１つ以上のＨＡＲＱ応答情報を送信する送信部と、を備える。
【０２７８】
また、第１のエレメントおよび第２のエレメントのそれぞれは、第１の上りリンク−下りリンク設定により示されるセット内のエレメント、および第２の上りリンク−下りリンク設定により示されるセット内のエレメントに基づいて与えられる。
【０２７９】
また、第１のエレメントにおけるＰＵＣＣＨリソースは第１のパラメータおよび第１の数式を用いて与えられ、第２のエレメントにおけるＰＵＣＣＨリソースは第２のパラメータおよび第２の数式を用いて与えられる。
【０２８０】
また、第１のエレメントは、第１の上りリンク−下りリンク設定により示されるセット内のエレメントと第２の上りリンク−下りリンク設定により示されるセット内のエレメントとの共通のエレメントにより与えられる。第２のエレメントは、第２の上りリンク−下りリンク設定により示されるセット内のエレメントのうち、第１のエレメントが除外されたエレメントにより与えられる。
【０２８１】
また、第１のパラメータは、第１の上りリンク−下りリンク設定により示されるセット内のエレメントの数である。第２のパラメータは、第２のエレメントの数である。
【０２８２】
以上の説明では、ＰＤＣＣＨまたはＥＰＤＣＣＨによって示されるＰＤＳＣＨ送信におけるＨＡＲＱ応答情報多重が、上りリンク−下りリンク設定１および上りリンク−下りリンク設定２に基づいて行われる場合を説明した。ＰＤＣＣＨまたはＥＰＤＣＣＨによって示されるＰＤＳＣＨ送信におけるＨＡＲＱ応答情報多重は、上りリンク−下りリンク設定１および上りリンク−下りリンク設定２に加えて、制御チャネルサブフレーム設定（送信方向ＵＬ−ＤＬ設定）に基づいて行われることができる。
【０２８３】
上りリンク−下りリンク設定１、上りリンク−下りリンク設定２および制御チャネルサブフレーム設定に基づくＨＡＲＱ応答情報多重の一例は、上りリンク−下りリンク設定１および上りリンク−下りリンク設定２によりフレキシブルサブフレームとして設定されたサブフレームの内、制御チャネルサブフレーム設定に応じて、そのサブフレームに対するＰＵＣＣＨリソースを切り替えることである。上りリンク−下りリンク設定１および上りリンク−下りリンク設定２によりフレキシブルサブフレームとして設定されたサブフレームの内、制御チャネルサブフレーム設定により下りリンクサブフレームとして設定（スケジューリング）されないサブフレームにおいて、そのサブフレームに対するＰＵＣＣＨリソースは無いものとして見なす。
【０２８４】
上りリンク−下りリンク設定１、上りリンク−下りリンク設定２および制御チャネルサブフレーム設定に基づくＨＡＲＱ応答情報多重の一例は、上りリンク−下りリンク設定１および上りリンク−下りリンク設定２により下りリンクサブフレーム、スペシャルサブフレームまたはフレキシブルサブフレームとして設定されたサブフレームの内、制御チャネルサブフレーム設定に応じて、そのサブフレームに対するＰＵＣＣＨリソースを切り替えることである。上りリンク−下りリンク設定１および上りリンク−下りリンク設定２により下りリンクサブフレーム、スペシャルサブフレームまたはフレキシブルサブフレームとして設定されたサブフレームの内、制御チャネルサブフレーム設定により下りリンクサブフレームとして設定（スケジューリング）されないサブフレームにおいて、そのサブフレームに対するＰＵＣＣＨリソースは無いものとして見なす。
【０２８５】
上りリンク−下りリンク設定１、上りリンク−下りリンク設定２および制御チャネルサブフレーム設定に基づくＨＡＲＱ応答情報多重の一例は、セットKaとセットKbが規定（設定）される場合において、セットKb内のエレメントに対応するサブフレームの内、制御チャネルサブフレーム設定に応じて、そのサブフレームに対するＰＵＣＣＨリソースを切り替えることである。セットKaとセットKbが規定（設定）される場合、セットKb内のエレメントに対応するサブフレームの内、制御チャネルサブフレーム設定により下りリンクサブフレームとして設定（スケジューリング）されないサブフレームにおいて、そのサブフレームに対するＰＵＣＣＨリソースは無いものとして見なす。
【０２８６】
例えば、既に説明したように、図２０に示す下りリンク関連付けセットを用いることができる場合、上りリンク−下りリンク設定２が設定される（フレキシブルサブフレームが認識できる）移動局装置により用いられる図２０に示す下りリンク関連付けセットのテーブル内のセットKaと、上りリンク−下りリンク設定２が設定されない（フレキシブルサブフレームが認識できない）移動局装置により用いられる図１８に示す下りリンク関連付けセットのテーブル内のセットKとが同じであるため、ＰＵＣＣＨリソースを共有できる。そのため、ＰＵＣＣＨリソースを共有できるセットKa内のエレメントに対応するサブフレームは、共有の観点から、無いものとして見なされないほうが好ましい。一方で、セットKbは、上りリンク−下りリンク設定２が設定されない（フレキシブルサブフレームが認識できない）移動局装置とＰＵＣＣＨリソースを共有できない。そのため、ＰＵＣＣＨリソースを共有できないセットKb内のエレメントに対応するサブフレームは、共有の観点から、無いものとして見なすことが可能である。
【０２８７】
ＰＵＣＣＨリソースが無いものとして見なされるサブフレームを実現する方法は様々な方法を用いることができる。例えば、ＰＵＣＣＨリソースが無いものとして見なされるサブフレームに対応するセットK内のエレメントは、ＰＵＣＣＨリソースの演算において無いものとして見なされることができる。また、例えば、ＥＰＤＣＣＨによって示されるＰＤＳＣＨ送信におけるＨＡＲＱ応答情報多重において、ＰＵＣＣＨリソースが無いものとして見なすサブフレームに対するNECCE,q,n-ki1を0とすることで実現できる。
【０２８８】
以下では、サブフレームnにおけるセットK（セットKaとセットKbも含む）内のエレメントの詳細を説明する。
【０２８９】
サブフレームnにおけるセットK（セットKaとセットKbも含む）内のエレメントの一例は、４以上の値である。つまり、サブフレームnでは、４サブフレーム以前におけるＨＡＲＱ応答情報が送信される。そのため、移動局装置１は、ＰＤＳＣＨの受信処理から、そのＰＤＳＣＨに対するＨＡＲＱ応答情報の生成までを、少なくとも４サブフレーム以内に完了できるようにすればよい。
【０２９０】
サブフレームnにおけるセットK（セットKaとセットKbも含む）内のエレメントの一例は、無線フレーム内に２つ以上の上りリンクサブフレームが設定される場合、そのエレメントの数は、上りリンクサブフレーム間で出来るだけ均等になるように規定される。つまり、無線フレーム内に２つ以上の上りリンクサブフレームが設定される場合、ＨＡＲＱ応答情報多重するサブフレームの数が、上りリンクサブフレーム間で偏らないように規定される。例えば、無線フレーム内に２つの上りリンクサブフレームが設定される場合、上りリンクサブフレームにおけるセットK内のエレメントの数（つまりM）は、それぞれ４である。無線フレーム内に３つの上りリンクサブフレームが設定される場合、上りリンクサブフレームにおけるセットK内のエレメントの数（つまりM）は、それぞれ３、２および２である。無線フレーム内に４つの上りリンクサブフレームが設定される場合、上りリンクサブフレームにおけるセットK内のエレメントの数（つまりM）は、それぞれ２、１、２および１である。無線フレーム内に５つの上りリンクサブフレームが設定される場合、上りリンクサブフレームにおけるセットK内のエレメントの数（つまりM）は、それぞれ１である。
【０２９１】
サブフレームnにおけるセットK（セットKaとセットKbも含む）内のエレメントの順序の一例は、上りリンク−下りリンク設定１および上りリンク−下りリンク設定２により設定される下りリンクサブフレーム、スペシャルサブフレーム、フレキシブルサブフレームの順である。これにより、上りリンクサブフレームとして用いられる可能性があるフレキシブルサブフレームに対応するＰＵＣＣＨリソースが、後方に設定することができるため、ＰＵＣＣＨリソースの利用効率が向上できる。なお、サブフレーム６は、そのサブフレームの順序の決定において、下りリンクサブフレームであってもスペシャルサブフレームとして見なすことができる。
【０２９２】
サブフレームnにおけるセットK（セットKaとセットKbも含む）内のエレメントの順序の一例は、上りリンク−下りリンク設定１および上りリンク−下りリンク設定２により設定される下りリンクサブフレーム、フレキシブルサブフレーム、スペシャルサブフレームの順である。スペシャルサブフレームはＰＤＳＣＨを割り当てられる領域が相対的に小さいため、スペシャルサブフレームにＰＤＳＣＨを割り当てる可能性が低い場合、そのスペシャルサブフレームに対応するＰＵＣＣＨリソースが後方に設定することができるため、ＰＵＣＣＨリソースの利用効率が向上できる。なお、サブフレーム６は、そのサブフレームの順序の決定において、下りリンクサブフレームであってもスペシャルサブフレームとして見なすことができる。
【０２９３】
また、下りリンクサブフレーム、スペシャルサブフレームおよびフレキシブルサブフレームのそれぞれにおいて、エレメントの数が複数である場合、その順序は、エレメントの値（ki）が大きい順（受信したサブフレームの順）である。
【０２９４】
また、フレキシブルサブフレームにおいて、エレメントの数が複数である場合、そのエレメントの順序は、無線フレーム内の後方のサブフレームから前方のサブフレームの順（つまり、無線フレーム内のサブフレーム番号が大きい順）にすることができる。あるサブフレームが下りリンクサブフレームとして用いられるサブフレームである場合、そのサブフレームの直後のフレキシブルサブフレームは、上りリンクサブフレームとして用いることが出来ない。また、あるサブフレームが上りリンクサブフレームとして用いられるサブフレームである場合、そのサブフレームの直後のフレキシブルサブフレームは、上りリンクサブフレームまたは下りリンクサブフレームとして用いることができる。つまり、無線フレームにおいて、フレキシブルサブフレームが連続して設定される場合、後方のサブフレームが下りリンクサブフレームとして用いられる可能性が高くなる。そのため、フレキシブルサブフレームにおけるエレメントの順序が、無線フレーム内の後方のサブフレームから前方のサブフレームの順にすることにより、下りリンクサブフレームとして用いられる可能性が低いサブフレームに対応するＰＵＣＣＨリソースが後方に設定することができるため、ＰＵＣＣＨリソースの利用効率が向上できる。
【０２９５】
サブフレームnにおけるセットK（セットKaとセットKbも含む）内のエレメントの順序を、ＰＤＳＣＨが割り当てられる可能性が高いサブフレームの順にすることによる効果を説明する。ＰＤＳＣＨ送信におけるＨＡＲＱ応答情報のために用いられるＰＵＣＣＨリソースは、少なくともＣＣＥ番号またはＥＣＣＥ番号に黙示的に与えられるが、実際に用いられるＰＵＣＣＨリソースは出来るだけ纏めることが好ましい。特に、ＰＵＣＣＨリソースは、上りリンクサブフレームにおける両端のリソースブロックから順に設定されるため、ＰＵＣＣＨリソースはそのインデックスに対して前方に纏めることにより、ＰＵＣＣＨの送信に用いられないリソースブロックは、ＰＵＳＣＨなどの他のチャネルや信号の送信に用いられることができる。そのため、ＰＵＣＣＨリソースの利用効率が向上するため、上りリンクサブフレーム全体の利用効率も向上できる。
【０２９６】
また、ＰＵＣＣＨリソースが、ＡＲＯ（HARQ-ACK Resouce Offset）をさらに用いて、決定されてもよい。ＡＲＯは、ＰＵＣＣＨリソースのオフセットである。ＡＲＯの値は、予め規定される複数の値から、ＰＤＣＣＨまたはＥＰＤＣＣＨで送信されるＤＣＩのＡＲＯフィールドで選択される。例えば、ＡＲＯフィールドは２ビットの情報（ＡＲＯ）を通知することができ、４つのＡＲＯの値が規定される。例えば、予め規定されるＡＲＯの値は、０、−１、−２または２である。
【０２９７】
ＨＡＲＱ応答情報の送信に用いられるＰＵＣＣＨリソースは、nCCEまたはnECCEと、上位レイヤで設定されるパラメータと、他のサブフレームにおけるＣＣＥ数またはＥＣＣＥ数と、ＡＲＯとを用いて、決定される。また、ＰＵＣＣＨリソース番号は、nCCEまたはnECCEと、上位レイヤで設定されるパラメータと、他のサブフレームにおけるＣＣＥ数またはＥＣＣＥ数と、ＡＲＯの値との加算により算出される。
【０２９８】
また、以上では、ＨＡＲＱ応答情報の送信に用いられるＰＵＣＣＨリソースを決定する方法として、黙示的に決定される方法が説明された。ＨＡＲＱ応答情報の送信に用いられるＰＵＣＣＨリソースを決定する別の方法（演算）として、ＰＵＣＣＨリソース番号が、明示的に決定される方法を用いることができる。例えば、ＰＵＣＣＨリソースが、上位レイヤで設定される１つのパラメータによって、決定される。例えば、ＰＵＣＣＨリソースが、上位レイヤで設定される複数のパラメータの中から、ＰＤＣＣＨまたはＥＰＤＣＣＨで選択された１つのパラメータによって、決定される。例えば、上位レイヤで設定されるパラメータは、０〜２０４７のいずれかである。なお、ＰＵＣＣＨフォーマット３におけるＰＵＣＣＨリソースの決定は、明示的に決定される方法のみが用いられるようにしてもよい。
【０２９９】
ＨＡＲＱ応答情報の送信に用いられるＰＵＣＣＨリソースを決定する方法として、黙示的に決定される方法の一例は、上りリンク−下りリンク設定２が設定される場合（フレキシブルサブフレームが認識できる場合）、セットKb内のエレメントに対するＰＵＣＣＨリソースが、上位レイヤで設定されるパラメータに基づいて与えられる。セットK内のエレメントの数であるMが１または２の場合、ＨＡＲＱ応答情報は、チャネル選択を用いるＰＵＣＣＨフォーマット１ｂで送信される。セットKb内のエレメントの数であるMが３以上の場合、ＨＡＲＱ応答情報は、ＰＵＣＣＨフォーマット３で送信される。チャネル選択を用いるＰＵＣＣＨフォーマット１ｂおよびＰＵＣＣＨフォーマット３の送信に用いられるＰＵＣＣＨリソースは、移動局装置３に固有の情報として、ＲＲＣシグナリングされる。一方、上りリンク−下りリンク設定２が設定されない場合（フレキシブルサブフレームが認識できない場合）、セットK内のエレメントに対するＰＵＣＣＨリソースにおいて、既に説明したような黙示的に決定される方法が用いられる。
【０３００】
ＨＡＲＱ応答情報の送信に用いられるＰＵＣＣＨリソースを決定する方法として、黙示的に決定される方法の一例は、上りリンク−下りリンク設定２が設定される場合（フレキシブルサブフレームが認識できる場合）、セットK内のエレメントに対するＰＵＣＣＨリソースが、上位レイヤで設定されるパラメータに基づいて与えられる。セットK内のエレメントの数であるMが４以下の場合、ＨＡＲＱ応答情報は、チャネル選択を用いるＰＵＣＣＨフォーマット１ｂで送信される。セットK内のエレメントの数であるMが４より大きい場合、ＨＡＲＱ応答情報は、ＰＵＣＣＨフォーマット３で送信される。チャネル選択を用いるＰＵＣＣＨフォーマット１ｂおよびＰＵＣＣＨフォーマット３の送信に用いられるＰＵＣＣＨリソースは、移動局装置３に固有の情報として、ＲＲＣシグナリングされる。一方、上りリンク−下りリンク設定２が設定されない場合（フレキシブルサブフレームが認識できない場合）、セットK内のエレメントに対するＰＵＣＣＨリソースにおいて、既に説明したような黙示的に決定される方法が用いられる。
【０３０１】
ＨＡＲＱ応答情報の送信に用いられるＰＵＣＣＨリソースを決定する方法として、黙示的に決定される方法の一例は、上りリンク−下りリンク設定２が設定される場合（フレキシブルサブフレームが認識できる場合）、セットKb内のエレメントに対するＰＵＣＣＨリソースが、上位レイヤで設定されるパラメータに基づいて与えられる。セットK内のエレメントの数であるMが４以下の場合、上位レイヤで設定され、セットK内のエレメントに対応付けられるＰＵＣＣＨリソースを用いて、ＨＡＲＱ応答情報はチャネル選択を用いるＰＵＣＣＨフォーマット１ｂで送信される。例えば、４つの独立したＰＵＣＣＨリソースが上位レイヤで設定され、それぞれのＰＵＣＣＨリソースに対して、セットKb内のエレメントが順に対応付けられる。また、上位レイヤで設定される４つの独立したＰＵＣＣＨリソースは、ＳＰＳのＰＤＳＣＨに対するＨＡＲＱ応答情報の送信のために設定されるＰＵＣＣＨリソースを用いることができる。セットK内のエレメントの数であるMが４より大きい場合、ＨＡＲＱ応答情報は、ＰＵＣＣＨフォーマット３で送信される。ＰＵＣＣＨフォーマット３の送信に用いられるＰＵＣＣＨリソースは、移動局装置３に固有の情報として、ＲＲＣシグナリングされる。一方、上りリンク−下りリンク設定２が設定されない場合（フレキシブルサブフレームが認識できない場合）、セットK内のエレメントに対するＰＵＣＣＨリソースにおいて、既に説明したような黙示的に決定される方法が用いられる。
【０３０２】
ＨＡＲＱ応答情報の送信に用いられるＰＵＣＣＨリソースを決定する方法として、黙示的に決定される方法の一例は、上りリンク−下りリンク設定２が設定され（フレキシブルサブフレームが認識でき）、セットKaとセットKbが規定される場合、セットKb内のエレメントに対するＰＵＣＣＨリソースが、上位レイヤで設定されるパラメータに基づいて与えられる。セットKb内のエレメントの数であるMbが１または２の場合、ＨＡＲＱ応答情報は、チャネル選択を用いるＰＵＣＣＨフォーマット１ｂで送信される。セットKb内のエレメントの数であるMbが３以上の場合、ＨＡＲＱ応答情報は、ＰＵＣＣＨフォーマット３で送信される。チャネル選択を用いるＰＵＣＣＨフォーマット１ｂおよびＰＵＣＣＨフォーマット３の送信に用いられるＰＵＣＣＨリソースは、移動局装置３に固有の情報として、ＲＲＣシグナリングされる。一方、セットKa内のエレメントに対するＰＵＣＣＨリソースにおいて、既に説明したような黙示的に決定される方法が用いられる。また、上りリンク−下りリンク設定２が設定されない場合（フレキシブルサブフレームが認識できない場合）、セットK内のエレメントに対するＰＵＣＣＨリソースにおいて、既に説明したような黙示的に決定される方法が用いられる。
【０３０３】
ＨＡＲＱ応答情報の送信に用いられるＰＵＣＣＨリソースを決定する方法として、黙示的に決定される方法の一例は、上りリンク−下りリンク設定２が設定され（フレキシブルサブフレームが認識でき）、セットKaとセットKbが規定される場合、セットKb内のエレメントに対するＰＵＣＣＨリソースが、上位レイヤで設定されるパラメータに基づいて与えられる。セットKb内のエレメントの数であるMbが４以下の場合、ＨＡＲＱ応答情報は、チャネル選択を用いるＰＵＣＣＨフォーマット１ｂで送信される。セットKb内のエレメントの数であるMbが４より大きい場合、ＨＡＲＱ応答情報は、ＰＵＣＣＨフォーマット３で送信される。チャネル選択を用いるＰＵＣＣＨフォーマット１ｂおよびＰＵＣＣＨフォーマット３の送信に用いられるＰＵＣＣＨリソースは、移動局装置３に固有の情報として、ＲＲＣシグナリングされる。一方、セットKa内のエレメントに対するＰＵＣＣＨリソースにおいて、既に説明したような黙示的に決定される方法が用いられる。また、上りリンク−下りリンク設定２が設定されない場合（フレキシブルサブフレームが認識できない場合）、セットK内のエレメントに対するＰＵＣＣＨリソースにおいて、既に説明したような黙示的に決定される方法が用いられる。
【０３０４】
ＨＡＲＱ応答情報の送信に用いられるＰＵＣＣＨリソースを決定する方法として、黙示的に決定される方法の一例は、上りリンク−下りリンク設定２が設定され（フレキシブルサブフレームが認識でき）、セットKaとセットKbが規定される場合、セットKb内のエレメントに対するＰＵＣＣＨリソースが、上位レイヤで設定されるパラメータに基づいて与えられる。セットKb内のエレメントの数であるMbが４以下の場合、上位レイヤで設定され、セットKb内のエレメントに対応付けられるＰＵＣＣＨリソースを用いて、ＨＡＲＱ応答情報はチャネル選択を用いるＰＵＣＣＨフォーマット１ｂで送信される。例えば、４つの独立したＰＵＣＣＨリソースが上位レイヤで設定され、それぞれのＰＵＣＣＨリソースに対して、セットKb内のエレメントが順に対応付けられる。また、上位レイヤで設定される４つの独立したＰＵＣＣＨリソースは、ＳＰＳのＰＤＳＣＨに対するＨＡＲＱ応答情報の送信のために設定されるＰＵＣＣＨリソースを用いることができる。セットKb内のエレメントの数であるMbが４より大きい場合、ＨＡＲＱ応答情報は、ＰＵＣＣＨフォーマット３で送信される。ＰＵＣＣＨフォーマット３の送信に用いられるＰＵＣＣＨリソースは、移動局装置３に固有の情報として、ＲＲＣシグナリングされる。一方、セットKa内のエレメントに対するＰＵＣＣＨリソースにおいて、既に説明したような黙示的に決定される方法が用いられる。また、上りリンク−下りリンク設定２が設定されない場合（フレキシブルサブフレームが認識できない場合）、セットK内のエレメントに対するＰＵＣＣＨリソースにおいて、既に説明したような黙示的に決定される方法が用いられる。
【０３０５】
また、以上で説明した方法は、別の観点から、上りリンク−下りリンク設定２が設定されるか否か（フレキシブルサブフレームが認識できるか否か）に応じて、基地局装置３および移動局装置１の動作が切り替わるとすることができる。
【０３０６】
上りリンク−下りリンク設定２が設定されるか否かに応じて切り替わる動作の一例は、ＰＤＣＣＨまたはＥＰＤＣＣＨによって示されるＰＤＳＣＨ送信におけるＨＡＲＱ応答情報多重に用いられる下りリンク関連付けセットのテーブルである。上りリンク−下りリンク設定２が設定されない場合、ＰＤＣＣＨまたはＥＰＤＣＣＨによって示されるＰＤＳＣＨ送信におけるＨＡＲＱ応答情報多重に用いられるＰＵＣＣＨリソースは、図１８で示されるように、１つの上りリンク−下りリンク設定に対して規定される下りリンク関連付けセットのテーブルを用いる。図１８で示される下りリンク関連付けセットのテーブルは、上りリンク−下りリンク設定２が設定できない従来の移動局装置で用いられる。上りリンク−下りリンク設定２が設定される場合、ＰＤＣＣＨまたはＥＰＤＣＣＨによって示されるＰＤＳＣＨ送信におけるＨＡＲＱ応答情報多重に用いられるＰＵＣＣＨリソースは、図１４、図１６、図１９、または図２０で示されるように、２つの上りリンク−下りリンク設定（上りリンク−下りリンク設定１および上りリンク−下りリンク設定２）の組み合わせ（ペア）に対して規定される下りリンク関連付けセットのテーブルを用いる。
【０３０７】
また、図１８で示されるような、１つの上りリンク−下りリンク設定に対して規定される下りリンク関連付けセットのテーブルは、第１のテーブルとも呼称される。図１４、図１６、図１９、または図２０で示されるような、２つの上りリンク−下りリンク設定（上りリンク−下りリンク設定１および上りリンク−下りリンク設定２）の組み合わせ（ペア）に対して規定される下りリンク関連付けセットのテーブルは、第２のテーブルとも呼称される。なお、第１のテーブルおよび第２のテーブルは、単にテーブルとも呼称される。
【０３０８】
言い換えると、移動局装置に固有の情報として第２の上りリンク−下りリンク設定がＲＲＣシグナリングを通じて設定されない場合、移動局装置宛のＰＤＳＣＨ送信に対するＨＡＲＱ応答情報のためのＰＵＣＣＨリソースは、第１のテーブルで定義されるセット内のエレメントに基づいて与えられる。移動局装置に固有の情報として第２の上りリンク−下りリンク設定がＲＲＣシグナリングを通じて設定される場合、移動局装置宛のＰＤＳＣＨ送信に対するＨＡＲＱ応答情報のためのＰＵＣＣＨリソースは、第２のテーブルで定義されるセット内のエレメントに基づいて与えられる。
【０３０９】
上りリンク−下りリンク設定２が設定されるか否かに応じて切り替わる動作の一例は、ＨＡＲＱ応答情報の送信に用いられるＰＵＣＣＨリソースの演算である。上りリンク−下りリンク設定２が設定されない場合、ＨＡＲＱ応答情報の送信に用いられるＰＵＣＣＨリソースの演算は、あるサブフレームnにおいて、１つのセットK内のエレメントに対するブロックインタリーブを行う。上りリンク−下りリンク設定２が設定される場合、ＨＡＲＱ応答情報の送信に用いられるＰＵＣＣＨリソースの演算は、あるサブフレームnにおいて、２つのセットKaおよびKb内のエレメントに対するブロックインタリーブをそれぞれのセット毎に行う。具体的には、上りリンク−下りリンク設定２が設定されるか否かに応じて、ＨＡＲＱ応答情報の送信に用いられるＰＵＣＣＨリソースの演算に用いられる数式が切り替わる。
【０３１０】
基地局装置３は、基地局装置３に固有の情報としてＳＩＢを通じて通知される第１の上りリンク−下りリンク設定と、移動局装置１に固有の情報としてＲＲＣシグナリングを通じて設定される第２の上りリンク−下りリンク設定とを送信する送信部を備える。基地局装置３は、移動局装置１宛のＰＤＳＣＨ送信に対するＨＡＲＱ応答情報のためのＰＵＣＣＨリソースを用いて、ＨＡＲＱ応答情報を受信する受信部を備える。
【０３１１】
移動局装置１は、基地局装置３に固有の情報としてＳＩＢを通じて通知される第１の上りリンク−下りリンク設定と、移動局装置１に固有の情報としてＲＲＣシグナリングを通じて設定される第２の上りリンク−下りリンク設定とを受信する受信部を備える。移動局装置１は、移動局装置１宛のＰＤＳＣＨ送信に対するＨＡＲＱ応答情報のためのＰＵＣＣＨリソースを用いて、ＨＡＲＱ応答情報を送信する送信部を備える。
【０３１２】
また、テーブルで定義されるセット内のエレメントは、ＨＡＲＱ応答情報を送信する上りリンクサブフレームにおいて、ＨＡＲＱ応答情報に対するＰＤＳＣＨ送信が行われ得るサブフレームを示すことができる。
【０３１３】
第２のテーブルで定義されるセットが規定されるサブフレームは、第１の上りリンク−下りリンク設定および第２の上りリンク−下りリンク設定がそれぞれ上りリンクサブフレームとして設定する固定上りリンクサブフレームであるかもしれない。
【０３１４】
テーブルで定義されるセット内のエレメントにより示されるサブフレームのうち、ＰＤＳＣＨ送信が行われないサブフレームに対するＰＵＣＣＨリソースは与えられないと想定されるテーブルで定義されるセット内のエレメントにより示されるサブフレームのうち、フレキシブルサブフレーム、かつ、ＰＤＳＣＨ送信が行われないサブフレームに対するＰＵＣＣＨリソースは与えられないと想定されるかもしれない。ＰＤＳＣＨ送信が行われないサブフレームは、制御チャネルのモニタリングが行われないことが設定されるサブフレームとすることができる。ＰＤＳＣＨ送信が行われないサブフレームは、セル固有参照信号がマッピングされないことが設定されるサブフレームとすることができる。テーブルで定義されるセット内のエレメントにより示されるサブフレームのうち、ＰＤＳＣＨ送信が行われないサブフレームにおける制御チャネルエレメントの数は０と想定されることができる。ＰＤＳＣＨ送信が行われないサブフレームは、そのＰＤＳＣＨを示す制御チャネルに用いられるＲＮＴＩであるＣ−ＲＮＴＩとは別のＲＮＴＩであるＧｒｏｕｐ−ＲＮＴＩに基づく制御チャネルで通知される制御情報に基づいて決定する。
【０３１５】
また、セットKを構成するセットKaおよびセットKbは、それぞれ部分セットとも呼称される。例えば、セットKaおよびセットKbは、それぞれ部分セットKaおよび部分セットKbとも呼称される。つまり、セットKは、部分セットKaおよび部分セットKbの順で結合されたセットとすることができる。セットKaおよびセットKbは、それぞれ第１の部分セットおよび第２の部分セットとも呼称される。つまり、あるセットは、第１の部分セットおよび第２の部分セットの順で結合されたセットとすることができる。
【０３１６】
第１の部分セットおよび第２の部分セットは、第２のテーブルで定義される。第１の部分セット内のエレメントは、第１のテーブルで定義されるセット内のエレメントと同じである。第２の部分セット内のエレメントは、第１のテーブルで定義されるセット内のエレメントと異なる。
【０３１７】
第１の部分セット内のエレメントに基づくＰＵＣＣＨリソースは、ＰＤＳＣＨ送信を示す制御チャネルの送信のために用いられる最初の制御チャネルエレメント（ＣＣＥ／ＥＣＣＥ）のインデックスに少なくとも基づいて黙示的に与えられることができる。
【０３１８】
第２の部分セット内のエレメントに基づくＰＵＣＣＨリソースは、ＰＤＳＣＨ送信を示す制御チャネルの送信のために用いられる最初の制御チャネルエレメントのインデックスと、第１の部分セット内のエレメントに基づくＰＵＣＣＨリソースの全て（つまり、第１の部分セット内のエレメントが示すサブフレームに対して与えられ得る全てのＰＵＣＣＨリソース）と、に少なくとも基づいて黙示的に与えられることができる。なお、制御チャネルの送信のために用いられる最初の制御チャネルエレメントは、その制御チャネルを構成するＣＣＥまたはＥＣＣＥの最小のインデックスである。
【０３１９】
第２の部分セット内のエレメントに基づくＰＵＣＣＨリソースは、ＲＲＣシグナリングにより設定される複数のＰＵＣＣＨリソースの中から、制御チャネルで通知されるパラメータに基づいて明示的に与えられることができる。
【０３２０】
第１の部分セット内のエレメントにより示されるサブフレームは、固定下りリンクサブフレームのみとすることができる。第２の部分セット内のエレメントにより示されるサブフレームは、固定下りリンクサブフレームおよび／またはフレキシブルサブフレームとすることができる。なお、固定下りリンクサブフレームは、第１の上りリンク−下りリンク設定により下りリンクサブフレームまたはスペシャルサブフレームとして設定されるサブフレームとすることができる。フレキシブルサブフレームは、第１の上りリンク−下りリンク設定により上りリンクサブフレームとして設定され、第２の上りリンク−下りリンク設定により下りリンクサブフレームとして設定されるサブフレームとすることができる。
【０３２１】
また、以上の説明における動作（処理）は、上りリンク−下りリンク設定２が設定される場合について説明したが、これに限定されるものではない。例えば、以上の説明における動作（処理）は、フレキシブルサブフレームが認識できるか場合に適用できる。以上の説明における動作（処理）は、ダイナミックＴＤＤが設定される場合に適用できる。以上の説明における動作（処理）は、Ｇｒｏｕｐ−ＲＮＴＩが設定される場合に適用できる。以上の説明における動作（処理）は、Ｇｒｏｕｐ−ＲＮＴＩが設定される場合に適用できる。以上の説明における動作（処理）は、Ｇｒｏｕｐ−ＲＮＴＩに基づくサーチスペースのモニタリングが設定される場合に適用できる。
【０３２２】
また、以上の説明では、サブフレームnにおいて複数のＨＡＲＱ応答情報が多重される場合（つまり、セットK内のエレメントの数Mが２以上の場合）を説明したが、サブフレームnにおいて１つのＨＡＲＱ応答情報が送信される場合（つまり、Mが１の場合）にも適用できる。これにより、Mの値によらず、同様の処理および／または数式を用いて、ＨＡＲＱ応答情報の送信が実現できる。
【０３２３】
以下では、ＨＡＲＱ応答情報の送信に用いられるＰＵＣＣＨリソースが明示的に決定される方法の詳細を説明する。
【０３２４】
また、明示的に決定される方法において、上位レイヤで設定される複数のパラメータの中から１つのパラメータをＰＤＣＣＨまたはＥＰＤＣＣＨで選択する方法の１つは、ＰＤＣＣＨまたはＥＰＤＣＣＨで送信されるＤＣＩのＡＲＯフィールドを用いることである。明示的に決定される方法において、ＨＡＲＱ応答情報の送信に用いられるＰＵＣＣＨリソースの決定に際して、ＡＲＯフィールドの値が、上位レイヤで設定される複数のパラメータの中から１つのパラメータを選択するために用いられる。すなわち、ＨＡＲＱ応答情報の送信に用いられるＰＵＣＣＨリソースは、上位レイヤで設定される複数のパラメータと、関連するＰＤＣＣＨまたはＥＰＤＣＣＨで送信されるＤＣＩのＡＲＯフィールドとによって、決定される。
【０３２５】
また、明示的に決定される方法において、上位レイヤで設定される複数のパラメータの中から１つのパラメータをＰＤＣＣＨまたはＥＰＤＣＣＨで選択する方法の別の１つは、ＰＤＣＣＨまたはＥＰＤＣＣＨで送信されるＤＣＩのＴＰＣコマンドフィールドを用いることである。ＴＰＣコマンドフィールドは送信電力制御を行うための情報（ＴＰＣコマンド）を通知するために用いられる。明示的に決定される方法において、ＴＰＣコマンドフィールドの値が、上位レイヤで設定される複数のパラメータの中から１つのパラメータを選択するために用いられる。すなわち、ＨＡＲＱ応答情報の送信に用いられるＰＵＣＣＨリソースは、上位レイヤで設定される複数のパラメータと、関連するＰＤＣＣＨまたはＥＰＤＣＣＨで送信されるＤＣＩのＴＰＣコマンドフィールドとによって、決定される。
【０３２６】
また、明示的に決定される方法において、上位レイヤで設定される複数のパラメータの中から１つのパラメータをＰＤＣＣＨまたはＥＰＤＣＣＨで選択する方法の別の１つは、ＰＤＣＣＨで送信されるＤＣＩのＴＰＣコマンドフィールドを用いる、そして、ＥＰＤＣＣＨで送信されるＤＣＩのＡＲＯフィールドを用いることである。すなわち、明示的に決定される方法において、ＰＤＣＣＨでＤＣＩを受信した場合には、ＤＣＩのＴＰＣコマンドフィールドを用いて上位レイヤで設定される複数のパラメータの中から１つのパラメータが選択され、ＥＰＤＣＣＨでＤＣＩを受信した場合には、ＤＣＩのＡＲＯフィールドを用いて上位レイヤで設定される複数のパラメータの中から１つのパラメータが選択されてもよい。
【０３２７】
対応するＰＤＣＣＨ／ＥＰＤＣＣＨの検出によって指示されたプライマリーセルにおける１つのＰＤＳＣＨを受信し、プライマリーセルのＵＬ−ＤＬ設定が０に属している場合、移動局装置１は黙示的に決定される方法または明示的に決定される方法を用いて、１つのＰＵＣＣＨフォーマット１ａ／１ｂリソースを選択してもよい。この際、セカンダリーセルにおいてＰＤＳＣＨは受信されない。この際、セカンダリーセルが設定されていなくてもよい。
【０３２８】
対応するＰＤＣＣＨ／ＥＰＤＣＣＨの検出によって指示されたプライマリーセルにおける１つのＰＤＳＣＨを受信し、プライマリーセルのＵＬ−ＤＬ設定が１から６の何れかに属しており、ＰＤＣＣＨ／ＥＰＤＣＣＨで送信されるＤＣＩのＤＡＩ（Downlink Assignment Index）フィールドの値が１と同じである場合、移動局装置１は黙示的に決定される方法または明示的に決定される方法を用いて、１つのＰＵＣＣＨフォーマット１ａ／１ｂリソースを選択してもよい。この際、セカンダリーセルにおいてＰＤＳＣＨは受信されない。この際、セカンダリーセルが設定されていなくてもよい。
【０３２９】
複数の下りリンクサブフレームにおけるＰＤＳＣＨ送信に対するＨＡＲＱ応答情報を送信できる上りリンクサブフレームであり、対応するＰＤＣＣＨの検出によって指示されたプライマリーセルにおける１つのＰＤＳＣＨを受信し、プライマリーセルのＵＬ−ＤＬ設定が１から６の何れかに属しており、対応するＰＤＣＣＨで送信されるＤＣＩのＤＡＩ（Downlink Assignment Index）フィールドの値が１より大きい場合、移動局装置１は明示的に決定される方法を用いて、１つのＰＵＣＣＨフォーマット３リソースを選択してもよい。この際、値が１より大きいＤＡＩを含むＤＣＩのＴＰＣコマンドフィールドが、ＰＵＣＣＨフォーマット３に対する複数のパラメータの中から１つのパラメータを選択するために用いられてもよい。
【０３３０】
複数の下りリンクサブフレームにおけるＰＤＳＣＨ送信に対するＨＡＲＱ応答情報を送信できる上りリンクサブフレームであり、対応するＥＰＤＣＣＨの検出によって指示されたプライマリーセルにおける１つのＰＤＳＣＨを受信し、プライマリーセルのＵＬ−ＤＬ設定が１から６の何れかに属しており、対応するＥＰＤＣＣＨで送信されるＤＣＩのＤＡＩ（Downlink Assignment Index）フィールドの値が１より大きい場合、移動局装置１は明示的に決定される方法を用いて、１つのＰＵＣＣＨフォーマット３リソースを選択してもよい。この際、値が１より大きいＤＡＩを含むＤＣＩのＡＲＯフィールドが、ＰＵＣＣＨフォーマット３に対する複数のパラメータの中から１つのパラメータを選択するために用いられてもよい。
【０３３１】
セカンダリーセルにおいて少なくとも１つのＰＤＳＣＨを受信した場合、移動局装置１は明示的に決定される方法を用いて、１つのＰＵＣＣＨフォーマット３リソースを選択してもよい。この際、セカンダリーセルにおいてＰＤＳＣＨに対応するＰＤＣＣＨ／ＥＰＤＣＣＨで送信されるＤＣＩのＴＰＣコマンドフィールドが、ＰＵＣＣＨフォーマット３に対する複数のパラメータの中から１つのパラメータを選択するために用いられてもよい。この際、対応するＰＤＣＣＨの検出によって指示されたプライマリーセルにおける１つのＰＤＳＣＨを受信し、プライマリーセルのＵＬ−ＤＬ設定が１から６の何れかに属している場合、値が１より大きいＤＡＩを含むＤＣＩのＴＰＣコマンドフィールドが、ＰＵＣＣＨフォーマット３に対する複数のパラメータの中から１つのパラメータを選択するために用いられてもよい。この際、対応するＥＰＤＣＣＨの検出によって指示されたプライマリーセルにおける１つのＰＤＳＣＨを受信し、プライマリーセルのＵＬ−ＤＬ設定が１から６の何れかに属している場合、値が１より大きいＤＡＩを含むＤＣＩのＡＲＯフィールドが、ＰＵＣＣＨフォーマット３に対する複数のパラメータの中から１つのパラメータを選択するために用いられてもよい。この際、移動局装置１は、ＰＵＣＣＨフォーマット３に対する複数のパラメータの中から１つのパラメータを選択するために用いられる、プライマリーセルおよび各セカンダリーセルで送信されるＡＲＯフィールドおよびＴＰＣコマンドフィールドは、同じパラメータを示すとみなしてもよい。
【０３３２】
すなわち、プライマリーセルのＵＬ−ＤＬ設定、ＤＡＩ、セカンダリーセルでＰＤＳＣＨを受信したかどうか、セカンダリーセルが設定されたかどうか、などに基づいて、移動局装置１は黙示的に決定される方法または明示的に決定される方法を選択してもよい。
【０３３３】
なお、ＤＡＩは、ＵＬ−ＤＬ設定が１から６の何れかに属する場合に送信される。ＤＡＩは、複数の下りリンクサブフレームにおけるＰＤＳＣＨ送信に対するＨＡＲＱ応答情報を送信できる１つの上りリンクサブフレームに対応する複数の下りリンクサブフレームのうちの現在のサブフレームまでにＰＤＳＣＨ送信を割り当てるＰＤＣＣＨ／ＥＰＤＣＣＨおよび下りリンクＳＰＳリリースを指示するＰＤＣＣＨ／ＥＰＤＣＣＨの累積値を示す。
【０３３４】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０３３５】
なお、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０３３６】
なお、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０３３７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０３３８】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる移動局装置１は、集合体としての基地局装置と通信することも可能である。
【０３３９】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０３４０】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０３４１】
また、上述した実施形態では、端末装置もしくは通信装置の一例として移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０３４２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０３４３】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  サブフレーム設定部
１０１５  スケジューリング情報解釈部
１０１７  ＣＳＩ報告制御部
３０１１  無線リソース制御部
３０１３  サブフレーム設定部
３０１５  スケジューリング部
３０１７  ＣＳＩ報告制御部
【図１】
2015142311.tif 000003
【図２】
2015142311.tif 000004
【図３】
2015142311.tif 000005
【図４】
2015142311.tif 000006
【図５】
2015142311.tif 000007
【図６】
2015142311.tif 000008
【図７】
2015142311.tif 000009
【図８】
2015142311.tif 000010
【図９】
2015142311.tif 000011
【図１０】
2015142311.tif 000012
【図１１】
2015142311.tif 000013
【図１２】
2015142311.tif 000014
【図１３】
2015142311.tif 000015
【図１４】
2015142311.tif 000016
【図１５】
2015142311.tif 000017
【図１６】
2015142311.tif 000018
【図１７】
2015142311.tif 000019
【図１８】
2015142311.tif 000020
【図１９】
2015142311.tif 000021
【図２０】
2015142311.tif 000022
【図２１】
2015142311.tif 000023
【図２２】
2015142311.tif 000024